(57)【要約】  本発明の中央処理装置、中央処理方法および被監視者監視支援システムは、所定の表示期間幅でのバイタルのデータを端末装置に表示させている場合に、前記端末装置から、前記表示期間幅の延長の要求を受けると、前記表示期間幅を所定の延長期間幅だけ延長した期間幅を新たに前記表示期間幅とし、少なくとも前記延長期間幅でのバイタルのデータを、前記バイタルのデータを記憶しているバイタル情報記憶部から取り出して前記表示期間幅での前記バイタルのデータを前記端末装置に表示させる。
2018230052.tif 000002
【特許請求の範囲】
【請求項１】
監視対象である被監視者に対応して設けられ、前記被監視者の健康状態を把握するための指標である所定のバイタルを取得するセンサ装置、前記センサ装置と通信可能に接続され前記センサ装置から受信した前記バイタルのデータを管理する中央処理装置、および、前記中央処理装置と通信可能に接続され前記中央処理装置から受信した前記バイタルのデータを表示する端末装置を備え、前記被監視者の監視を支援するための被監視者監視支援システムの前記中央処理装置であって、
前記被監視者、バイタルの種類を表すバイタル種情報、前記被監視者におけるバイタルのデータ、前記バイタルのデータを取得した時を表す取得時情報を互いに対応付けて記憶するバイタル情報記憶部と、
前記被監視者、前記バイタル種情報および前記取得時情報を指定して前記バイタルのデータを要求する第１通信信号を前記端末装置から受信した場合に、前記第１通信信号で指定された前記取得時情報を含み、かつ、所定のデフォルト期間幅を持つ第１期間幅を表示期間幅とし、前記表示期間幅での、前記第１通信信号で指定された前記被監視者および前記バイタル種情報に対応するバイタルのデータを、前記バイタル情報記憶部から取り出して前記表示期間幅での前記バイタルのデータを前記端末装置に表示させる第２通信信号を前記端末装置へ返信するバイタル処理部とを備え、
前記バイタル処理部は、さらに、
前記第２通信信号を返信した前記端末装置から、前記表示期間幅の延長を要求する第３通信信号を受信した場合に、
前記表示期間幅を所定の延長期間幅だけ延長した第２期間幅を新たに前記表示期間幅とし、
少なくとも前記延長期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを前記端末装置に表示させる第４通信信号を新たに前記第２通信信号として前記端末装置へ返信する、
中央処理装置。
【請求項２】
前記バイタルの種類は、互いに異なる複数であり、
前記バイタル処理部は、さらに、
前記第４通信信号を新たに第２通信信号として前記端末装置へ返信した場合であって、前記端末装置から、前記第２通信信号によって前記端末装置に表示させている前記バイタルのデータにおけるバイタルの種類と異なるバイタルの種類を表すバイタル種情報を指定して前記バイタルのデータを要求する第５通信信号を受信した場合に、
前記表示期間幅での、前記第２通信信号によって前記端末装置に表示させている前記バイタルのデータにおける前記被監視者、および、前記第５通信信号で指定された前記バイタル種情報、に対応するバイタルのデータを、前記バイタル情報記憶部から取り出して前記表示期間幅での前記バイタルのデータを前記端末装置に表示させる第６通信信号を新たに第２通信信号として前記端末装置へ返信する、
請求項１に記載の中央処理装置。
【請求項３】
前記バイタル処理部は、さらに、
前記第２通信信号を前記端末装置へ返信した場合であって、前記端末装置から、前記取得時情報の変更を要求する第７通信信号を受信した場合に、
前記第２通信信号によって前記端末装置に表示させている前記バイタルのデータにおける前記表示期間幅に対応する取得時情報に対し前記表示期間幅だけずらした取得時情報を含み、かつ、前記表示期間幅と同じ期間幅を持つ第３期間幅を新たに前記表示期間幅とし、
前記表示期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを前記端末装置に表示させる第８通信信号を新たに前記第２通信信号として前記端末装置へ返信する、
請求項１または請求項２に記載の中央処理装置。
【請求項４】
前記バイタルのデータに、所定のマークを付与するマーキング条件を表すマーキング条件情報を前記バイタルの種類に対応付けて記憶するマーキング条件情報記憶部をさらに備え、
前記バイタル処理部は、さらに、前記第２通信信号を前記端末装置へ返信する場合に、前記マーキング条件情報で表されるマーキング条件を満たすバイタルのデータにはマークを付してから、前記第２通信信号を前記端末装置へ返信する、
請求項１ないし請求項３のいずれか１項に記載の中央処理装置。
【請求項５】
前記バイタルのデータに、所定のマークを付与するマーキング条件を表すマーキング条件情報を前記バイタルの種類に対応付けて記憶するマーキング条件情報記憶部をさらに備え、
前記バイタル処理部は、さらに、
前記第２通信信号を前記端末装置へ返信した場合であって、前記端末装置から、バイタルの種類が同一であるバイタルのデータの中でマーキング条件を満たすバイタルのデータの検索を要求する第９通信信号を受信した場合に、
前記第２通信信号によって前記端末装置に表示させている前記バイタルのデータにおけるバイタルの種類に対応するマーキング条件情報を前記マーキング条件情報記憶部から取り出し、
前記第２通信信号によって前記端末装置に表示させている前記バイタルのデータにおけるバイタルの種類で、前記第２通信信号によって前記端末装置に表示させている前記バイタルのデータにおける前記表示期間幅ごとに、前記第２通信信号によって前記端末装置に表示させている前記バイタルのデータに対し直近であって、かつ、前記取り出したマーキング条件情報で表されるマーキング条件を満たすバイタルのデータを検索し、
前記検索された前記マーキング条件を満たすバイタルのデータに対応する前記表示期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを、前記マーキング条件を満たすバイタルのデータにはマークを付して前記端末装置に表示させる第１０通信信号を新たに前記第２通信信号として前記端末装置へ返信する、
請求項１ないし請求項４のいずれか１項に記載の中央処理装置。
【請求項６】
前記バイタルのデータに、所定のマークを付与するマーキング条件を表すマーキング条件情報を前記バイタルの種類に対応付けて記憶するマーキング条件情報記憶部をさらに備え、
前記バイタルの種類は、互いに異なる複数であり、
前記バイタル処理部は、さらに、
前記第２通信信号を前記端末装置へ返信した場合であって、前記端末装置から、全てのバイタルの種類におけるバイタルのデータの中でマーキング条件を満たすバイタルのデータの検索を要求する第１１通信信号を受信した場合に、
全てのバイタルの種類に対応するマーキング条件情報を前記マーキング条件情報記憶部から取り出し、
前記第２通信信号によって前記端末装置に表示させている前記バイタルのデータにおける前記表示期間幅ごとに、前記第２通信信号によって前記端末装置に表示させている前記バイタルのデータに対し直近であって、かつ、全てのバイタルの種類の中のいずれかで前記取り出したマーキング条件情報で表されるマーキング条件を満たすバイタルのデータを検索し、
前記検索された前記マーキング条件を満たすバイタルのデータに対応する前記表示期間幅での、前記第２通信信号によって前記端末装置に表示させている前記バイタルのデータにおける前記被監視者および前記検索された前記マーキング条件を満たすバイタルのデータにおける前記バイタル種情報に対応するバイタルのデータを、前記バイタル情報記憶部から取り出して前記表示期間幅での前記バイタルのデータを、前記マーキング条件を満たすバイタルのデータにはマークを付して前記端末装置に表示させる第１２通信信号を新たに前記第２通信信号として前記端末装置へ返信する、
請求項１ないし請求項５のいずれか１項に記載の中央処理装置。
【請求項７】
監視対象である被監視者に対応して設けられ、前記被監視者の健康状態を把握するための指標である所定のバイタルを取得するセンサ装置、前記センサ装置と通信可能に接続され前記センサ装置から受信した前記バイタルのデータを管理する中央処理装置、および、前記中央処理装置と通信可能に接続され前記中央処理装置から受信した前記バイタルのデータを表示する端末装置を備え、前記被監視者の監視を支援するための被監視者監視支援システムの中央処理方法であって、
前記被監視者、バイタルの種類を表すバイタル種情報、前記被監視者におけるバイタルのデータ、前記バイタルのデータを取得した時を表す取得時情報を互いに対応付けてバイタル情報記憶部に記憶するバイタル情報記憶工程と、
前記被監視者、前記バイタル種情報および前記取得時情報を指定して前記バイタルのデータを要求する第１通信信号を前記端末装置から受信した場合に、前記第１通信信号で指定された前記取得時情報を含み、かつ、所定のデフォルト期間幅を持つ第１期間幅を表示期間幅とし、前記表示期間幅での、前記第１通信信号で指定された前記被監視者および前記バイタル種情報に対応するバイタルのデータを、前記バイタル情報記憶部から取り出して前記表示期間幅での前記バイタルのデータを前記端末装置に表示させる第２通信信号を前記端末装置へ返信するバイタル処理工程とを備え、
前記バイタル処理工程は、さらに、
前記第２通信信号を返信した前記端末装置から、前記表示期間幅の延長を要求する第３通信信号を受信した場合に、
前記表示期間幅を所定の延長期間幅だけ延長した第２期間幅を新たに前記表示期間幅とし、
少なくとも前記延長期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを前記端末装置に表示させる第４通信信号を新たに前記第２通信信号として前記端末装置へ返信する、
中央処理方法。
【請求項８】
監視対象である被監視者に対応して設けられ、前記被監視者の健康状態を把握するための指標である所定のバイタルを取得するセンサ装置、前記センサ装置と通信可能に接続され前記センサ装置から受信した前記バイタルのデータを管理する中央処理装置、および、前記中央処理装置と通信可能に接続され前記中央処理装置から受信した前記バイタルのデータを表示する端末装置を備え、前記被監視者の監視を支援するための被監視者監視支援システムであって、
前記中央処理装置は、請求項１ないし請求項６のいずれか１項に記載の中央処理装置である、
被監視者監視システム。
【発明の詳細な説明】
【技術分野】
【０００１】
本発明は、監視すべき監視対象である被監視者を監視する際にその監視を支援する被監視者監視支援システムの中央処理装置および中央処理方法、ならびに、前記被監視者監視支援システムに関する。
【背景技術】
【０００２】
我が国（日本）は、高齢化社会、より詳しくは、高齢化率が２６．７％（２０１５年１０月１日現在、内閣府）を超える超高齢化社会になっている。このような高齢化社会では、病気や怪我や高齢等による看護や介護を必要とする要看護者や要介護者等は、高齢化社会ではない通常の社会で生じる要看護者や要介護者等よりもその増加が見込まれる。これら要看護者や要介護者等は、一般的には、病院や、老人福祉施設（日本の法令では老人短期入所施設、養護老人ホームおよび特別養護老人ホーム等）等の施設に入所し、その看護や介護を受ける。このような施設では、看護師や介護士等は、定期的に巡視することによってその安否や様子を確認している。この安否確認の点では、一人暮らしの独居者も前記要看護者や要介護者等と同様である。一方、近年では、独りで移動の困難な者や在宅の療養を希望する者等のために、訪問診療や往診等の在宅医療も要請されている。【０００３】
このような業界では、医療や看護や介護等のサービスを要請する者（サービス受益者）の増加に較べて、前記サービスを提供する者（サービス提供者）の増加が追いつかず、慢性的に人手不足になっている。このため、前記サービスや前記サービスに関連して生じる業務の負担を軽減するため、前記サービスや前記業務を補完する技術が求められている。このような技術の一つとして、例えば特許文献１にバイタルデータ収集・表示装置が開示されている。この特許文献１に開示されたバイタルデータ収集・表示装置は、外部に設けられたバイタルセンサからのバイタルデータを収集して該バイタルデータをディスプレイ上に画面表示するバイタルデータ収集・表示装置において、各バイタルセンサから収集したデータ中、最新のデータと、最近の一定期間若しくは一定個数のデータと、全てのデータとを各別のテーブルに分散保持するデータベースを備える。そして、前記特許文献１の図８には、バイタルデータ表示画面が図示されており、指定年月日時（図８では１９９８／１０／２６）に対応する心電図が表示されている。前記特許文献１の［００１３］段落には「図１はデータベース１８を構成するテーブル２０の構成図であり、血圧２１、体温２２、心電２３、体重２４、歩数２５、体脂肪２６の６つのバイタルデータ等を格納（保持）できるようになっている。そして各バイタルデータ毎に夫々最新取得テーブル２１ａ〜２６ａと、トレンドテーブル２１ｂ〜２６ｂと、全データテーブル２１ｃ〜２６ｃの３つのテーブルを備えており、最新取得テーブル２１ａ〜２６ａには各バイタルデータ処理装置５の利用者毎に最新１回のデータを格納し、トレンドテーブル２１ｂ〜２６ｂには利用者毎に過去１ヶ月の履歴が見られるように最新の４０個のデータを格納し、全データテーブル２１ｃ〜２６ｃには受信した利用者毎の全てのデータを格納するようになっている。」と記載されている。【０００４】
ところで、前記特許文献１に開示されたバイタルデータ収集・表示装置は、具体的な表示態様の記載はないが、バイタルデータのトレンドデータを表示するので、バイタルのトレンド（傾向）を把握でき、便利である。しかしながら、前記サービス提供者は、前記サービス受益者の健康状態を把握するために、バイタルのトレンドだけでなく、バイタルのより細かい情報、例えば、バイタルにおける異常の起点、ピーク（あるいはボトム）、変化点および終点等の異常状態における各属性情報（異常状態属性情報）を把握したい場合がある。前記特許文献１に開示されたバイタルデータ収集・表示装置では、その表示されたトレンドデータに、前記異常状態属性情報が必ずしも表示されるとは限らず、把握し難い場合が生じ得る。
【先行技術文献】
【特許文献】
【０００５】
【特許文献１】特開２０００−３１２６６５号公報
【発明の概要】
【０００６】
本発明は、上述の事情に鑑みて為された発明であり、その目的は、例えば前記異常状態属性情報等のバイタルのより細かい情報をより容易に把握できる被監視者監視支援システムの中央処理装置および中央処理方法、ならびに、前記被監視者監視支援システムを提供することである。
【０００７】
上述した目的を実現するために、本発明の一側面を反映した被監視者監視支援システムの中央処理装置および中央処理方法ならびに前記被監視者監視支援システムは、所定の表示期間幅でのバイタルのデータを端末装置に表示させている場合に、前記端末装置から、前記表示期間幅の延長の要求を受けると、前記表示期間幅を所定の延長期間幅だけ延長した期間幅を新たに前記表示期間幅とし、少なくとも前記延長期間幅でのバイタルのデータを、前記バイタルのデータを記憶しているバイタル情報記憶部から取り出して前記表示期間幅での前記バイタルのデータを前記端末装置に表示させる。
【０００８】
発明の１または複数の実施形態により与えられる利点および特徴は、以下に与えられる詳細な説明および添付図面から十分に理解される。これら詳細な説明及び添付図面は、例としてのみ与えられるものであり本発明の限定の定義として意図されるものではない。
【図面の簡単な説明】
【０００９】
【図１】実施形態における被監視者監視支援システムの構成を示す図である。
【図２】前記被監視者監視支援システムにおけるセンサ装置の構成を示す図である。
【図３】前記被監視者監視支援システムにおける管理サーバ装置の構成を示す図である。
【図４】前記監視サーバ装置に記憶されるバイタル情報テーブルの構成を示す図である。
【図５】前記監視サーバ装置に記憶されるマーキング条件情報テーブルの構成を示す図である。
【図６】前記被監視者監視支援システムにおける携帯端末装置の構成を示す図である。
【図７】前記管理サーバ装置におけるバイタル処理に関する動作を示すフローチャートである。
【図８】前記携帯端末装置におけるバイタル情報表示センター画面での動作を示すフローチャートである。
【図９】前記携帯端末装置における各バイタル情報表示画面での動作を示すフローチャートである。
【図１０】前記管理サーバ装置および前記携帯端末装置それぞれにおける各バイタル情報表示に関する動作を示すシーケンス図である。
【図１１】前記管理サーバ装置および前記携帯端末装置それぞれにおける期間幅過去延長表示に関する動作を示すシーケンス図である。
【図１２】前記管理サーバ装置および前記携帯端末装置それぞれにおける期間幅未来延長表示に関する動作を示すシーケンス図である。
【図１３】前記管理サーバ装置および前記携帯端末装置それぞれにおけるバイタル種類変更表示に関する動作を示すシーケンス図である。
【図１４】前記管理サーバ装置および前記携帯端末装置それぞれにおける表示期間過去変更表示に関する動作を示すシーケンス図である。
【図１５】前記管理サーバ装置および前記携帯端末装置それぞれにおける表示期間未来変更表示に関する動作を示すシーケンス図である。
【図１６】前記管理サーバ装置および前記携帯端末装置それぞれにおけるマーキング条件同種過去検索表示に関する動作を示すシーケンス図である。
【図１７】前記管理サーバ装置および前記携帯端末装置それぞれにおけるマーキング条件同種未来検索表示に関する動作を示すシーケンス図である。
【図１８】前記管理サーバ装置および前記携帯端末装置それぞれにおけるマーキング条件全種過去検索表示に関する動作を示すシーケンス図である。
【図１９】前記管理サーバ装置および前記携帯端末装置それぞれにおけるマーキング条件全種未来検索表示に関する動作を示すシーケンス図である。
【図２０】前記携帯端末装置に表示されるバイタルデータ総合表示画面の一例を示す図である。
【図２１】前記携帯端末装置に表示される体温データ表示画面の一例を示す図である。
【図２２】前記携帯端末装置に表示される血圧脈拍データ表示画面の一例を示す図である。
【図２３】前記携帯端末装置に表示される睡眠状態データ表示画面の一例を示す図である。
【図２４】前記被監視者監視支援システムにおいて、期間変更、期間延長による一効果を説明するための図である。
【発明を実施するための形態】
【００１０】
以下、本発明にかかる実施の一形態を図面に基づいて説明する。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１１】
本実施形態における被監視者監視支援システムは、監視すべき（見守るべき）監視対象（見守り対象）である被監視者（見守り対象者）Ｏｂを監視する際に、その監視を支援するシステムであり、本実施形態では、被監視者Ｏｂに対応して設けられ、被監視者Ｏｂの健康状態を把握するための指標である所定のバイタルを取得するセンサ装置、前記センサ装置と通信可能に接続され前記センサ装置から受信した前記バイタルのデータを管理する中央処理装置、および、前記中央処理装置と通信可能に接続され前記中央処理装置から受信した前記バイタルのデータを表示する端末装置を備える。本実施形態では、前記中央管理装置は、被監視者Ｏｂ、バイタルの種類を表すバイタル種情報、被監視者Ｏｂにおけるバイタルのデータ、前記バイタルのデータを取得した時を表す取得時情報を互いに対応付けて記憶するバイタル情報記憶部と、被監視者Ｏｂ、前記バイタル種情報および前記取得時情報を指定して前記バイタルのデータを要求する第１通信信号を前記端末装置から受信した場合に、前記第１通信信号で指定された前記取得時情報を含み、かつ、所定のデフォルト期間幅を持つ第１期間幅を表示期間幅とし、前記表示期間幅での、前記第１通信信号で指定された前記被監視者および前記バイタル種情報に対応するバイタルのデータを、前記バイタル情報記憶部から取り出して前記表示期間幅での前記バイタルのデータを前記端末装置に表示させる第２通信信号を前記端末装置へ返信するバイタル処理部とを備える。本実施形態では、前記バイタル処理部は、さらに、前記第２通信信号を返信した前記端末装置から、前記表示期間幅の延長を要求する第３通信信号を受信した場合に、前記表示期間幅を所定の延長期間幅だけ延長した第２期間幅を新たに前記表示期間幅とし、少なくとも前記延長期間幅での、前記第２通信信号によって前記端末装置に表示させている前記バイタルのデータにおける前記被監視者Ｏｂおよび前記バイタル種情報に対応するバイタルのデータを、前記バイタル情報記憶部から取り出して前記表示期間幅での前記バイタルのデータを前記端末装置に表示させる第４通信信号を新たに前記第２通信信号として前記端末装置へ返信する。そして、前記バイタルの種類は、1種類であって良いが、本実施形態では、前記バイタルの種類は、互いに異なる複数であり、前記バイタル処理部は、さらに、前記第４通信信号を新たに第２通信信号として前記端末装置へ返信した場合であって、前記端末装置から、前記第２通信信号によって前記端末装置に表示させている前記バイタルのデータにおけるバイタルの種類と異なるバイタルの種類を表すバイタル種情報を指定して前記バイタルのデータを要求する第５通信信号を受信した場合に、前記表示期間幅での、前記第２通信信号によって前記端末装置に表示させている前記バイタルのデータにおける前記被監視者Ｏｂ、および、前記第５通信信号で指定された前記バイタル種情報、に対応するバイタルの検知結果を、前記バイタル情報記憶部から取り出して前記表示期間幅での前記バイタルのデータを前記端末装置に表示させる第６通信信号を新たに第２通信信号として前記端末装置へ返信する。前記端末装置は、１種類の装置であって良いが、本実施形態態では��前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（サービス提供者、ユーザ）に携行されて運用される点であり、これら固定端末装置と携帯端末装置とは、略同様である。このような被監視者監視支援システムについて、前記中央処理装置の一例として管理サーバ装置ＳＶを挙げ、以下、より具体的に説明する。
【００１２】
図１は、実施形態における被監視者監視支援システムの構成を示す図である。図２は、前記被監視者監視支援システムにおけるセンサ装置の構成を示す図である。図３は、前記被監視者監視支援システムにおける管理サーバ装置の構成を示す図である。図４は、前記監視サーバ装置に記憶されるバイタル情報テーブルの構成を示す図である。図５は、前記監視サーバ装置に記憶されるマーキング条件情報テーブルの構成を示す図である。図６は、前記被監視者監視支援システムにおける携帯端末装置の構成を示す図である。
【００１３】
実施形態における被監視者監視支援システムＭＳは、被監視者の監視を支援するシステムであり、例えば、図１に示すように、１または複数のセンサ装置ＳＵ（図１に示す例ではｋ個のセンサ装置ＳＵ−１、ＳＵ−２、ＳＵ−３、・・・、ＳＵ−ｋ）と、センサ装置ＳＵとネットワークＮＷを介して通信可能に接続される管理サーバ装置ＳＶと、管理サーバ装置ＳＶとネットワークＮＷを介して通信可能に接続される固定端末装置ＳＰと、管理サーバ装置ＳＶとネットワークＮＷを介して通信可能に接続される１または複数の携帯端末装置ＴＡ（図１に示す例では複数の携帯端末装置ＴＡ−１、ＴＡ−２、・・・）とを備える。
【００１４】
ネットワーク（通信回線）ＮＷは、例えば、電話網、データ通信網および移動通信網等を備えて構成され、例えば、ＦＴＰ（Ｆｉｌｅ  Ｔｒａｎｓｆｅｒ  Ｐｒｏｔｏｃｏｌ）、ＨＴＴＰ（Ｈｙｐｅｒ  Ｔｅｘｔ  Ｔｒａｎｓｆｅｒ  Ｐｒｏｔｏｃｏｌ）、ＴＣＰ（Ｔｒａｎｓｍｉｓｓｉｏｎ  Ｃｏｎｔｒｏｌ  Ｐｒｏｔｏｃｏｌ）およびＩＰ（Ｉｎｔｅｒｎｅｔ  Ｐｒｏｔｏｃｏｌ）等のいわゆるインターネットプロトコル郡を用いることによってインターネットを構成する。あるいは、ネットワークＮＷは、例えば無線や有線を用いたイーサネット環境のＬＡＮ（Ｌｏｃａｌ  Ａｒｅａ  Ｎｅｔｗｏｒｋ）であっても良い。なお、イーサネットは、登録商標である。
【００１５】
被監視者監視支援システムＭＳは、被監視者Ｏｂに応じて適宜な場所に配設される。被監視者（見守り対象者）Ｏｂは、本実施形態では、例えば、医療や看護や介護等のサービスを要請する者（サービス受益者）Ｏｂであり、より具体的には、病気や怪我等によって看護を必要とする者や、身体能力の低下等によって介護を必要とする者や、訪問診療や往診等の在宅医療を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視支援システムＭＳは、被監視者Ｏｂの種類に応じて、病院、老人福祉施設および住戸等の建物に好適に配設される。図１に示す例では、被監視者監視支援システムＭＳは、所定の地域に配設され、複数のセンサ装置ＳＵそれぞれは、複数の被監視者Ｏｂそれぞれに対応して当該被監視者Ｏｂが居住する複数の建物それぞれに配設され、管理サーバ装置ＳＶは、その管理を行うための建物に配設され、固定端末装置ＳＰは、地域医療施設に配設され、携帯端末装置ＴＡは、前記地域医療施設に勤務するサービス提供者に携帯されている。
【００１６】
センサ装置ＳＵは、被監視者Ｏｂに対応して設けられ、前記被監視者Ｏｂの健康状態を把握するための指標である所定のバイタルを取得する装置である。前記所定のバイタルは、任意であって良いが、例えば、体温、微体動数（言い換えれば呼吸数）、血圧（最高血圧および最低血圧のうちの少なくとも一方を含む）、脈拍数および睡眠状態（睡眠中および覚醒中のうちの少なくとも一方を含む）のうちの少なくとも１つを含む。センサ装置ＳＵは、ネットワークＮＷを介して管理サーバ装置ＳＶと通信可能に接続され、前記所定のバイタルのデータをネットワークＮＷを介して管理サーバ装置ＳＶへ送信する。このようなセンサ装置ＳＵは、例えば、図２に示すように、バイタル測定部１１と、センサ側制御処理部（ＳＵ制御処理部）１２と、センサ側通信インターフェース部（ＳＵ通信ＩＦ部）１３と、センサ側記憶部１４とを備える。
【００１７】
バイタル測定部１１は、ＳＵ制御処理部１２に接続され、前記所定のバイタルを測定する装置である。バイタル測定部１１は、前記所定のバイタルをＳＵ制御処理部１２へ出力する。バイタル測定部１１は、前記所定のバイタルの種類に応じて適宜なセンサを備えて構成される。本実施形態では、前記所定のバイタルは、体温、血圧（最高血圧および最低血圧）、脈拍数、微体動数（呼吸数）および睡眠状態であり、これに応じて、バイタル測定部１１は、体温測定部１１１、血圧脈拍測定部１１２および微体動数睡眠状態測定部１１３を備えて構成される。
【００１８】
体温測定部１１１は、例えば、体温を測定する電子体温計であり、有線または無線（例えばブルートゥース（Ｂｌｕｅｔｏｏｔｈ、登録商標）規格等の近距離無線通信規格に準拠した無線）によってＳＵ制御処理部１２に接続される。被監視者Ｏｂは、少なくとも１日１回、適宜なタイミングで体温測定部（電子体温計）１１１を用いて自己の体温を測定する。体温測定部（電子体温計）１１１は、被監視者Ｏｂの測定動作によって被監視者Ｏｂの体温を測定すると、この測定した体温を自動的にＳＵ制御処理部１２へ出力する。
【００１９】
血圧脈拍測定部１１２は、例えば、血圧（最高血圧および最低血圧）と脈拍数とを測定する、脈拍測定機能付きの電子血圧計であり、有線または無線（例えば近距離無線通信規格に準拠した無線）によってＳＵ制御処理部１２に接続される。被監視者Ｏｂは、少なくとも１日１回、適宜なタイミングで血圧脈拍測定部（電子血圧計）１１２を用いて自己の血圧および脈拍数を測定する。血圧脈拍測定部（電子血圧計）１１２は、被監視者Ｏｂの測定動作によって被監視者Ｏｂの血圧および脈拍数を測定すると、この測定した血圧および脈拍数を自動的にＳＵ制御処理部１２へ出力する。
【００２０】
微体動数睡眠状態測定部１１３は、例えば、いわゆるドップラセンサ１１３を備えて構成され、有線または無線（例えば近距離無線通信規格に準拠した無線）によってＳＵ制御処理部１２に接続される。このドップラセンサ１１３は、送信波を送信し、物体で反射した前記送信波の反射波を受信し、前記送信波と前記反射波とに基づいてドップラ周波数成分のドップラ信号を出力する体動センサである。前記物体が動いている場合、いわゆるドップラ効果により前記物体の動いている速度に比例して反射波の周波数がシフトするため、送信波の周波数と反射波の周波数とに差（ドップラ周波数成分）が生じる。前記ドップラセンサ１１３は、このドップラ周波数成分の信号をドップラ信号として生成する。前記送信波は、超音波やマイクロ波等であって良いが、本実施形態では、マイクロ波である。マイクロ波は、着衣を透過して被監視者Ｏｂの体表で反射できるため、被監視者Ｏｂが衣服を着ていても体表の動きを検知でき、好ましい。ドップラセンサ１１３は、ドップラ信号から、被監視者Ｏｂにおける胸部の上下動数を求め、この上下動数から微体動数、すなわち、１分当たりの呼吸数を求め、この求めた呼吸数（微体動数）をＳＵ制御処理部１２へ出力する。ドップラセンサ１１３は、例えば、所定の時間間隔（例えば１０分、３０分、１時間等）ごとに微体動数（呼吸数）を測定し、この測定結果（呼吸数（微体動数））をＳＵ制御処理部１２へ出力する。また例えば、ドップラセンサ１１３は、ＳＵ制御処理部１２から測定要求を受けると、微体動数（呼吸数）を測定し、この測定結果をＳＵ制御処理部１２へ出力する。ＳＵ制御処理部１２は、この呼吸数を受け付けると、呼吸数をＳＵ記憶部１４に記憶しても良い。さらに、ドップラセンサ１１３は、ドップラ信号から、被監視者Ｏｂにおける睡眠状態を求め、この求めた睡眠状態をＳＵ制御処理部１２へ出力する。このドップラセンサを用いた睡眠状態の検知には、例えば、“増田裕太、山地隆行、「マイクロ波センサによる睡眠状態可視化技術」、マルチメディア、分散、協調とモバイル（ＤＩＣＯＭＯ２０１４）シンポジウム、平成２６年７月、ｐ１７００−ｐ１７０３”の文献に開示された技術や、“山本康平、橘素子他、「マイクロ波を用いた遠隔・非接触な体動計測に基づく睡眠深度推定」、Ｔｈｅ  ２９ｔｈ  Ａｎｎｕａｌ  Ｃｏｎｆｅｒｅｎｃｅ  ｏｆ  ｔｈｅ  Ｊａｐａｎｅｓｅ  Ｓｏｃｉｅｔｙ  ｆｏｒ  Ａｒｔｉｆｉｃｉａｌ  Ｉｎｔｅｋｋｉｇｅｎｃｅ，２０１５の文献に開示された技術等の公知技術が用いられる。本実施形態では、前記睡眠状態は、例えば、睡眠中、覚醒中（寝具内で起きている状態）および睡眠中でも覚醒中でもないその他の３種類の状態から成る。ドップラセンサ１１３は、前記公知技術によって、睡眠中であるか否か、および、覚醒中であるか否かを判定し、これらのいずれでもないと判定された場合にその他と判定する。ドップラセンサ１１３は、数分、例えば５分等の所定の時間間隔で睡眠状態を判定し、睡眠状態が変化した場合に、その睡眠状態をＳＵ制御処理部１２へ出力する。
【００２１】
なお、上述では、体温測定部１１１は、有線または無線でＳＵ制御処理部１２に接続され、自動的に、測定した体温をＳＵ制御処理部１２へ出力したが、センサ装置ＳＵは、体温測定部１１１に代え、例えばテンキーパッドやキーボード等の入力部を備え、センサ装置ＳＵとは、別個の体温計を用いて被監視者Ｏｂは、自己の体温を測り、その測定した体温を前記入力部から入力しても良い。これによってセンサ装置ＳＵは、前記入力部によって体温を取得しても良い。また、同様に、血圧脈拍測定部１１２は、有線または無線でＳＵ制御処理部１２に接続され、自動的に、測定した血圧および脈拍数をＳＵ制御処理部１２へ出力したが、センサ装置ＳＵは、血圧脈拍測定部１１２に代え、前記入力部を備え、センサ装置ＳＵとは、別個の脈拍測定機能付きの血圧計を用いて被監視者Ｏｂは、自己の血圧および脈拍数を測り、その測定した血圧および脈拍数を前記入力部から入力しても良い。これによってセンサ装置ＳＵは、前記入力部によって血圧および脈拍数を取得しても良い。また、上述では、微体動数（呼吸数）と睡眠状態とは、１個の微体動数睡眠状態測定部１１３によって測定されたが、微体動数（呼吸数）を測定する微体動数測定部と睡眠状態を測定する睡眠状態測定部との別体の各装置によって測定されても良い。
【００２２】
ＳＵ通信ＩＦ部１３は、ＳＵ制御処理部１２に接続され、ＳＵ制御処理部１２の制御に従って通信を行うための通信回路であり、例えばデータ通信カードや、ＩＥＥＥ８０２．１１規格等に従った通信インターフェース回路等である。ＳＵ通信ＩＦ部１３は、ＳＵ制御処理部１２から入力された転送すべきデータを収容した通信信号を、この被監視者監視支援システムＭＳのネットワークＮＷで用いられる通信プロトコルに従って生成し、この生成した通信信号をネットワークＮＷを介して管理サーバ装置ＳＶへ送信する。ＳＵ通信ＩＦ部１３は、ネットワークＮＷを介して管理サーバ装置ＳＶから通信信号を受信し、この受信した通信信号からデータを取り出し、この取り出したデータをＳＵ制御処理部１２が処理可能な形式のデータに変換してＳＵ制御処理部１２へ出力する。
【００２３】
撮像部１５は、ＳＵ制御処理部１２に接続され、ＳＵ制御処理部１２の制御に従って、画像（画像データ）を生成する装置である。前記画像は、静止画（静止画データ）であって良く、あるいは、前記画像には、静止画だけでなく動画（動画データ）が含まれて良い。撮像部１５は、監視すべき監視対象である被監視者Ｏｂが所在を予定している空間（所在空間、図１に示す例では建物ＨＳにおける被監視者Ｏｂの居室（部屋）を監視可能に配置され、前記所在空間を撮像対象としてその上方から撮像し、前記撮像対象を俯瞰した画像（画像データ）を生成し、前記撮像対象の画像（対象画像）をＳＵ制御処理部１２へ出力する。好ましくは、監視対象の被監視者Ｏｂ全体を撮像できる蓋然性が高いことから、撮像部１５は、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。センサ装置ＳＵは、この撮像部１５によって、被監視者Ｏｂを、被監視者Ｏｂの上方から撮像した画像、好ましくは前記頭部予定位置の直上から撮像した画像を取得する。
【００２４】
このような撮像部１５は、可視光の画像を生成する装置であって良いが、比較的暗がりでも被監視者Ｏｂを監視できるように、本実施形態では、赤外線の画像を生成する装置である。このような撮像部１５は、例えば、本実施形態では、撮像対象における赤外の光学像を所定の結像面上に結像する結像光学系、前記結像面に受光面を一致させて配置され、前記撮像対象における赤外の光学像を電気的な信号に変換するエリアイメージセンサ、および、エリアイメージセンサの出力を画像処理することで前記撮像対象における赤外の画像を表すデータである画像データを生成する画像処理回路等を備えるデジタル赤外線カメラである。撮像部１５の前記結像光学系は、本実施形態では、その配設された前記居室全体を撮像できる画角を持つ広角な光学系（いわゆる広角レンズ（魚眼レンズを含む））であることが好ましい。
【００２５】
ＳＵ記憶部１４は、ＳＵ制御処理部１２に接続され、ＳＵ制御処理部１２の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、バイタル測定部１１で取得した前記所定のバイタルのデータ（本実施形態ではバイタルの測定結果）をＳＵ通信ＩＦ部１３によってネットワークＮＷを介して管理サーバ装置ＳＶへ送信するバイタル送信処理プログラムや、管理サーバ装置ＳＶの要求に応じて撮像部１５で撮像対象を撮像してその画像をＳＵ通信ＩＦ部１３によってネットワークＮＷを介して管理サーバ装置ＳＶへ送信する画像送信処理プログラムや、年月日時分で計時するＳＵ時計プログラム等の制御処理プログラムが含まれる。前記各種の所定のデータには、自機の、センサ装置ＳＵを特定し識別するための識別子であるセンサ装置識別子（センサＩＤ）、サーバ装置ＳＶの通信アドレス等の、各プログラムを実行する上で必要なデータ等が含まれる。ＳＵ記憶部１４は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１４は、前記所定のプログラムの実行中に生じるデータ等を記憶するいわゆるＳＵ制御処理部１２のワーキングメモリとなるＲＡＭ（Ｒａｎｄｏｍ  Ａｃｃｅｓｓ  Ｍｅｍｏｒｙ）等を含む。
【００２６】
ＳＵ制御処理部１２は、センサ装置ＳＵの各部を当該各部の機能に応じてそれぞれ制御し、バイタル測定部１１で取得された前記所定のバイタルのデータをＳＵ通信ＩＦ部１３によってネットワークＮＷを介して管理サーバ装置ＳＶへ送信するための回路である。ＳＵ制御処理部１２は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１２は、前記制御処理プログラムが実行されることによって、センサ側制御部（ＳＵ制御部）１２１、バイタル送信処理部１２２、画像送信処理部１２３およびセンサ側時計部（ＳＵ時計部）１２４を機能的に備える。
【００２７】
ＳＵ制御部１２１は、センサ装置ＳＵの各部を当該各部の機能に応じてそれぞれ制御し、センサ装置ＳＵの全体制御を司るものである。
【００２８】
ＳＵ時計部１２４は、年月日時分で計時するものである。
【００２９】
バイタル送信処理部１２２は、バイタル測定部１１で取得した前記所定のバイタルのデータ（本実施形態ではバイタルの測定結果）をＳＵ通信ＩＦ部１３によってネットワークＮＷを介して管理サーバ装置ＳＶへ送信するものである。より具体的には、バイタル送信処理部１２２は、バイタル測定部１１で取得したバイタルのデータを受け付けると、ＳＵ時計部１２４から年月日日時で現在の時刻を取得時刻（本実施形態では測定時刻）として取得し、前記バイタルのデータおよび前記取得時刻をＳＵ通信ＩＦ部１３によってネットワークＮＷを介して管理サーバ装置ＳＶへ送信する。より詳しくは、バイタル送信処理部１２２は、バイタル測定部１１の体温測定部１１１から体温のデータ（本実施形態では体温の測定結果）が入力されると、ＳＵ時計部１２４から年月日日時で現在の時刻を取得時刻として取得し、自機のセンサＩＤ、バイタルの種類を表すバイタル種情報（この例では体温）、前記体温のデータおよび前記取得時刻を収容した通信信号（取得バイタル通知通信信号）を管理サーバ装置ＳＶ宛に生成し、この取得バイタル通知通信信号をＳＵ通信ＩＦ部１３によってネットワークＮＷへ送信する。バイタル送信処理部１２２は、バイタル測定部１１の血圧脈拍測定部１１２から血圧（最高血圧および最低血圧）および脈拍数の各データ（本実施形態では血圧および脈拍数の各測定結果）が入力されると、ＳＵ時計部１２４から年月日日時で現在の時刻を取得時刻として取得し、自機のセンサＩＤ、バイタルの種類を表すバイタル種情報（この例では血圧、脈拍数）、前記血圧および脈拍数の各データおよび前記取得時刻を収容した取得バイタル通知通信信号を管理サーバ装置ＳＶ宛に生成し、この取得バイタル通知通信信号をＳＵ通信ＩＦ部１３によってネットワークＮＷへ送信する。バイタル送信処理部１２２は、バイタル測定部１１の微体動数睡眠状態測定部１１３から微体動数（呼吸数）のデータ（本実施形態では、微体動数（呼吸数）の測定結果）が入力されると、ＳＵ時計部１２４から年月日日時で現在の時刻を取得時刻として取得し、自機のセンサＩＤ、バイタルの種類を表すバイタル種情報（この例では微体動数（呼吸数））、前記微体動数のデータおよび前記取得時刻を収容した取得バイタル通知通信信号を管理サーバ装置ＳＶ宛に生成し、この取得バイタル通知通信信号をＳＵ通信ＩＦ部１３によってネットワークＮＷへ送信する。なお、バイタル送信処理部１２２は、上述のように、バイタル測定部１１から体温データや血圧データを受け付けた場合に、微体動数睡眠状態測定部に微体動数（呼吸数）を測定させ、この測定した微体動数を用いてバイタル測定結果通知通信信号を生成して管理サーバ装置ＳＶへ送信しても良い。そして、バイタル送信処理部１２２は、バイタル測定部１１の微体動数睡眠状態測定部１１３から睡眠状態の測定結果（睡眠状態のデータ）が入力されると、ＳＵ時計部１２４から年月日日時で現在の時刻を取得時刻として取得し、自機のセンサＩＤ、バイタルの種類を表すバイタル種情報（この例では睡眠状態）、前記睡眠状態のデータおよび前記取得時刻を収容した取得バイタル通知通信信号を管理サーバ装置ＳＶ宛に生成し、この取得バイタル通知通信信号をＳＵ通信ＩＦ部１３によってネットワークＮＷへ送信する。前記睡眠状態のデータには、本実施形態では、睡眠開始（すなわち前状態が覚醒中であれば覚醒終了、または、前状態がその他中であればその他終了）、覚醒開始（すなわち前状態が睡眠中であれば睡眠終了、または、前状態がその他中であればその他終了）、その他開始（すなわち前状態が睡眠中であれば睡眠終了、または、前状態が覚醒中であれば覚醒終了）が含まれる。
【００３０】
画像送信処理部１２３は、管理サーバ装置ＳＶの要求に応じて撮像部１５で撮像対象を撮像してその画像をＳＵ通信ＩＦ部１３によってネットワークＮＷを介して管理サーバ装置ＳＶへ送信するものである。より具体的には、画像送信処理部１２３は、管理サーバ装置ＳＶから画像を要求する通信信号（画像要求通信信号）を受信すると、撮像部１５に撮像対象を撮像させ、この撮像した画像および自機のセンサＩＤを収容した通信信号（画像通知通信信号）を管理サーバ装置ＳＶ宛に生成し、この通信信号を管理サーバ装置ＳＶへ返信する。
【００３１】
管理サーバ装置ＳＶは、前記所定のバイタルのデータを管理する装置である。管理サーバ装置ＳＶは、ネットワークＮＷを介してセンサ装置ＳＵと通信可能に接続され、センサ装置ＳＵから、センサ装置ＳＵに対応する被監視者Ｏｂにおけるバイタルのデータを受信し、この受信した被監視者Ｏｂにおけるバイタルのデータ、前記被監視者Ｏｂ、前記バイタル種情報、および、前記バイタルを取得した時を表す取得時情報を互いに対応付けて記憶（記録）する。センサ装置ＳＵは、被監視者Ｏｂに対応して設けられるので、本実施形態では、被監視者Ｏｂを表す情報としてセンサＩＤが用いられる。なお、被監視者Ｏｂを表す情報は、これに限定されるものではなく、被監視者Ｏｂの名が用いられても良い。前記取得時情報は、本実施形態では、年月日時分で表した取得時刻が用いられる。なお、前記取得時情報は、これに限定されるものではなく、年月日時で表されて良く、また年月日で表されて良く、あるいは、取得バイタル通知通信信号の受信時刻が用いられても良い。管理サーバ装置ＳＶは、ネットワークＮＷを介して端末装置ＳＰ、ＴＡと通信可能に接続され、端末装置ＳＰ、ＴＡからの要求に応じてバイタルのデータを端末装置ＳＰ、ＴＡへ送信（返信）し、端末装置ＳＰ、ＴＡは、この受信したバイタルのデータを表示する。このような管理サーバ装置ＳＶは、例えば、図３に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００３２】
ＳＶ通信ＩＦ部２１は、ＳＵ通信ＩＦ部１３と同様に、ＳＶ制御処理部２２に接続され、ＳＶ制御処理部２２の制御に従って通信を行うための通信回路である。ＳＶ通信ＩＦ部２１は、例えばデータ通信カードや、ＩＥＥＥ８０２．１１規格等に従った通信インターフェース回路等である。
【００３３】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、バイタルのデータに関する所定の情報処理を実行するＳＶバイタル処理プログラムや、年月日時分で計時するＳＶ時計プログラム等の制御処理プログラムが含まれる。前記各種の所定のデータには、自機の、管理サーバ装置ＳＶを特定し管理サーバ装置ＳＶを識別するための識別子であるサーバ識別子（サーバＩＤ）や、バイタル情報や、マーキング条件情報等の各プログラムを実行する上で必要なデータ等が含まれる。ＳＶ記憶部２３は、例えばＲＯＭ、ＥＥＰＲＯＭおよびＲＡＭ等を備える。そして、ＳＶ記憶部２３は、前記バイタル情報およびマーキング条件情報それぞれを記憶するために、バイタル情報記憶部２３１およびマーキング条件情報記憶部２３２を機能的に備える。
【００３４】
バイタル情報記憶部２３１は、前記バイタル情報として、被監視者Ｏｂ、バイタルの種類を表す前記バイタル種情報、前記被監視者Ｏｂにおける前記バイタルのデータ、前記バイタルを取得した時を表す前記取得時情報を互いに対応付けて記憶するものである。このバイタル情報は、本実施形態では、テーブル形式でバイタル情報記憶部２３１に記憶されている。このバイタル情報を登録するバイタル情報テーブルＶＴは、例えば、図４に示すように、前記取得時情報を一例として年月日時分の取得時刻で登録する取得時フィールド２３１１と、前記取得時フィールド２３１１に登録された取得時刻で取得されたバイタルのバイタル種情報を一例としてバイタルの種類名で登録するバイタル種類名フィールド２３１２と、前記取得時フィールド２３１１に登録された取得時刻で取得されたバイタルのデータを登録するバイタルデータフィールド２３１３とを備え、バイタルのデータごとにレコードを持つ。
【００３５】
そして、このようなバイタル情報テーブルＶＴ（ＶＴ−１、ＶＴ−２、ＶＴ−３、・・・）は、各被監視者Ｏｂ（センサ装置ＳＵ）ごとに用意され、各被監視者Ｏｂそれぞれに対応して設けられるセンサ装置ＳＵのセンサＩＤと対応付けられている。図４には、被監視者名「Ａさん」に対応して設けられた第１センサ装置ＳＵ−１のセンサＩＤ「ＳＵ−１」に対応付けられたバイタル情報テーブルＶＴ−１が一例として示されている。なお、バイタル情報テーブルＶＴは、センサＩＤに代え、あるいは、そのセンサＩＤに追加して、被監視者Ｏｂの名（上述の例では「Ａさん」）に対応付けられても良い。
【００３６】
マーキング条件情報記憶部２３２は、所定のマークを付与するマーキング条件を表すマーキング条件情報をバイタルの種類に対応付けて記憶するものである。前記マーキング条件は、バイタルの種類に応じて、予め適宜に設定されて良いが、好ましくは、前記マーキング条件は、バイタル（バイタルサイン）が異常値以上であることである。このマーキング条件情報は、本実施形態では、テーブル形式でマーキング条件情報記憶部２３２に記憶されている。このマーキング条件情報を登録するマーキング条件情報テーブルＣＴは、例えば、図５に示すように、バイタルの種類をその種類名で登録するバイタル種類名フィールド２３２１と、バイタル種類名フィールド２３２１に登録されたバイタルの種類に対応したマーキング条件を登録するマーキング条件フィールド２３２２とを備え、バイタルの種類ごとにレコードを持つ。図５に示す例では、バイタルの種類が「体温」である場合、そのマーキング条件は、体温が異常である条件（体温異常条件）を表す「３７℃以上」であり、バイタルの種類が「血圧」である場合、そのマーキング条件は、血圧が異常である条件（血圧異常条件）を表す「最高血圧が１４０以上、または、最低血圧が９０以上」であり、バイタルの種類が「微体動数（呼吸数）」である場合、そのマーキング条件は、微体動数（呼吸数）が異常である条件（微体動数（呼吸数）異常条件）を表す「１分当たり１５回以下、または、２０回以上」であり、そして、バイタルの種類が「睡眠状態」である場合、そのマーキング条件は、睡眠が異常である条件（睡眠異常条件）を表す「一晩当たりの累積睡眠時間が４時間未満」である。
【００３７】
ＳＶ制御処理部２２は、管理サーバ装置ＳＶの各部を当該各部の機能に応じてそれぞれ制御し、バイタルのデータを管理するための回路である。ＳＶ制御処理部２２は、例えば、ＣＰＵおよびその周辺回路を備えて構成される。ＳＶ制御処理部２２は、前記制御処理プログラムが実行されることによって、サーバ側制御部（ＳＶ制御部）２２１、サーバ側バイタル処理部（ＳＶバイタル処理部）２２２およびサーバ側時計部（ＳＶ時計部）２２３を機能的に備える。
【００３８】
ＳＶ制御部２２１は、管理サーバ装置ＳＶの各部を当該各部の機能に応じてそれぞれ制御し、管理サーバ装置ＳＶの全体制御を司るものである。
【００３９】
ＳＶ時計部２２３は、年月日時分で計時するものである。
【００４０】
ＳＶバイタル処理部２２２は、バイタルのデータに関する所定の情報処理を実行するものである。
【００４１】
より具体的には、まず、ＳＶバイタル処理部２２２は、センサ装置ＳＵからバイタル情報を受信すると、この受信したバイタル情報をＳＶ記憶部２３のバイタル情報記憶部２３１に記憶（記録）する。より詳しくは、ＳＶバイタル処理部２２２は、センサ装置ＳＵから取得バイタル通知通信信号を受信すると、この受信した取得バイタル通知通信信号に収容されたセンサＩＤに対応するバイタル情報テーブルＶＴをバイタル情報記憶部２３１から検索し、この検索したバイタル情報テーブルＶＴに新たなレコードを生成し、この生成したレコードにおける取得時フィールド２３１１、バイタル種類名フィールド２３１２およびバイタルデータフィールド２３１３それぞれに、前記受信した取得バイタル通知通信信号に収容された取得時刻、バイタル種情報およびバイタルのデータを登録する。
【００４２】
ＳＶバイタル処理部２２２は、端末装置ＳＰ、ＴＡから、後述のバイタルデータ総合表示画面を要求する通信信号（総合表示画面要求通信信号）を受信すると、後述のように前記受信した総合表示画面要求通信信号に収容された情報に応じたバイタルデータ総合表示画面を生成し、この生成したバイタルデータ総合表示画面を収容した通信信号（総合表示画面通知通信信号）を生成し、この生成した総合表示画面通知通信信号を、前記総合表示画面要求通信信号の送信元である端末装置ＳＰ、ＴＡへ返信する。
【００４３】
ＳＶバイタル処理部２２２は、被監視者Ｏｂ、バイタル種情報および取得時情報を指定してバイタルのデータを要求する第１通信信号（バイタル表示要求通信信号）を端末装置ＳＰ、ＴＡから受信した場合に、前記バイタル表示要求通信信号で指定された前記取得時情報を含み、かつ、所定のデフォルト期間幅を持つ第１期間幅を表示期間幅とし、前記表示期間幅での、前記バイタル表示要求通信信号で指定された被監視者Ｏｂおよびバイタル種情報に対応するバイタルのデータを、バイタル情報記憶部２３１から取り出して前記表示期間幅での前記バイタルのデータを端末装置ＳＰ、ＴＡに表示させる第２通信信号（バイタル表示通知通信信号）を端末装置ＳＰ、ＴＡへ返信する。
【００４４】
前記デフォルト期間幅（初期期間幅、延長期間を含まない最初の期間幅）は、好ましくは、前記取得時情報で表される時を起点に過去へ５日間、７日間（１週間）、１０日間および１４日間（２週間）のうちのいずれか１つである。また好ましくは、前記デフォルト期間幅は、前記取得時情報で表される時を中央に設定した５日間、７日間（１週間）、９日間および１３日間のうちのいずれか１つである。また好ましくは、前記デフォルト期間幅は、前記取得時情報で表される時を終点に未来へ５日間、７日間（１週間）、１０日間および１４日間（２週間）のうちのいずれか１つである。本実施形態では、一例として、前記デフォルト期間幅は、前記取得時情報で表される時を起点に過去へ７日間（１週間）である。
【００４５】
ＳＶバイタル処理部２２２は、前記バイタル表示通知通信信号を返信した端末装置ＳＰ、ＴＡから、前記表示期間幅の延長を要求する第３通信信号（延長要求通信信号）を受信した場合に、前記表示期間幅を所定の延長期間幅だけ延長した第２期間幅を新たに前記表示期間幅とし、少なくとも前記延長期間幅での、前記バイタル表示通知通信信号によって前記端末装置ＳＰ、ＴＡに表示させている前記バイタルのデータにおける前記被監視者Ｏｂおよび前記バイタル種情報に対応するバイタルのデータを、バイタル情報記憶部２３１から取り出して前記表示期間幅での前記バイタルのデータを前記端末装置ＳＰ、ＴＡに表示させる第４通信信号を新たに前記バイタル表示通知通信信号として前記端末装置ＳＰ、ＴＡへ返信する。より具体的には、ＳＶバイタル処理部２２２は、前記表示期間幅を所定の延長期間幅だけ過去へ延長した第２期間幅を新たに前記表示期間幅とする。バイタル処理部２２２は、前記表示期間幅を所定の延長期間幅だけ未来へ延長した第２期間幅を新たに前記表示期間幅とする。より詳しくは、ＳＶバイタル処理部２２２は、前記バイタル表示通知通信信号を返信した端末装置ＳＰ、ＴＡから、前記表示期間幅の過去へ延長を要求する第３Ａ通信信号（過去延長要求通信信号）を受信した場合に、前記表示期間幅を所定の延長期間幅だけ過去へ延長した第２Ａ期間幅を新たに前記表示期間幅とし、少なくとも前記延長期間幅での、前記バイタル表示通知通信信号によって前記端末装置ＳＰ、ＴＡに表示させている前記バイタルのデータにおける前記被監視者Ｏｂおよび前記バイタル種情報に対応するバイタルのデータを、バイタル情報記憶部２３１から取り出して前記表示期間幅での前記バイタルのデータを前記端末装置ＳＰ、ＴＡに表示させる第４Ａ通信信号を新たに前記バイタル表示通知通信信号として前記端末装置ＳＰ、ＴＡへ返信する。ＳＶバイタル処理部２２２は、前記バイタル表示通知通信信号を返信した端末装置ＳＰ、ＴＡから、前記表示期間幅の未来へ延長を要求する第３Ｂ通信信号（未来延長要求通信信号）を受信した場合に、前記表示期間幅を所定の延長期間幅だけ未来へ延長した第２Ｂ期間幅を新たに前記表示期間幅とし、少なくとも前記延長期間幅での、前記バイタル表示通知通信信号によって前記端末装置ＳＰ、ＴＡに表示させている前記バイタルのデータにおける前記被監視者Ｏｂおよび前記バイタル種情報に対応するバイタルのデータを、バイタル情報記憶部２３１から取り出して前記表示期間幅での前記バイタルのデータを前記端末装置ＳＰ、ＴＡに表示させる第４Ｂ通信信号を新たに前記バイタル表示通知通信信号として前記端末装置ＳＰ、ＴＡへ返信する。
【００４６】
前記延長期間幅は、好ましくは、１日、２日、３日、前記デフォルト期間幅の半分を越えない直近の整数日数（＝ＩＮＴ（（前記デフォルト期間幅）／２））、前記デフォルト期間幅の３分の１を越えない直近の整数日数（＝ＩＮＴ（（前記デフォルト期間幅）／３））、前記デフォルト期間幅の４分の１を越えない直近の整数日数（＝ＩＮＴ（（前記デフォルト期間幅）／４））のうちのいずれか１つである。なお、ＩＮＴ（ｘ）は、ｘを越えない直近の整数値を出力する演算子である。本実施形態では、一例として、前記延長期間幅は、１日である。
【００４７】
ＳＶバイタル処理部２２２は、前記第１通信信号および前記第３通信信号のうちの少なくとも一方を所定の時間内（例えば３分以内や５分以内等）に受信しない場合に、前記表示期間幅を前記デフォルト期間幅に戻して新たに前記表示期間幅とする。
【００４８】
ＳＶバイタル処理部２２２は、前記第４通信信号を新たに前記バイタル表示通知通信信号として端末装置ＳＰ、ＴＡへ返信した場合であって、前記端末装置ＳＰ、ＴＡから、前記バイタル表示通知通信信号によって前記端末装置ＳＰ、ＴＡに表示させている前記バイタルのデータにおけるバイタルの種類と異なるバイタルの種類を表すバイタル種情報を指定して前記バイタルのデータを要求する第５通信信号（種類変更要求通信信号）を受信した場合に、前記表示期間幅での、前記バイタル表示通知通信信号によって前記端末装置ＳＰ、ＴＡに表示させている前記バイタルのデータにおける前記被監視者Ｏｂ、および、前記種類変更要求通信信号で指定された前記バイタル種情報、に対応するバイタルのデータを、バイタル情報記憶部２３１から取り出して前記表示期間幅での前記バイタルのデータを前記端末装置ＳＰ、ＴＡに表示させる第６通信信号を新たにバイタル表示通知通信信号として前記端末装置ＳＰ、ＴＡへ返信する。
【００４９】
ＳＶバイタル処理部２２２は、さらに、前記バイタル表示通知通信信号を端末装置ＳＰ、ＴＡへ返信した場合であって、前記端末装置ＳＰ、ＴＡから、前記取得時情報の変更を要求する第７通信信号（表示期間変更要求通信信号）を受信した場合に、前記バイタル表示通知通信信号によって前記端末装置ＳＰ、ＴＡに表示させている前記バイタルのデータにおける前記表示期間幅に対応する取得時情報に対し前記表示期間幅だけずらした取得時情報を含み、かつ、前記表示期間幅と同じ期間幅を持つ第３期間幅を新たに前記表示期間幅とし、前記表示期間幅での、前記バイタル表示通知通信信号によって前記端末装置に表示させている前記バイタルのデータにおける前記被監視者および前記バイタル種情報に対応するバイタルのデータを、バイタル情報記憶部２３１から取り出して前記表示期間幅での前記バイタルのデータを前記端末装置ＳＰ、ＴＡに表示させる第８通信信号を新たに前記バイタル表示通知通信信号として前記端末装置ＳＰ、ＴＡへ返信する。より詳しくは、ＳＶバイタル処理部２２２は、前記バイタル表示通知通信信号を端末装置ＳＰ、ＴＡへ返信した場合であって、前記端末装置ＳＰ、ＴＡから、前記取得時情報を過去への変更を要求する第７Ａ通信信号（表示期間過去変更要求通信信号）を受信した場合に、前記バイタル表示通知通信信号によって前記端末装置ＳＰ、ＴＡに表示させている前記バイタルのデータにおける前記表示期間幅に対応する取得時情報に対し前記表示期間幅だけ過去へずらした取得時情報を含み、かつ、前記表示期間幅と同じ期間幅を持つ第３Ａ期間幅を新たに前記表示期間幅とし、前記表示期間幅での、前記バイタル表示通知通信信号によって前記端末装置ＳＰ、ＴＡに表示させている前記バイタルのデータにおける前記被監視者Ｏｂおよび前記バイタル種情報に対応するバイタルのデータを、バイタル情報記憶部２３１から取り出して前記表示期間幅での前記バイタルのデータを前記端末装置ＳＰ、ＴＡに表示させる第８Ａ通信信号を新たに前記バイタル表示通知通信信号として前記端末装置ＳＰ，ＴＡへ返信する。ＳＶバイタル処理部２２２は、前記バイタル表示通知通信信号を端末装置ＳＰ、ＴＡへ返信した場合であって、前記端末装置ＳＰ、ＴＡから、前記取得時情報を未来への変更を要求する第７Ｂ通信信号（表示期間未来変更要求通信信号）を受信した場合に、前記バイタル表示通知通信信号によって前記端末装置ＳＰ、ＴＡに表示させている前記バイタルのデータにおける前記表示期間幅に対応する取得時情報に対し前記表示期間幅だけ未来へずらした取得時情報を含み、かつ、前記表示期間幅と同じ期間幅を持つ第３Ｂ期間幅を新たに前記表示期間幅とし、前記表示期間幅での、前記バイタル表示通知通信信号によって前記端末装置ＳＰ、ＴＡに表示させている前記バイタルのデータにおける前記被監視者Ｏｂおよび前記バイタル種情報に対応するバイタルのデータを、バイタル情報記憶部２３１から取り出して前記表示期間幅での前記バイタルのデータを前記端末装置ＳＰ、ＴＡに表示させる第８Ｂ通信信号を新たに前記バイタル表示通知通信信号として前記端末装置ＳＰ、ＴＡへ返信する。
【００５０】
ＳＶバイタル処理部２２２は、前記バイタル表示通知通信信号を端末装置ＳＰ、ＴＡへ返信する場合に、前記マーキング条件情報で表されるマーキング条件を満たすバイタルのデータには所定のマークを付してから、前記バイタル表示通知通信信号を端末装置ＳＰ、ＴＡへ返信する。前記所定のマークは、適宜に設定され、例えば、マーキング条件を満たすバイタルのデータを囲む「丸印（○）」である。また例えば、前記所定のマークは、マーキング条件を満たすバイタルのデータを指す「矢符（→）」である。
【００５１】
ＳＶバイタル処理部２２２は、前記バイタル表示通知通信信号を端末装置ＳＰ、ＴＡへ返信した場合であって、前記端末装置ＳＰ、ＴＡから、バイタルの種類が同一であるバイタルのデータの中でマーキング条件を満たすバイタルのデータの検索を要求する第９通信信号（同種検索要求通信信号）を受信した場合に、前記バイタル表示通知通信信号によって前記端末装置ＳＰ、ＴＡに表示させている前記バイタルのデータにおけるバイタルの種類に対応するマーキング条件情報をマーキング条件情報記憶部２３２から取り出し、前記バイタル表示通知通信信号によって前記端末装置ＳＰ、ＴＡに表示させている前記バイタルのデータにおけるバイタルの種類で、前記バイタル表示通知通信信号によって前記端末装置ＳＰ、ＴＡに表示させている前記バイタルのデータにおける前記表示期間幅ごとに、前記バイタル表示通知通信信号によって前記端末装置ＳＰ、ＴＡに表示させている前記バイタルのデータに対し直近であって、かつ、前記取り出したマーキング条件情報で表されるマーキング条件を満たすバイタルのデータを検索し、前記検索された前記マーキング条件を満たすバイタルのデータに対応する前記表示期間幅での、前記第２通信信号によって前記端末装置に表示させている前記バイタルのデータにおける前記被監視者Ｏｂおよび前記バイタル種情報に対応するバイタルのデータを、バイタル情報記憶部２３１から取り出して前記表示期間幅での前記バイタルのデータを、前記マーキング条件を満たすバイタルのデータにはマークを付して前記端末装置ＳＰ、ＴＡに表示させる第１０通信信号を新たに前記バイタル表示通知通信信号として前記端末装置ＳＰ、ＴＡへ返信する。より詳しくは、ＳＶバイタル処理部２２２は、前記バイタル表示通知通信信号を端末装置ＳＰ、ＴＡへ返信した場合であって、前記端末装置ＳＰ、ＴＡから、バイタルの種類が同一であるバイタルのデータの中でマーキング条件を満たすバイタルのデータに対する過去への検索を要求する第９Ａ通信信号（同種過去検索要求通信信号）を受信した場合に、前記バイタル表示通知通信信号によって前記端末装置ＳＰ、ＴＡに表示させている前記バイタルのデータにおけるバイタルの種類に対応するマーキング条件情報をマーキング条件情報記憶部２３２から取り出し、前記バイタル表示通知通信信号によって前記端末装置ＳＰ、ＴＡに表示させている前記バイタルのデータにおけるバイタルの種類で、前記バイタル表示通知通信信号によって前記端末装置ＳＰ、ＴＡに表示させている前記バイタルのデータにおける前記表示期間幅ごとに、前記バイタル表示通知通信信号によって前記端末装置ＳＰ、ＴＡに表示させている前記バイタルのデータに対し過去の直近であって、かつ、前記取り出したマーキング条件情報で表されるマーキング条件を満たすバイタルのデータを検索し、前記検索された前記マーキング条件を満たすバイタルのデータに対応する前記表示期間幅での、前記バイタル表示通知通信信号によって前記端末装置ＳＰ、ＴＡに表示させている前記バイタルのデータにおける前記被監視者Ｏｂおよび前記バイタル種情報に対応するバイタルのデータを、バイタル情報記憶部２３１から取り出して前記表示期間幅での前記バイタルのデータを、前記マーキング条件を満たすバイタルのデータにはマークを付して前記端末装置ＳＰ、ＴＡに表示させる第１０Ａ通信信号を新たに前記第２通信信号として前記端末装置ＳＰ、ＴＡへ返信する。ＳＶバイタル処理部２２２は、前記バイタル表示通知通信信号を端末装置ＳＰ、ＴＡへ返信した場合であって、前記端末装置ＳＰ、ＴＡから、バイタルの種類が同一であるバイタルのデータの中でマーキング条件を満たすバイタルのデータに対する未来への検索を要求する第９Ｂ通信信号（同種未来検索要求通信信号）を受信した場合に、前記バイタル表示通知通信信号によって前記端末装置ＳＰ、ＴＡに表示させている前記バイタルのデータにおけるバイタルの種類に対応するマーキング条件情報をマーキング条件情報記憶部２３２から取り出し、前記バイタル表示通知通信信号によって前記端末装置ＳＰ、ＴＡに表示させている前記バイタルのデータにおけるバイタルの種類で、前記バイタル表示通知通信信号によって前記端末装置ＳＰ、ＴＡに表示させている前記バイタルのデータにおける前記表示期間幅ごとに、前記バイタル表示通知通信信号によって前記端末装置ＳＰ、ＴＡに表示させている前記バイタルのデータに対し未来の直近であって、かつ、前記取り出したマーキング条件情報で表されるマーキング条件を満たすバイタルのデータを検索し、前記検索された前記マーキング条件を満たすバイタルのデータに対応する前記表示期間幅での、前記バイタル表示通知通信信号によって前記端末装置ＳＰ、ＴＡに表示させている前記バイタルのデータにおける前記被監視者Ｏｂおよび前記バイタル種情報に対応するバイタルのデータを、バイタル情報記憶部２３１から取り出して前記表示期間幅での前記バイタルのデータを、前記マーキング条件を満たすバイタルのデータにはマークを付して前記端末装置ＳＰ、ＴＡに表示させる第１０Ｂ通信信号を新たに前記第２通信信号として前記端末装置ＳＰ、ＴＡへ返信する。
【００５２】
ＳＶバイタル処理部２２２は、前記バイタル表示通知通信信号を端末装置ＳＰ、ＴＡへ返信した場合であって、前記端末装置ＳＰ、ＴＡから、全てのバイタルの種類におけるバイタルのデータの中でマーキング条件を満たすバイタルのデータの検索を要求する第１１通信信号（全種検索要求通信信号）を受信した場合に、全てのバイタルの種類に対応するマーキング条件情報をマーキング条件情報記憶部２３２から取り出し、前記バイタル表示通知通信信号によって前記端末装置ＳＰ、ＴＡに表示させている前記バイタルのデータにおける前記表示期間幅ごとに、前記バイタル表示通知通信信号によって前記端末装置ＳＰ、ＴＡに表示させている前記バイタルのデータに対し直近であって、かつ、全てのバイタルの種類の中のいずれかで前記取り出したマーキング条件情報で表されるマーキング条件を満たすバイタルのデータを検索し、前記検索された前記マーキング条件を満たすバイタルのデータに対応する前記表示期間幅での、前記バイタル表示通知通信信号によって前記端末装置ＳＰ、ＴＡに表示させている前記バイタルのデータにおける前記被監視者Ｏｂおよび前記検索された前記マーキング条件を満たすバイタルのデータにおける前記バイタル種情報に対応するバイタルのデータを、バイタル情報記憶部２３１から取り出して前記表示期間幅での前記バイタルのデータを、前記マーキング条件を満たすバイタルのデータにはマークを付して前記端末装置ＳＰ、ＴＡに表示させる第１２通信信号を新たに前記バイタル表示通知通信信号として前記端末装置ＳＰ、ＴＡへ返信する。より詳しくは、ＳＶバイタル処理部２２２は、前記バイタル表示通知通信信号を端末装置ＳＰ、ＴＡへ返信した場合であって、前記端末装置ＳＰ、ＴＡから、全てのバイタルの種類におけるバイタルのデータの中でマーキング条件を満たすバイタルのデータに対する過去への検索を要求する第１１Ａ通信信号（全種過去検索通信信号）を受信した場合に、全てのバイタルの種類に対応するマーキング条件情報をマーキング条件情報記憶部２３２から取り出し、前記バイタル表示通知通信信号によって前記端末装置ＳＰ、ＴＡに表示させている前記バイタルのデータにおける前記表示期間幅ごとに、前バイタル表示通知通信信号によって前記端末装置ＳＰ、ＴＡに表示させている前記バイタルのデータに対し過去の直近であって、かつ、全てのバイタルの種類の中のいずれかで前記取り出したマーキング条件情報で表されるマーキング条件を満たすバイタルのデータを検索し、前記検索された前記マーキング条件を満たすバイタルのデータに対応する前記表示期間幅での、前記バイタル表示通知通信信号によって前記端末装置ＳＰ、ＴＡに表示させている前記バイタルのデータにおける前記被監視者Ｏｂおよび前記検索された前記マーキング条件を満たすバイタルのデータにおける前記バイタル種情報に対応するバイタルのデータを、バイタル情報記憶部２３１から取り出して前記表示期間幅での前記バイタルのデータを、前記マーキング条件を満たすバイタルのデータにはマークを付して前記端末装置ＳＰ、ＴＡに表示させる第１２Ａ通信信号を新たに前記バイタル表示通知通信信号として前記端末装置ＳＰ、ＴＡへ返信する。ＳＶバイタル処理部２２２は、前記バイタル表示通知通信信号を端末装置ＳＰ、ＴＡへ返信した場合であって、前記端末装置ＳＰ、ＴＡから、全てのバイタルの種類におけるバイタルのデータの中でマーキング条件を満たすバイタルのデータに対する未来への検索を要求する第１１Ｂ通信信号（全種未来検索通信信号）を受信した場合に、全てのバイタルの種類に対応するマーキング条件情報をマーキング条件情報記憶部２３２から取り出し、前記バイタル表示通知通信信号によって前記端末装置ＳＰ、ＴＡに表示させている前記バイタルのデータにおける前記表示期間幅ごとに、前バイタル表示通知通信信号によって前記端末装置ＳＰ、ＴＡに表示させている前記バイタルのデータに対し未来の直近であって、かつ、全てのバイタルの種類の中のいずれかで前記取り出したマーキング条件情報で表されるマーキング条件を満たすバイタルのデータを検索し、前記検索された前記マーキング条件を満たすバイタルのデータに対応する前記表示期間幅での、前記バイタル表示通知通信信号によって前記端末装置ＳＰ、ＴＡに表示させている前記バイタルのデータにおける前記被監視者Ｏｂおよび前記検索された前記マーキング条件を満たすバイタルのデータにおける前記バイタル種情報に対応するバイタルのデータを、バイタル情報記憶部２３１から取り出して前記表示期間幅での前記バイタルのデータを、前記マーキング条件を満たすバイタルのデータにはマークを付して前記端末装置ＳＰ、ＴＡに表示させる第１２Ｂ通信信号を新たに前記バイタル表示通知通信信号として前記端末装置ＳＰ、ＴＡへ返信する。
【００５３】
なお、管理サーバ装置ＳＶは、図３に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データ等を出力するサーバ側出力部（ＳＶ出力部）２５、および、外部機器との間でデータの入出力を行うサーバ側インターフェース部（ＳＶＩＦ部）２６等を備えても良い。
【００５４】
このような管理サーバ装置ＳＶは、例えば、通信機能付きのコンピュータによって構成可能である。
【００５５】
固定端末装置ＳＰは、ネットワークＮＷを介して管理サーバ装置ＳＶや携帯端末装置ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られたバイタルのデータを表示したり等することによって、被監視者監視支援システムＭＳのユーザインターフェース（ＵＩ）として機能する機器である。このような固定端末装置ＳＰは、例えば、通信機能付きのコンピュータによって構成可能である。なお、前記端末装置の一例としての固定端末装置ＳＰは、携帯端末装置ＴＡと同様に動作するが、本明細書では、前記端末装置の他の一例である携帯端末装置ＴＡについて説明される。
【００５６】
携帯端末装置ＴＡは、ネットワークＮＷを介して管理サーバ装置ＳＶや固定端末装置ＳＰと通信する通信機能、所定の情報を表示する表示機能、および、所定の指示やデータを入力する入力機能等を備え、管理サーバ装置ＳＶに与える所定の指示やデータを入力したり、センサ装置ＳＵで得られたバイタルのデータを表示したり等するための機器である。このような携帯端末装置ＴＡは、本実施形態では、例えば、図６に示すように、端末側通信インターフェース部（ＴＡ通信ＩＦ部）３１と、端末側制御処理部（ＴＡ制御処理部）３２と、端末側記憶部（ＴＡ記憶部）３３と、端末側入力部（ＴＡ入力部）３４と、端末側表示部（ＴＡ表示部）３５と、端末側インターフェース部（ＴＡＩＦ部）３６と、端末側音入出力部（ＴＡ音入出力部）３７とを備える。
【００５７】
ＴＡ入力部３４は、ＴＡ制御処理部３２に接続され、例えば、所定の操作を受け付け、携帯端末装置ＴＡに入力する回路であり、例えば、所定の機能を割り付けられた複数の入力スイッチ等である。前記所定の操作には、例えば、ログインするためのＩＤの入力操作や、音声通話の要求操作およびその終了操作や、バイタルのデータの表示要求操作およびその終了操作等の、監視する上で必要な各種操作等が含まれる。ＴＡ表示部３５は、ＴＡ制御処理部３２に接続され、ＴＡ制御処理部３２の制御に従って、ＴＡ入力部３４から入力された所定の操作内容や、被監視者監視支援システムＭＳによって監視されている被監視者Ｏｂに対するバイタルのデータ等を表示する回路であり、例えばＬＣＤ（液晶ディスプレイ）および有機ＥＬディスプレイ等の表示装置である。そして、本実施形態では、ＴＡ入力部３４およびＴＡ表示部３５からタッチパネルが構成されている。この場合において、ＴＡ入力部３４は、例えば抵抗膜方式や静電容量方式等の操作位置を検出して入力する位置入力デバイスである。このタッチパネルでは、ＴＡ表示部３５の表示面上に位置入力デバイスが設けられ、ＴＡ表示部３５に入力可能な１または複数の入力内容の候補が表示され、例えば看護師や介護士等のユーザ（監視者。サービス提供者）が、入力したい入力内容を表示した表示位置を触れると、位置入力デバイスによってその位置が検出され、検出された位置に表示された表示内容がユーザの操作入力内容として携帯端末装置ＴＡに入力される。
【００５８】
ＴＡＩＦ部３６は、ＴＡ制御処理部３２に接続され、ＴＡ制御処理部３２の制御に従って、外部機器との間でデータの入出力を行う回路であり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００５９】
ＴＡ通信ＩＦ部３１は、ＳＵ通信ＩＦ部１３と同様に、ＴＡ制御処理部３２に接続され、ＴＡ制御処理部３２の制御に従って通信を行うための通信回路であり、例えばデータ通信カードや、ＩＥＥＥ８０２．１１規格等に従った通信インターフェース回路等である。
【００６０】
ＴＡ音入出力部３７は、音を入出力する回路である。すなわち、ＴＡ音入出力部３７は、ＴＡ制御処理部３２に接続され、ＴＡ制御処理部３２の制御に従って音を表す電気信号に応じた音を生成して出力するための回路であって、外部の音を取得して携帯端末装置ＴＡに入力するための回路である。ＴＡ音入出力部３７は、例えば、音の電気信号（音データ）を音の機械振動信号（音響信号）に変換するスピーカ等と、可聴領域の音の機械振動信号を電気信号に変換するマイクロフォン等とを備えて構成される。ＴＡ音入出力部３７は、外部の音を表す電気信号をＴＡ制御処理部３２へ出力し、また、ＴＡ制御処理部３２から入力された電気信号を音の機械振動信号に変換して出力する。
【００６１】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、バイタルのデータに関する所定の情報処理を実行するＴＡバイタル処理プログラムや、年月日時分で計時するＴＡ時計プログラム等の制御処理プログラムが含まれる。前記各種の所定のデータでは、自機の端末ＩＤ、ＴＡ表示部３５に表示される画面情報、被監視者Ｏｂのバイタル情報等の各プログラムを実行する上で必要なデータ等が含まれる。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。
【００６２】
ＴＡ制御処理部３２は、携帯端末装置ＴＡの各部を当該各部の機能に応じてそれぞれ制御し、被監視者Ｏｂにおけるバイタルのデータを受信して表示するための回路である。ＴＡ制御処理部３２は、例えば、ＣＰＵおよびその周辺回路を備えて構成される。ＴＡ制御処理部３２は、制御処理プログラムが実行されることによって、端末側制御部（ＴＡ制御部）３２１、端末側バイタル処理部（ＴＡバイタル処理部）３２２および端末側時計部（ＴＡ時計部）３２３を機能的に備える。
【００６３】
ＴＡ制御部３２１は、携帯端末装置ＴＡの各部を当該各部の機能に応じてそれぞれ制御し、携帯端末装置ＴＡの全体制御を司るものである。
【００６４】
ＴＡバイタル処理部３２２は、バイタルのデータに関する所定の情報処理を実行するものである。より具体的には、ＴＡバイタル処理部３２２は、後述するように、ユーザによる前記タッチパネルを用いた入力操作に応じた通信信号を管理サーバ装置ＳＶへ送信し、その返信の通信信号を受信し、この受信した通信信号に収容されたバイタルのデータをＴＡ表示部３５に表示する。
【００６５】
ＴＡ時計部３２３は、年月日時分で計時するものである。
【００６６】
このような携帯端末装置ＴＡは、例えば、いわゆるタブレット型コンピュータやスマートフォンや携帯電話機等の、持ち運び可能な通信端末装置によって構成可能である。
【００６７】
次に、本実施形態の動作について説明する。図７は、前記管理サーバ装置におけるバイタル処理に関する動作を示すフローチャートである。図８は、前記携帯端末装置におけるバイタル情報表示センター画面での動作を示すフローチャートである。図９は、前記携帯端末装置における各バイタル情報表示画面での動作を示すフローチャートである。図１０は、前記管理サーバ装置および前記携帯端末装置それぞれにおける各バイタル情報表示に関する動作を示すシーケンス図である。図１１は、前記管理サーバ装置および前記携帯端末装置それぞれにおける期間幅過去延長表示に関する動作を示すシーケンス図である。図１２は、前記管理サーバ装置および前記携帯端末装置それぞれにおける期間幅未来延長表示に関する動作を示すシーケンス図である。図１３は、前記管理サーバ装置および前記携帯端末装置それぞれにおけるバイタル種類変更表示に関する動作を示すシーケンス図である。図１４は、前記管理サーバ装置および前記携帯端末装置それぞれにおける表示期間過去変更表示に関する動作を示すシーケンス図である。図１５は、前記管理サーバ装置および前記携帯端末装置それぞれにおける表示期間未来変更表示に関する動作を示すシーケンス図である。図１６は、前記管理サーバ装置および前記携帯端末装置それぞれにおけるマーキング条件同種過去検索表示に関する動作を示すシーケンス図である。図１７は、前記管理サーバ装置および前記携帯端末装置それぞれにおけるマーキング条件同種未来検索表示に関する動作を示すシーケンス図である。図１８は、前記管理サーバ装置および前記携帯端末装置それぞれにおけるマーキング条件全種過去検索表示に関する動作を示すシーケンス図である。図１９は、前記管理サーバ装置および前記携帯端末装置それぞれにおけるマーキング条件全種未来検索表示に関する動作を示すシーケンス図である。図２０は、前記携帯端末装置に表示されるバイタルデータ総合表示画面の一例を示す図である。図２１は、前記携帯端末装置に表示される体温データ表示画面の一例を示す図である。図２２は、前記携帯端末装置に表示される血圧脈拍データ表示画面の一例を示す図である。図２３は、前記携帯端末装置に表示される睡眠状態データ表示画面の一例を示す図である。図２４は、前記被監視者監視支援システムにおいて、期間変更、期間延長による一効果を説明するための図である。図２４Ａは、バイタル表示要求によってデフォルト期間幅の表示期間幅でバイタル期間データ表示領域６２２に表示される一例の体温のデータを示す。図２４Ｂは、図２４Ａに示す体温のデータがバイタル期間データ表示領域６２２に表示されている場合に、表示期間過去変更要求によって表示期間幅の１区間だけ過去へずれた表示期間幅でバイタル期間データ表示領域６２２に表示される一例の体温のデータを示す。図２４Ｃは、図２４Ａに示す体温のデータがバイタル期間データ表示領域６２２に表示されている場合に、過去延長要求によって延長期間幅だけ過去へ延長された表示期間幅でバイタル期間データ表示領域６２２に表示される一例の体温のデータを示す。
【００６８】
上記構成の被監視者監視支援システムＭＳでは、各装置ＳＵ、ＳＶ、ＳＰ、ＴＡは、電源が投入されると、必要な各部の初期化を実行し、その稼働を始める。センサ装置ＳＵでは、その制御処理プログラムの実行によって、ＳＵ制御処理部１２には、ＳＵ制御部１２１、バイタル送信処理部１２２、画像送信処理部１２３およびＳＵ時計部１２４が機能的に構成される。管理サーバ装置ＳＶでは、その制御処理プログラムの実行によって、ＳＶ制御処理部２２には、ＳＶ制御部２１１、ＳＶバイタル処理部２２２およびＳＶ時計部２２３が機能的に構成される。携帯端末装置ＴＡでは、その制御処理プログラムの実行によって、ＴＡ制御処理部３２には、ＴＡ制御部３２１およびＴＡバイタル処理部３２２が機能的に構成される。
【００６９】
まず、センサ装置ＳＵにおけるバイタルデータの取得に関する動作について説明する。センサ装置ＳＵでは、被監視者（サービス受益者）Ｏｂは、自己の対して配設されたセンサ装置ＳＵのバイタル測定部１１を用いることによって、例えば毎朝、体温、血圧および脈拍数を測定する。
【００７０】
より詳しくは、体温測定部（電子体温計）１１１は、この被監視者Ｏｂの測定動作によって被監視者Ｏｂの体温を測定すると、この測定した体温を自動的にＳＵ制御処理部１２へ出力する。ＳＵ制御処理部１２のバイタル送信処理部１２２は、体温測定部１１１から体温のデータが入力されると、ＳＵ時計部１２４から年月日日時で現在の時刻を取得時刻として取得し、自機のセンサＩＤ、バイタル種情報としての「体温」、前記体温のデータおよび前記取得時刻を収容した取得バイタル通知通信信号を管理サーバ装置ＳＶ宛に生成し、この取得バイタル通知通信信号をＳＵ通信ＩＦ部１３によってネットワークＮＷへ送信する。これによって被監視者Ｏｂにおける体温のデータがセンサ装置ＳＵから管理サーバ装置ＳＶへ送信される。
【００７１】
血圧脈拍測定部（電子血圧計）１１２は、この被監視者Ｏｂの測定動作によって被監視者Ｏｂの血圧（最高血圧および最低血圧）および脈拍数を測定すると、この測定した血圧および脈拍数を自動的にＳＵ制御処理部１２へ出力する。ＳＵ制御処理部１２のバイタル送信処理部１２２は、血圧脈拍測定部１１２から血圧および脈拍数の各データが入力されると、ＳＵ時計部１２４から年月日日時で現在の時刻を取得時刻として取得し、自機のセンサＩＤ、バイタル種情報としての「血圧」および「脈拍数」、前記血圧および脈拍数の各データおよび前記取得時刻を収容した取得バイタル通知通信信号を管理サーバ装置ＳＶ宛に生成し、この取得バイタル通知通信信号をＳＵ通信ＩＦ部１３によってネットワークＮＷへ送信する。これによって被監視者Ｏｂにおける血圧および脈拍数の各データがセンサ装置ＳＵから管理サーバ装置ＳＶへ送信される。
【００７２】
微体動数睡眠状態測定部１１３は、例えば、所定の時間間隔（例えば１０分、３０分、１時間等）ごとに微体動数（呼吸数）を測定し、この測定結果（微体動数（呼吸数））をＳＵ制御処理部１２へ出力する。ＳＵ制御処理部１２のバイタル送信処理部１２２は、微体動数睡眠状態測定部１１３から微体動数（呼吸数）のデータが入力されると、ＳＵ時計部１２４から年月日日時で現在の時刻を取得時刻として取得し、自機のセンサＩＤ、バイタル種情報としての「微体動数（呼吸数）」、前記微体動数（呼吸数）のデータおよび前記取得時刻を収容した取得バイタル通知通信信号を管理サーバ装置ＳＶ宛に生成し、この取得バイタル通知通信信号をＳＵ通信ＩＦ部１３によってネットワークＮＷへ送信する。これによって被監視者Ｏｂにおける微体動数（呼吸数）のデータがセンサ装置ＳＵから管理サーバ装置ＳＶへ送信される。
【００７３】
微体動数睡眠状態測定部１１３は、例えば数分ごとに睡眠状態を判定し、睡眠状態が変化した場合に、その睡眠状態をＳＵ制御処理部１２へ出力する。ＳＵ制御処理部１２のバイタル送信処理部１２２は、微体動数睡眠状態測定部１１３から睡眠状態の測定結果（睡眠状態のデータ）が入力されると、ＳＵ時計部１２４から年月日日時で現在の時刻を取得時刻として取得し、自機のセンサＩＤ、バイタル種情報としての「睡眠状態」、前記睡眠状態のデータおよび前記取得時刻を収容した取得バイタル通知通信信号を管理サーバ装置ＳＶ宛に生成し、この取得バイタル通知通信信号をＳＵ通信ＩＦ部１３によってネットワークＮＷへ送信する。これによって被監視者Ｏｂにおける睡眠状態のデータがセンサ装置ＳＵから管理サーバ装置ＳＶへ送信される。例えば、微体動数睡眠状態測定部１１３は、例えば５分ごとに睡眠状態を判定し、この判定の結果、覚醒中から睡眠開始への睡眠状態の変化を測定すると、この睡眠開始をＳＵ制御処理部１２へ出力する。この睡眠開始が入力されると、バイタル送信処理部１２２は、ＳＵ時計部１２４から年月日日時で現在の時刻を取得時刻として取得し、自機のセンサＩＤ、バイタル種情報としての睡眠状態、前記睡眠開始および前記取得時刻を収容した取得バイタル通知通信信号を管理サーバ装置ＳＶ宛に生成し、この取得バイタル通知通信信号をＳＵ通信ＩＦ部１３によってネットワークＮＷへ送信する。これによって被監視者Ｏｂにおける睡眠開始がセンサ装置ＳＵから管理サーバ装置ＳＶへ送信される。
【００７４】
センサ装置ＳＵは、自機に対応する被監視者Ｏｂにおけるバイタルのデータを取得するバイタルデータの取得に関し、このように動作している。
【００７５】
次に、管理サーバ装置ＳＶにおけるバイタルデータの管理に関する動作について説明する。図７において、管理サーバ装置ＳＶは、ＳＶ制御処理部２２のＳＶ制御部２２１によって、ＳＶ通信ＩＦ部２１で通信信号を受信したか否かを判定する（Ｓ１）。この判定の結果、通信信号を受信していない場合（Ｎｏ）には、管理サーバ装置ＳＶは、処理をＳ１に戻し、前記判定の結果、通信信号を受信している場合（Ｙｅｓ）には、管理サーバ装置ＳＶは、次の処理Ｓ２を実行する。すなわち、管理サーバ装置ＳＶは、通信信号の受信を待ち受けている。
【００７６】
処理Ｓ２では、管理サーバ装置ＳＶは、ＳＶ制御部２２１によって、この受信した通信信号の種類を判定する。この判定の結果、管理サーバ装置ＳＶは、前記受信した通信信号がバイタル表示要求通信信号である場合（バイタル表示要求）には、処理Ｓ３を実行した後に処理Ｓ１４を実行し、前記受信した通信信号が過去延長要求通信信号である場合（過去延長要求）には、処理Ｓ４を実行した後に処理Ｓ１４を実行し、前記受信した通信信号が未来延長要求通信信号である場合（未来延長要求）には、処理Ｓ５を実行した後に処理Ｓ１４を実行し、前記受信した通信信号が種類変更要求通信信号である場合（種類変更要求）には、処理Ｓ６を実行した後に処理Ｓ１４を実行し、前記受信した通信信号が表示期間過去変更要求通信信号である場合（表示期間過去変更要求）には、処理Ｓ７を実行した後に処理Ｓ１４を実行し、前記受信した通信信号が表示期間未来変更要求通信信号である場合（表示期間未来変更要求）には、処理Ｓ８を実行した後に処理Ｓ１４を実行し、前記受信した通信信号が同種過去検索要求通信信号である場合（同種過去検索要求）には、処理Ｓ９を実行した後に処理Ｓ１４を実行し、前記受信した通信信号が同種未来検索要求通信信号である場合（同種未来検索要求）には、処理Ｓ１０を実行した後に処理Ｓ１４を実行し、前記受信した通信信号が全種過去検索要求通信信号である場合（全種過去検索要求）には、処理Ｓ１１を実行した後に処理Ｓ１４を実行し、前記受信した通信信号が全種未来検索要求通信信号である場合（全種未来検索要求）には、処理Ｓ１２を実行した後に処理Ｓ１４を実行し、そして、前記受信した通信信号がこれらいずれの通信信号ではない場合（その他）には、処理Ｓ１３を実行した後に処理Ｓ１４を実行する。
【００７７】
処理Ｓ３では、ＳＶ制御処理部２２のＳＶバイタル処理部２２２は、デフォルト期間幅でのバイタル表示処理を実行する。このデフォルト期間幅でのバイタル表示処理は、図１０に示す各処理Ｃ１１〜Ｃ１５であり、後述でより具体的に説明する。
【００７８】
処理Ｓ４では、ＳＶ制御処理部２２のＳＶバイタル処理部２２２は、過去へ延長した表示期間幅でのバイタル表示処理を実行する。この過去へ延長した表示期間幅でのバイタル表示処理は、図１１に示す各処理Ｃ３１ａ〜Ｃ３５ａであり、後述でより具体的に説明する。
【００７９】
処理Ｓ５では、ＳＶ制御処理部２２のＳＶバイタル処理部２２２は、未来へ延長した表示期間幅でのバイタル表示処理を実行する。この未来へ延長した表示期間幅でのバイタル表示処理は、図１２に示す各処理Ｃ３１ｂ〜Ｃ３５ｂであり、後述でより具体的に説明する。
【００８０】
処理Ｓ６では、ＳＶ制御処理部２２のＳＶバイタル処理部２２２は、表示中の表示期間幅での他種のバイタル表示処理を実行する。この表示中の表示期間幅での他種のバイタル表示処理は、図１３に示す各処理Ｃ５１〜Ｃ５４であり、後述でより具体的に説明する。
【００８１】
処理Ｓ７では、ＳＶ制御処理部２２のＳＶバイタル処理部２２２は、過去へ１区間シフトした表示期間幅でのバイタル表示処理を実行する。この過去へ１区間シフトした表示期間幅でのバイタル表示処理は、図１４に示す各処理Ｃ７１ａ〜Ｃ７５ａであり、後述でより具体的に説明する。
【００８２】
処理Ｓ８では、ＳＶ制御処理部２２のＳＶバイタル処理部２２２は、未来へ１区間シフトした表示期間幅でのバイタル表示処理を実行する。この未来へ１区間シフトした表示期間幅でのバイタル表示処理は、図１５に示す各処理Ｃ７１ｂ〜Ｃ７５ｂであり、後述でより具体的に説明する。
【００８３】
処理Ｓ９では、ＳＶ制御処理部２２のＳＶバイタル処理部２２２は、同種で過去でマーキング条件一致検索後のバイタル表示処理を実行する。この同種で過去でマーキング条件一致検索後のバイタル表示処理は、図１６に示す各処理Ｃ９１ａ〜Ｃ９５ａであり、後述でより具体的に説明する。
【００８４】
処理Ｓ１０では、ＳＶ制御処理部２２のＳＶバイタル処理部２２２は、同種で未来でマーキング条件一致検索後のバイタル表示処理を実行する。この同種で未来でマーキング条件一致検索後のバイタル表示処理は、図１７に示す各処理Ｃ９１ｂ〜Ｃ９５ｂであり、後述でより具体的に説明する。
【００８５】
処理Ｓ１１では、ＳＶ制御処理部２２のＳＶバイタル処理部２２２は、全種で過去でマーキング条件一致検索後のバイタル表示処理を実行する。この全種で過去でマーキング条件一致検索後のバイタル表示処理は、図１８に示す各処理Ｃ１１１ａ〜Ｃ１１５ａであり、後述でより具体的に説明する。
【００８６】
処理Ｓ１２では、ＳＶ制御処理部２２のＳＶバイタル処理部２２２は、全種で未来でマーキング条件一致検索後のバイタル表示処理を実行する。この全種で未来でマーキング条件一致検索後のバイタル表示処理は、図１９に示す各処理Ｃ１１１ｂ〜Ｃ１１５ｂであり、後述でより具体的に説明する。
【００８７】
処理Ｓ１３では、管理サーバ装置ＳＶは、ＳＶ制御処理部２２によって、前記処理Ｓ１で受信した通信信号に応じた適宜な処理を実行する。
【００８８】
例えば、前記処理Ｓ１で受信した通信信号が取得バイタル通知通信信号である場合には、ＳＶ制御処理部２２のＳＶバイタル処理部２２２は、この処理Ｓ１で受信した取得バイタル通知通信信号に収容されたセンサＩＤに対応するバイタル情報テーブルＶＴをバイタル情報記憶部２３１から検索し、この検索したバイタル情報テーブルＶＴに新たなレコードを生成し、この生成したレコードにおける取得時フィールド２３１１、バイタル種類名フィールド２３１２およびバイタルデータフィールド２３１３それぞれに、前記処理Ｓ１で受信した取得バイタル通知通信信号に収容された取得時刻、バイタル種情報およびバイタルのデータを登録する。これによってセンサ装置ＳＵで取得され、センサ装置ＳＵから管理サーバ装置ＳＶへ送信されたバイタル情報がＳＶ記憶部２３のバイタル情報記憶部２３１に記憶（記録）される。
【００８９】
また例えば、前記処理Ｓ１で受信した通信信号が総合表示画面要求通信信号である場合には、ＳＶ制御処理部２２のＳＶバイタル処理部２２２は、前記処理Ｓ１で受信した総合表示画面要求通信信号によって指定された被監視者名の被監視者Ｏｂ（センサＩＤ）についてバイタルデータ総合表示画面を生成し、この生成したバイタルデータ総合表示画面を収容した総合表示画面通知通信信号を生成し、この生成した総合表示画面通知通信信号を、前記処理Ｓ１で受信した総合表示画面要求通信信号の送信元である端末装置ＳＰ、ＴＡへ返信する。
【００９０】
そして、これら処理Ｓ３ないし処理Ｓ１３それぞれの後に実行される前記処理Ｓ１４では、管理サーバ装置ＳＶは、ＳＶ制御処理部２２によって、その稼働が終了（停止）か否かを判定する。この判定の結果、稼働の終了（停止）である場合（Ｙｅｓ）には、管理サーバ装置ＳＶは、本処理を終了し、一方、稼働の終了（停止）ではない場合（Ｎｏ）には、管理サーバ装置ＳＶは、処理を処理Ｓ１に戻す。
【００９１】
各装置ＳＵ、ＳＰ、ＴＡから受信した通信信号に関し、管理サーバ装置ＳＶは、以上のように動作している。
【００９２】
次に、端末装置ＳＰ、ＴＡにおけるバイタルデータを表示に関する動作について、携帯端末装置ＴＡの場合で説明する。なお、上述で注記したように、管理サーバ装置ＳＶにおける各処理Ｓ３〜Ｓ１３も以下で合わせて説明する。
【００９３】
携帯端末装置ＴＡでは、ユーザ（監視者、サービス提供者）によるシステムへのログインが終了すると、携帯端末装置ＴＡは、ＴＡ制御処理部３２のＴＡバイタル処理部３２２によって、バイタルのデータの表示を所望する被監視者Ｏｂを選択するための対象者選択画面をＴＡ表示部３５に表示する。
【００９４】
この対象者選択画面は、本被監視者監視支援システムＭＳによって監視されている複数の被監視者Ｏｂを一覧で表示し、バイタルのデータの表示を所望する被監視者Ｏｂの指定（選定）を受け付けるための画面である。前記対象者選択画面は、例えば、前記複数の被監視者Ｏｂにおける各名を表示する複数の被監視者名表示領域を備えて構成され、これら各監視者名表示領域は、被監視者Ｏｂの指定を受け付ける入力ボタンと兼用されている。ユーザは、バイタルのデータの表示を所望する被監視者Ｏｂの名を表示している前記被監視者名表示領域を、タッチパネルを構成するＴＡ入力部３４を用いて入力操作する。この入力操作を受け付けると、携帯端末装置ＴＡは、ＴＡバイタル処理部３２２によって、バイタルデータ総合表示画面を要求する総合表示画面要求通信信号をＴＡ通信ＩＦ部３１でネットワークＮＷを介して管理サーバ装置ＳＶへ送信する。この総合表示画面要求通信信号には、バイタルデータ総合表示画面を要求する指示（命令、コマンド）、前記入力操作で受け付けた被監視者名（バイタルのデータの表示を所望された被監視者Ｏｂの名）および自機の端末ＩＤが収容される。なお、センサ装置ＳＵは、被監視者Ｏｂに対応して設けられているので、前記総合表示画面要求通信信号には、前記被監視者名に代え、あるいは、前記被監視者名に追加して、前記被監視者名の被監視者Ｏｂを監視しているセンサ装置ＳＵの持つセンサＩＤが収容されても良い。この場合には、携帯端末装置ＴＡは、被監視者名と、この被監視者名の被監視者Ｏｂを監視しているセンサ装置ＳＵの持つセンサＩＤとの対応関係がＴＡ記憶部３３に予め記憶される。あるいは、管理サーバ装置ＳＶは、被監視者名と、この被監視者名の被監視者Ｏｂを監視しているセンサ装置ＳＵの持つセンサＩＤとの対応関係をＳＶ記憶部２３に予め記憶し、この対応関係に基づいて被監視者名をこれに対応するセンサＩＤへ変換しても良い。この意味で、被監視者名（すなわち、被監視者Ｏｂ）とセンサＩＤとは、同義に扱うことができる。本実施形態では、ＴＡ表示部３５には、被監視者名が表示されるが、通信信号には、この被監視者名に対応するセンサＩＤが収容される例で、以下、説明する。したがって、前記総合表示画面要求通信信号には、バイタルデータ総合表示画面を要求する指示（命令、コマンド）、前記入力操作で受け付けた被監視者名に対応するセンサＩＤおよび自機の端末ＩＤが収容される。
【００９５】
この総合表示画面要求通信信号を受信すると、管理サーバ装置ＳＶは、ＳＶ制御処理部２２によって、上述の処理Ｓ１、処理Ｓ２および処理Ｓ１３それぞれが実行される。この処理Ｓ１３では、管理サーバ装置ＳＶは、ＳＶ制御処理部２２のＳＶバイタル処理部２２２によって、総合表示画面要求通信信号によって指定された被監視者名の被監視者Ｏｂ（センサＩＤ）についてバイタルデータ総合表示画面を生成し、この生成したバイタルデータ総合表示画面を収容した通信信号（総合表示画面通知通信信号）を生成し、この生成した総合表示画面通知通信信号を前記携帯端末装置ＴＡへ返信する。より具体的には、ＳＶバイタル処理部２２２は、まず、ＳＶ時計部２２３から現在時刻を取得する。次に、ＳＶバイタル処理部２２２は、前記処理Ｓ１で受信した総合表示画面要求通信信号に収容されたセンサＩＤに対応するバイタル情報テーブルＶＴをバイタル情報記憶部２３１から検索する。次に、ＳＶバイタル処理部２２２は、この検索したバイタル情報テーブルＶＴにおける取得時フィールド２３１１およびバイタル種類名フィールド２３１２それぞれの各登録内容を参照し、前記取得した現在時刻に最も近い取得時情報を持つ体温、血圧、脈拍数、微体動数（呼吸数）および睡眠状態それぞれを登録する各レコードを検索し、これら検索した各レコードにおけるバイタルデータフィールド２３１３から体温、血圧、脈拍数、微体動数（呼吸数）および睡眠状態それぞれの各データを取得する。このような各処理と並行してＳＶバイタル処理部２２２は、前記処理Ｓ１で受信した総合表示画面要求通信信号に収容されたセンサＩＤを持つセンサ装置ＳＵへ画像要求通信信号を送信し、センサ装置ＳＵから画像通知通信信号の返信を受信し、被監視者Ｏｂの所在空間を撮像した対象画像を取得する。なお、センサ装置ＳＵは、画像送信処理部１２３によって、管理サーバ装置ＳＶから画像要求通信信号を受信すると、撮像部１５で撮像対象を撮像し、この撮像した画像および自機のセンサＩＤを収容した画像通知通信信号を管理サーバ装置ＳＶ宛に生成して管理サーバ装置ＳＶへ返信する。そして、ＳＶバイタル処理部２２２は、これら取得した体温、血圧、脈拍数、微体動数（呼吸数）および睡眠状態それぞれの各データ、ならびに、対象画像に基づいて、バイタルデータ総合表示画面を例えばＨＴＭＬ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等のマークアップ言語で記述することによって生成し、この生成したバイタルデータ総合表示画面の電子ファイルを収容した総合表示画面通知通信信号を生成し、この生成した総合表示画面通知通信信号を前記携帯端末装置ＴＡへ返信する。
【００９６】
このバイタルデータ総合表示画面は、直近に取得されたバイタルのデータを表示し、過去に取得されたより詳細なバイタルのデータの表示を所望するバイタルの種類の指定（選定）を受け付けるための画面である。このようなバイタルデータ総合表示画面の一例が図２０に示されている。この図２０に示すバイタルデータ総合表示画面６１は、メニューバー領域６１１と、被監視者名表示領域６１２と、バイタルデータ総合表示領域６１３と、「更新」ボタン６１４と、対象画像表示領域６１５とを備える。メニューバー領域６１１は、メニューバーを表示する領域である。このメニューバー領域６１１は、メニュー画面の表示の指示を受け付ける入力ボタン（メニューボタン）と兼用されている。被監視者名表示領域６１２は、被監視者名を表示するための領域であり、ここでは、対象者選択画面で指定された被監視者名が表示される。バイタルデータ総合表示領域６１３は、被監視者名表示領域６１２に表示された被監視者名の被監視者Ｏｂにおける現在時刻に対し直近に取得されたバイタルのデータを表示するための領域である。バイタルデータ総合表示領域６１３は、バイタルの種類数に応じて複数の領域に分割されている。本実施形態では、バイタルデータ総合表示領域６１３は、体温のデータを表示する体温データ表示領域６１３１と、微体動数（呼吸数）のデータを表示する微体動数データ表示領域６１３２と、血圧（最高血圧および最低血圧）および脈拍数の各データを表示する血圧データ表示領域６１３３と、睡眠状態のデータを表示する睡眠状態データ表示領域６１３４とを備える。そして、バイタルデータ総合表示領域６１３における各領域６１３１〜６１３４は、より詳細なバイタルのデータを所望するバイタルの種類の指定を受け付けて前記指定したバイタルの種類に対応するバイタルのデータを表示する要求を受け付ける入力ボタンと兼用されている。図２０に示す例では、体温データ表示領域６１３１は、バイタルの種類として体温の指定を受け付けて前記体温のデータを表示する要求を受け付ける「体温」ボタン６１３１としても機能し、微体動数データ表示領域６１３２は、バイタルの種類として微体動数の指定を受け付けて前記微体動数のデータを表示する要求を受け付ける「微体動数」ボタン６１３２としても機能し、血圧データ表示領域６１３３は、バイタルの種類として血圧および脈拍数の指定を受け付けて前記血圧および脈拍数の各データを表示する要求を受け付ける「血圧」ボタン６１３３としても機能し、そして、睡眠状態データ表示領域６１３４は、バイタルの種類として睡眠状態の指定を受け付けて前記睡眠状態のデータを表示する要求を受け付ける「睡眠状態」ボタン６１３４としても機能する。対象画像表示領域６１５は、対象画像を表示するための領域である。「更新」ボタン６１４は、バイタルデータ総合表示領域６１３に表示されているバイタルのデータおよび対象画像表示領域６１５に表示されている対象画像の更新の指示するためのボタンである。
【００９７】
携帯端末装置ＴＡは、管理サーバ装置ＳＶから総合表示画面通知通信信号の返信を受信すると、ＴＡバイタル処理部３２２によって、この受信した総合表示画面通知通信信号に収容されたバイタルデータ総合表示画面をＴＡ表示部３５に表示する。これによって携帯端末装置ＴＡのＴＡ表示部３５には、例えば、図２０に示すバイタルデータ総合表示画面６１が表示される。
【００９８】
このようにバイタルデータ総合表示画面６１が表示されると、図８において、携帯端末装置ＴＡは、ＴＡバイタル処理部３２２によって、メニューボタン（メニューバー領域）６１１の入力操作を、タッチパネルを構成するＴＡ入力部３４で受け付けたか否かを判定する（Ｓ２１）。この判定の結果、メニューボタン６１１の入力操作を受け付けていない場合（Ｎｏ）には、ＴＡバイタル処理部３２２は、次に、処理Ｓ２２を実行する。一方、前記判定の結果、メニューボタン６１１の入力操作を受け付けている場合（Ｙｅｓ）には、ＴＡバイタル処理部３２２は、バイタルデータ総合表示画面６１に換え、メニュー画面をＴＡ表示部３５に表示するメニュー画面の表示処理（Ｓ３１）を実行し、本処理を終了する。その後、メニュー画面の場合に応じた所定の処理が実行される。
【００９９】
この処理Ｓ２２では、携帯端末装置ＴＡは、ＴＡバイタル処理部３２２によって、「体温」ボタン（体温データ表示領域）６１３１の入力操作を、前記ＴＡ入力部３４で受け付けたか否かを判定する。この判定の結果、「体温」ボタン６１３１の入力操作を受け付けていない場合（Ｎｏ）には、ＴＡバイタル処理部３２２は、次に、処理Ｓ２３を実行する。一方、前記判定の結果、「体温」ボタン６１３１の入力操作を受け付けている場合（Ｙｅｓ）には、ＴＡバイタル処理部３２２は、バイタルデータ総合表示画面６１に換え、より詳細な体温のデータを表示する体温データ表示画面をＴＡ表示部３５に表示する体温データ表示画面の表示処理（Ｓ３２）を実行し、本処理を終了する。
【０１００】
この体温データ表示画面の表示処理Ｓ３２では、より具体的には、管理サーバ装置ＳＶと共に、次のような各処理が実行される。
【０１０１】
図１０において、「体温」ボタン６１３１の入力操作を受け付けると、被監視者Ｏｂ、バイタル種情報および取得時情報を指定してバイタルのデータを要求するバイタル表示要求通信信号を管理サーバ装置ＳＶへ送信するために、まず、携帯端末装置ＴＡは、ＴＡバイタル処理部３２２によって、ＴＡ時計部３２３から現在の日付を取得する（Ｃ２１）。
【０１０２】
次に、携帯端末装置ＴＡは、ＴＡバイタル処理部３２２によって、バイタル表示要求通信信号を管理サーバ装置ＳＶ宛に生成する（Ｃ２２）。ここで、「体温」ボタン６１３１の入力操作を受け付けているので、体温に対応するバイタル表示要求通信信号が生成される。より詳しくは、ＴＡバイタル処理部３２２は、ＴＡ表示部３５に表示されているバイタルデータ総合表示画面６１の被監視者名表示領域６１２の被監視者名を取り出す。次に、ＴＡバイタル処理部３２２は、前記指定した被監視者名、バイタル種情報および取得時情報それぞれとして、前記取り出した被監視者名、「体温」および前記処理Ｃ２１で取得した日付を収容したバイタル表示要求通信信号を管理サーバ装置ＳＶ宛に生成する。本実施形態では、上述したように、被監視者名は、これに対応するセンサＩＤに変換され、前記バイタル表示要求通信信号には、前記被監視者名に代え、この変換したセンサＩＤが収容される。
【０１０３】
次に、携帯端末装置ＴＡは、ＴＡバイタル処理部３２２によって、この生成したバイタル表示要求通信信号をＴＡ通信ＩＦ部３１でネットワークＮＷへ送信する（Ｃ２３）。
【０１０４】
この携帯端末装置ＴＡから送信されたバイタル表示要求通信信号は、ネットワークＮＷによって管理サーバ装置ＳＶへ送信される。このバイタル表示要求通信信号が管理サーバ装置ＳＶで受信されると、図７を用いて上述した処理Ｓ１、処理Ｓ２および処理Ｓ３の各処理が実行される。
【０１０５】
この処理Ｓ３では、より詳しくは、図１０において、まず、管理サーバ装置ＳＶは、ＳＶバイタル処理部２２２によって、前記処理Ｓ１で受信されたバイタル表示要求通信信号に収容されていた取得時情報（ここでは現在の日付）に基づいてデフォルトの期間幅で表示期間幅を設定する（Ｃ１１）。より具体的には、例えば前記デフォルト期間幅が前記取得時情報で表される時を起点に過去へ７日間（１週間）である場合には、ＳＶバイタル処理部２２２は、バイタル表示要求通信信号に取得時情報として収容されていた現在の日付を起点に過去へ７日間を表示期間幅として設定する。なお、前記表示期間幅には、前記起点の日付が含まれる。例えば、前記現在の日付が「２０１６年６月２３日」である場合には、表示期間幅は、２０１６年６月１７日から２０１６年６月２３日までの期間幅（２０１６年６月２３日から過去へ２０１６年６月１７日までの期間幅）である。
【０１０６】
次に、管理サーバ装置ＳＶは、ＳＶバイタル処理部２２２によって、この表示期間幅での、前記処理Ｓ１で受信されたバイタル表示要求通信信号で指定された被監視者Ｏｂ（センサＩＤ）およびバイタル種情報のバイタルのデータをＳＶ記憶部２３のバイタル情報記憶部２３１から抽出し、取得する。より具体的には、ＳＶバイタル処理部２２２は、前記処理Ｓ１で受信した総合表示画面要求通信信号に収容されたセンサＩＤに対応するバイタル情報テーブルＶＴをバイタル情報記憶部２３１から検索する。次に、ＳＶバイタル処理部２２２は、この検索したバイタル情報テーブルＶＴにおける取得時フィールド２３１１およびバイタル種類名フィールド２３１２それぞれの各登録内容を参照し、前記取得時フィールド２３１１に前記表示期間幅に属する取得時情報を登録し、かつ、バイタル種類名フィールド２３１２に「体温」を登録するレコードを検索し、これら検索した各レコードにおけるバイタルデータフィールド２３１３から体温の各データを取得する。上述の例では、２０１６年０６月１７日から２０１６年０６月２３日までの各日に取得された体温のデータが取得される。
【０１０７】
次に、管理サーバ装置ＳＶは、ＳＶバイタル処理部２２２によって、この表示期間幅での、前記処理Ｓ１で受信されたバイタル表示要求通信信号で指定された被監視者Ｏｂ（センサＩＤ）およびバイタル種情報のバイタルのデータを表示するバイタルデータ表示画面のデータを生成する（Ｃ１３）。より具体的には、ＳＶバイタル処理部２２２は、上述の処理Ｃ１２で取得した、前記表示期間でのバイタルの各データに基づいて、バイタルデータ表示画面を前記マークアップ言語で記述することによって生成し、バイタルデータ表示画面のデータ（電子ファイル）を生成する。ここでは、前記指定されたバイタル種情報が「体温」であるので、ＳＶバイタル処理部２２２は、上述の処理Ｃ１２で取得した、前記表示期間での体温の各データに基づいて、体温データ表示画面を生成し、体温データ表示画面の電子ファイルを生成する。
【０１０８】
このバイタルデータ表示画面は、バイタル表示要求通信信号で指定された前記取得時情報を含み、かつ、前記デフォルト期間幅を持つ第１期間幅を表示期間幅とし、前記表示期間幅での、前記バイタル表示要求通信信号で指定された前記被監視者Ｏｂ（センサＩＤ）および前記バイタル種情報に対応するバイタルのデータを表示するための画面である。バイタルデータ表示画面は、バイタルの種類数に応じた複数の画面を備えて成る。本実施形態では、バイタルデータ表示画面は、体温のデータを表示する体温データ表示画面と、微体動数（呼吸数）のデータを表示する微体動数データ表示画面と、血圧（最高血圧および最低血圧）および脈拍数の各データを表示する血圧脈拍データ表示画面と、睡眠状態のデータを表示する睡眠状態データ表示画面とを備える。このような体温データ表示画面、血圧脈拍データ表示画面および睡眠状態データ表示画面それぞれの一例が図２１、図２２および図２３それぞれに示されている。
【０１０９】
この図２１に示す体温データ表示画面６２ａは、メニューバー領域６２１と、被監視者名表示領域６２５と、表示期間入力領域６２３と、バイタル種選択入力領域６２４とを備える。
【０１１０】
被監視者名表示領域６２５は、被監視者名表示領域６１２と同様に、当該体温データ表示画面６２ａで表示されている体温データに対応する被監視者Ｏｂの被監視者名を表示するための領域である。
【０１１１】
メニューバー領域６２１は、メニューバーを表示する領域である。このメニューバー領域６２１は、例えば、メニューボタン６２１１と、戻るボタン６２１２と、同種過去条件一致検索ボタン６２１３−１と、全種過去条件一致検索ボタン６２１４−１と、同種未来条件一致検索ボタン６２１３−２と、全種未来条件一致検索ボタン６２１４−２とを備える。メニューボタン６２１１は、メニュー画面の表示の指示を受け付けるボタンである。戻るボタン６２１２は、現在、ＴＡ表示部３５に表示されている画面に対し１つ前に表示されていた画面に戻る指示を受け付けるボタンである。同種過去条件一致検索ボタン６２１３−１は、当該バイタルデータ表示画面６２（６２ａ、６２ｃ、６２ｄ）で表示されているバイタルのデータにおけるバイタルの種類と同種のバイタルのデータの中でマーキング条件を満たすバイタルのデータを過去に向かって検索して表示する指示を受け付けるボタンである。全種過去条件一致検索ボタン６２１４−１は、全てのバイタルの種類におけるバイタルのデータの中でマーキング条件を満たすバイタルのデータを過去に向かって検索して表示する指示を受け付けるボタンである。同種未来条件一致検索ボタン６２１３−２は、当該バイタルデータ表示画面６２（６２ａ、６２ｃ、６２ｄ）で表示されているバイタルのデータにおけるバイタルの種類と同種のバイタルのデータの中でマーキング条件を満たすバイタルのデータを未来に向かって検索して表示する指示を受け付けるボタンである。全種未来条件一致検索ボタン６２１４−２は、全てのバイタルの種類におけるバイタルのデータの中でマーキング条件を満たすバイタルのデータを未来に向かって検索して表示する指示を受け付けるボタンである。これら各ボタン６２１３（６２１３−１、６２１３−２）、６２１４（６２１４−１、６２１４−２）の入力操作された際の動作については、後述する。
【０１１２】
バイタル期間データ表示領域６２２は、前記表示期間幅でのバイタルのデータを表示する領域である。図２１に示す体温データ表示画面６２ａでは、バイタル期間データ表示領域６２２には、前記表示期間幅での体温のデータが表示される。前記体温のデータは、表示期間幅の各日ごとの体温をプロットした各点を線分で結んだ折れ線グラフで表示される。図２１に示す例では、バイタル期間データ表示領域６２２には、２０１６年６月１７日から２０１６年６月２３日までの体温の各データが折れ線グラフで表示されている。
【０１１３】
表示期間入力領域６２３は、表示期間幅に関する情報および入力ボタン等を表示する領域である。この表示期間入力領域６２３は、例えば、表示期間表示領域６２３１と、表示期間過去シフトボタン６２３２−１と、表示期間過去延長ボタン６２３３−１と、表示期間未来シフトボタン６２３２−２と、表示期間未来延長ボタン６２３３−２とを備える。表示期間表示領域６２３１は、バイタル期間データ表示領域６２２に表示されているバイタルのデータにおける前記表示期間幅の日付を表示する領域であり、この表示期間表示領域６２３１には、例えば、前記期間幅の始点の日付およびその終点の日付が表示される。図２１に示す例では、表示期間表示領域６２３１には、「２０１６年０６月１７日〜２０１７年０６月２３日」が表示されている。表示期間過去シフトボタン６２３２−１は、バイタル期間データ表示領域６２２に表示されているバイタルのデータにおける前記表示期間幅を、前記表示期間幅分で１区間だけ過去へシフトした新たな表示期間幅で、バイタル期間データ表示領域６２２にバイタルのデータを表示する指示を受け付けるボタンである。表示期間過去延長ボタン６２３３−１は、バイタル期間データ表示領域６２２に表示されているバイタルのデータにおける前記表示期間幅を、前記延長期間幅分で過去へ延長した新たな表示期間幅で、バイタル期間データ表示領域６２２にバイタルのデータを表示する指示を受け付けるボタンである。表示期間未来シフトボタン６２３２−２は、バイタル期間データ表示領域６２２に表示されているバイタルのデータにおける前記表示期間幅を、前記表示期間幅分で１区間だけ未来へシフトした新たな表示期間幅で、バイタル期間データ表示領域６２２にバイタルのデータを表示する指示を受け付けるボタンである。表示期間未来延長ボタン６２３３−２は、バイタル期間データ表示領域６２２に表示されているバイタルのデータにおける前記表示期間幅を、前記延長期間幅分で未来へ延長した新たな表示期間幅で、バイタル期間データ表示領域６２２にバイタルのデータを表示する指示を受け付けるボタンである。これら各ボタン６２３２（６２３２−１、６２３２−２）、６２３３（６２３３−１、６２３３−２）の入力操作された際の動作については、後述する。
【０１１４】
バイタル種選択入力領域６２４は、より詳細なバイタルのデータを所望するバイタルの種類の指定を受け付けて前記指定したバイタルの種類に対応するバイタルのデータを表示する要求を受け付ける入力ボタンを備える。バイタル種選択入力領域６２４は、本実施形態では、バイタルの種類として体温の指定を受け付けて前記体温のデータを表示する要求を受け付ける「体温」ボタン６２４１と、バイタルの種類として微体動数の指定を受け付けて前記微体動数のデータを表示する要求を受け付ける「微体動数」ボタン６２４２と、バイタルの種類として血圧および脈拍数の指定を受け付けて前記血圧および脈拍数の各データを表示する要求を受け付ける「血圧」ボタン６２４３と、バイタルの種類として睡眠状態の指定を受け付けて前記睡眠状態のデータを表示する要求を受け付ける「睡眠状態」ボタン６２４４とを備える。これら「体温」ボタン６２４１、「微体動数」ボタン６２４２、「血圧」ボタン６２４３および「睡眠状態」ボタン６２４４は、それぞれ、前記取得時情報として表示期間表示領域６２３１に表示されている表示期間幅の終点の日付が用いられる点を除き、上述の「体温」ボタン（体温データ表示領域）６１３１、「微体動数」ボタン（微体動数データ表示領域）６１３２、「血圧」ボタン（血圧データ表示領域）６１３３、および、「睡眠状態」ボタン（睡眠状態データ表示領域）６１３４と同様に機能する。なお、これら「体温」ボタン６２４１、「微体動数」ボタン６２４２、「血圧」ボタン６２４３および「睡眠状態」ボタン６２４４を総称する場合には、バイタル種選択ボタン６２４と適宜に呼称する。前記「体温」ボタンとしての体温データ表示領域６１３１、前記「微体動数」ボタンとしての微体動数データ表示領域６１３２、前記「血圧」ボタンとしての血圧データ表示領域６１３３および前記「睡眠状態」ボタンとしての睡眠状態データ表示領域６１３４を総称する場合には、バイタル種選択ボタン６１３と適宜に呼称する。これら「体温」ボタン６２４１、前記「体温」ボタンとしての体温データ表示領域６１３１、「微体動数」ボタン６２４２、前記「微体動数」ボタンとしての微体動数データ表示領域６１３２、「血圧」ボタン６２４３、前記「血圧」ボタンとしての血圧データ表示領域６１３３、「睡眠状態」ボタン６２４４、および、前記「睡眠状態」ボタンとしての睡眠状態データ表示領域６１３４を総称する場合には、バイタル種選択ボタン６１３、６２４と適宜に呼称する。
【０１１５】
この図２２に示す血圧脈拍データ表示画面６２ｃは、バイタル期間データ表示領域６２２に血圧のデータおよび脈拍数のデータが表示される点を除き、上述の体温データ表示画面６２ａと同様なメニューバー領域６２１、被監視者名表示領域６２５と、バイタル期間データ表示領域６２２、表示期間入力領域６２３およびバイタル種選択入力領域６２４とを備える。血圧のデータは、例えば、表示期間幅の各日ごとに、最低血圧から最高血圧までの棒グラフで表示される。脈拍数のデータは、表示期間幅の各日ごとの脈拍数をプロットした各点を線分で結んだ折れ線グラフで表示される。
【０１１６】
この図２３に示す睡眠状態データ表示画面６２ｄは、バイタル期間データ表示領域６２２に睡眠状態のデータが表示される点を除き、上述の体温データ表示画面６２ａと同様なメニューバー領域６２１、被監視者名表示領域６２５と、バイタル期間データ表示領域６２２、表示期間入力領域６２３およびバイタル種選択入力領域６２４とを備える。睡眠状態のデータは、例えば、睡眠状態を当該睡眠状態に応じた表示態様で表示した、表示期間幅の各日ごとのタイムチャートで表示される。図２３に示す例では、睡眠中の時間帯、覚醒中の時間帯およびその他の時間帯は、それぞれ、相対的に粗い点描のハッチング、相対的に細かい点描のハッチング、および、斜め線のハッチングで表示され、互いに異なるハッチングの表示態様で表示されている。
【０１１７】
図略の微体動数データ表示画面は、バイタル期間データ表示領域６２２に微体動数（呼吸数）のデータが表示される点を除き、上述の体温データ表示画面６２ａと同様なメニューバー領域６２１、被監視者名表示領域６２５と、バイタル期間データ表示領域６２２、表示期間入力領域６２３およびバイタル種選択入力領域６２４とを備える。微体動数（呼吸数）のデータは、表示期間幅の各日ごとの微体動数（呼吸数）をプロットした各点を線分で結んだ折れ線グラフで表示される。
【０１１８】
図１０に戻って、ここでは、前記指定されたバイタル種情報が「体温」であるので、上述したように、処理Ｃ１３では、ＳＶバイタル処理部２２２は、上述の処理Ｃ１２で取得した、前記表示期間での体温の各データに基づいて、図２１に示すような体温データ表示画面６２ａをマークアップ言語で生成し、体温データ表示画面６２ａの電子ファイルを生成する。
【０１１９】
そして、前記処理Ｃ１３の次に、管理サーバ装置ＳＶは、ＳＶバイタル処理部２２２によって、前記処理Ｃ１３で生成したバイタルデータ表示画面の電子ファイルを収容したバイタル表示画面通知通信信号を、前記処理Ｓ１で受信したバイタル表示要求通信信号の送信元の携帯端末装置ＴＡ宛に生成する（Ｃ１４）。ここでは、ＳＶバイタル処理部２２２は、図２１に示すような体温データ表示画面６２ａの電子ファイルを収容した体温のバイタル表示画面通知通信信号を前記携帯端末装置ＴＡ宛に生成する。
【０１２０】
そして、次に、管理サーバ装置ＳＶは、ＳＶバイタル処理部２２２によって、この生成したバイタル表示画面通知通信信号をＳＶ通信ＩＦ部２１でネットワークＮＷへ送信する（Ｃ１５）。ここでは、ＳＶバイタル処理部２２２は、前記体温のバイタル表示画面通知通信信号を送信する。
【０１２１】
前記処理Ｓ３では、管理サーバ装置ＳＶは、上述の各処理Ｃ１１〜Ｃ１５を実行し、上述のように動作している。
【０１２２】
携帯端末装置ＴＡは、管理サーバ装置ＳＶからバイタル表示画面通知通信信号の返信を受信すると、ＴＡバイタル処理部３２２によって、この受信したバイタル表示画面通知通信信号に収容されたバイタル表示画面をＴＡ表示部３５に表示する（Ｃ２４）。これによって、ここでは、携帯端末装置ＴＡのＴＡ表示部３５には、例えば、図２１に示す体温データ表示画面６２ａが表示される。
【０１２３】
前記処理Ｓ３２では、携帯端末装置ＴＡは、上述の各処理Ｃ２１〜Ｃ２４を実行し、上述のように動作している。
【０１２４】
図８に戻って、前記処理Ｓ２３では、携帯端末装置ＴＡは、ＴＡバイタル処理部３２２によって、「微体動数」ボタン（微体動数データ表示領域）６１３２の入力操作を、前記ＴＡ入力部３４で受け付けたか否かを判定する。この判定の結果、「微体動数」ボタン６１３２の入力操作を受け付けていない場合（Ｎｏ）には、ＴＡバイタル処理部３２２は、次に、処理Ｓ２４を実行する。一方、前記判定の結果、「微体動数」ボタン６１３２の入力操作を受け付けている場合（Ｙｅｓ）には、ＴＡバイタル処理部３２２は、バイタルデータ総合表示画面６１に換え、より詳細な微体動数のデータを表示する微体動数データ表示画面をＴＡ表示部３５に表示する微体動数データ表示画面の表示処理（Ｓ３３）を実行し、本処理を終了する。
【０１２５】
この微体動数データ表示画面の表示処理Ｓ３３では、バイタル種情報として「体温」に換えて「微体動数」を用い、バイタルデータ表示画面として図２１に示す体温データ表示画面６２ａに換え図略の微体動数データ表示画面を用いる点を除き、携帯端末装置ＴＡは、図１０を用いて上述した処理Ｃ２１〜Ｃ２４の各処理と同様に各処理Ｃ２１〜Ｃ２４を実行し、これに応じて管理サーバ装置ＳＶは、図７を用いて上述した処理Ｓ１〜Ｓ３の各処理と同様に各処理Ｓ１〜Ｓ３を実行する。前記処理Ｓ３では、管理サーバ装置ＳＶは、上述の点を除き、図１０を用いて上述した処理Ｃ１１〜Ｃ１５の各処理と同様に各処理Ｃ１１〜Ｃ１５を実行する。これによって、ここでは、携帯端末装置ＴＡのＴＡ表示部３５には、例えば、図略の微体動数データ表示画面が表示される。
【０１２６】
前記処理Ｓ２４では、携帯端末装置ＴＡは、ＴＡバイタル処理部３２２によって、「血圧」ボタン（血圧データ表示領域）６１３３の入力操作を、前記ＴＡ入力部３４で受け付けたか否かを判定する。この判定の結果、「血圧」ボタン６１３３の入力操作を受け付けていない場合（Ｎｏ）には、ＴＡバイタル処理部３２２は、次に、処理Ｓ２５を実行する。一方、前記判定の結果、「血圧」ボタン６１３３の入力操作を受け付けている場合（Ｙｅｓ）には、ＴＡバイタル処理部３２２は、バイタルデータ総合表示画面６１に換え、より詳細な血圧および脈拍数の各データを表示する血圧脈拍データ表示画面をＴＡ表示部３５に表示する血圧脈拍データ表示画面の表示処理（Ｓ３４）を実行し、本処理を終了する。
【０１２７】
この血圧脈拍データ表示画面の表示処理Ｓ３４では、バイタル種情報として「体温」に換えて「血圧」および「脈拍数」それぞれを用い、バイタルデータ表示画面として図２１に示す体温データ表示画面６２ａに換え図２２に示す血圧脈拍データ表示画面６２ｃを用いる点を除き、携帯端末装置ＴＡは、図１０を用いて上述した処理Ｃ２１〜Ｃ２４の各処理と同様に各処理Ｃ２１〜Ｃ２４を実行し、これに応じて管理サーバ装置ＳＶは、図７を用いて上述した処理Ｓ１〜Ｓ３の各処理と同様に各処理Ｓ１〜Ｓ３を実行する。前記処理Ｓ３では、管理サーバ装置ＳＶは、上述の点を除き、図１０を用いて上述した処理Ｃ１１〜Ｃ１５の各処理と同様に各処理Ｃ１１〜Ｃ１５を実行する。これによって、ここでは、携帯端末装置ＴＡのＴＡ表示部３５には、例えば、図２２に示す血圧脈拍データ表示画面６２ｃが表示される。
【０１２８】
前記処理Ｓ２５では、携帯端末装置ＴＡは、ＴＡバイタル処理部３２２によって、「睡眠状態」ボタン（睡眠状態データ表示領域）６１３４の入力操作を、前記ＴＡ入力部３４で受け付けたか否かを判定する。この判定の結果、「睡眠状態」ボタン６１３４の入力操作を受け付けていない場合（Ｎｏ）には、ＴＡバイタル処理部３２２は、次に、処理Ｓ２６を実行する。一方、前記判定の結果、「睡眠状態」ボタン６１３４の入力操作を受け付けている場合（Ｙｅｓ）には、ＴＡバイタル処理部３２２は、バイタルデータ総合表示画面６１に換え、より詳細な睡眠状態のデータを表示する睡眠状態データ表示画面をＴＡ表示部３５に表示する睡眠状態データ表示画面の表示処理（Ｓ３５）を実行し、本処理を終了する。
【０１２９】
この睡眠状態データ表示画面の表示処理Ｓ３５では、バイタル種情報として「体温」に換えて「睡眠状態」を用い、バイタルデータ表示画面として図２１に示す体温データ表示画面６２ａに換え図２３に示す睡眠状態データ表示画面６２ｄを用いる点を除き、携帯端末装置ＴＡは、図１０を用いて上述した処理Ｃ２１〜Ｃ２４の各処理と同様に各処理Ｃ２１〜Ｃ２４を実行し、これに応じて管理サーバ装置ＳＶは、図７を用いて上述した処理Ｓ１〜Ｓ３の各処理と同様に各処理Ｓ１〜Ｓ３を実行する。前記処理Ｓ３では、管理サーバ装置ＳＶは、上述の点を除き、図１０を用いて上述した処理Ｃ１１〜Ｃ１５の各処理と同様に各処理Ｃ１１〜Ｃ１５を実行する。これによって、ここでは、携帯端末装置ＴＡのＴＡ表示部３５には、例えば、図２３に示す血圧脈拍データ表示画面６２ｃが表示される。
【０１３０】
前記処理Ｓ２６では、携帯端末装置ＴＡは、ＴＡバイタル処理部３２２によって、「更新」ボタン６１４の入力操作を、前記ＴＡ入力部３４で受け付けたか否かを判定する。この判定の結果、「更新」ボタン６１４の入力操作を受け付けていない場合（Ｎｏ）には、ＴＡバイタル処理部３２２は、次に、処理を処理Ｓ２１に戻す。すなわち、ＴＡ表示部３５に現在表示されているバイタルデータ総合表示画面６１がそのまま表示される。一方、前記判定の結果、「更新」ボタン６１４の入力操作を受け付けている場合（Ｙｅｓ）には、ＴＡバイタル処理部３２２は、バイタルデータ総合表示画面６１に表示されているバイタルの各データおよび対象画像を更新するデータ更新表示処理（Ｓ３７）を実行し、その後、処理を処理Ｓ２１に戻す。
【０１３１】
このデータ更新表示処理Ｓ３７では、より具体的には、携帯端末装置ＴＡは、ＴＡバイタル処理部３２２によって、ＴＡ表示部３５に現在表示しているバイタルデータ総合表示画面６１における被監視者名（センサＩＤ）を用いることで総合表示画面要求通信信号を新たに生成して管理サーバ装置ＳＶへ送信し、管理サーバ装置ＳＶから、総合表示画面通知通信信号の新たな返信を受信し、この受信した総合表示画面通知通信信号に収容された新たなバイタルデータ総合表示画面６１をＴＡ表示部３５に表示する。これによってバイタルの各データおよび対象画像が更新されたバイタルデータ総合表示画面６１がＴＡ表示部３５に表示される。
【０１３２】
バイタルデータ総合表示画面６１が表示されると、携帯端末装置ＴＡおよび管理サーバ装置ＳＶそれぞれは、このように動作している。
【０１３３】
次に、バイタルデータ表示画面が表示されている場合における、携帯端末装置ＴＡの動作を、管理サーバ装置ＳＶの動作と合わせて説明する。
【０１３４】
このバイタルデータ表示画面は、上述のように、本実施形態では、体温データ表示画面６２ａ、図略の微体動数データ表示画面、血圧脈拍データ表示画面６２ｃおよび睡眠状態データ表示画面６２ｄの４つを備えている。体温データ表示画面６２ａは、上述のように、バイタルデータ総合画面６１における「体温」ボタン（体温データ表示領域）６１３１の入力操作によって、携帯端末装置ＴＡのＴＡ表示部３５に表示される。あるいは、体温データ表示画面６２ａは、後述のように、バイタルデータ表示画面（すなわち、本実施形態では体温データ表示画面６２ａ、図略の微体動数データ表示画面、血圧脈拍データ表示画面６２ｃおよび睡眠状態データ表示画面６２ｄ）における「体温」ボタン６２４１の入力操作により携帯端末装置ＴＡのＴＡ表示部３５に表示される。同様に、微体動数データ表示画面は、上述のように、バイタルデータ総合画面６１における「微体動数」ボタン（微体動数データ表示領域）６１３２の入力操作によって、携帯端末装置ＴＡのＴＡ表示部３５に表示される。あるいは、微体動数データ表示画面は、後述のように、バイタルデータ表示画面における「微体動数」ボタン６２４２の入力操作により携帯端末装置ＴＡのＴＡ表示部３５に表示される。血圧脈拍データ表示画面６２ｃは、上述のように、バイタルデータ総合画面６１における「血圧」ボタン（血圧データ表示領域）６１３３の入力操作によって、携帯端末装置ＴＡのＴＡ表示部３５に表示される。あるいは、血圧脈拍データ表示画面６２ｃは、後述のように、バイタルデータ表示画面における「血圧」ボタン６２４３の入力操作により携帯端末装置ＴＡのＴＡ表示部３５に表示される。睡眠状態データ表示画面６２ｄは、上述のように、バイタルデータ総合画面６１における「睡眠状態」ボタン（睡眠状態データ表示領域）６１３４の入力操作によって、携帯端末装置ＴＡのＴＡ表示部３５に表示される。あるいは、睡眠状態データ表示画面６２ｄは、後述のように、バイタルデータ表示画面における「睡眠状態」ボタン６２４４の入力操作により携帯端末装置ＴＡのＴＡ表示部３５に表示される。これら体温データ表示画面６２ａ、図略の微体動数データ表示画面、血圧脈拍データ表示画面６２ｃおよび睡眠状態データ表示画面６２ｄは、上述から理解される通り、それぞれ、バイタル期間データ表示領域６２２に表示されるバイタルデータが異なるだけであり、メニューバー領域６２１、表示期間入力領域６２３およびバイタル種選択入力領域６２４それぞれに配置される入力ボタンの入力操作に応じた各動作は、同様であるので、ここでは、体温データ表示画面６２ａが携帯端末装置ＴＡのＴＡ表示部３５に表示されている場合を例に、バイタルデータ表示画面が表示されている場合における携帯端末装置ＴＡおよび管理サーバ装置ＳＶの各動作について説明する。
【０１３５】
図９において、バイタルデータ表示画面、ここでは、例えばバイタルデータ総合画面６１における「体温」ボタン（体温データ表示領域）６１３１の入力操作によって、体温データ表示画面６２ａが携帯端末装置ＴＡのＴＡ表示部３５に表示されると（Ｓ４１）、携帯端末装置ＴＡは、ＴＡバイタル処理部３２２によって、メニューボタン６２１１の入力操作を、タッチパネルを構成するＴＡ入力部３４で受け付けたか否かを判定する（Ｓ４２）。この判定の結果、メニューボタン６２１１の入力操作を受け付けていない場合（Ｎｏ）には、ＴＡバイタル処理部３２２は、次に、処理Ｓ４３を実行する。一方、前記判定の結果、メニューボタン６２１１の入力操作を受け付けている場合（Ｙｅｓ）には、ＴＡバイタル処理部３２２は、バイタルデータ表示画面（この例は、体温データ表示画面６２ａ）に換え、メニュー画面をＴＡ表示部３５に表示するメニュー画面の表示処理（Ｓ６１）を実行し、本処理を終了する。その後、メニュー画面の場合に応じた所定の処理が実行される。
【０１３６】
前記処理Ｓ４３では、携帯端末装置ＴＡは、ＴＡバイタル処理部３２２によって、戻るボタン６２１２の入力操作を、前記ＴＡ入力部３４で受け付けたか否かを判定する。この判定の結果、戻るボタン６２１２の入力操作を受け付けていない場合（Ｎｏ）には、ＴＡバイタル処理部３２２は、次に、処理Ｓ４４を実行する。一方、前記判定の結果、戻るボタン６２１２の入力操作を受け付けている場合（Ｙｅｓ）には、ＴＡバイタル処理部３２２は、ＴＡ表示部３５に現在表示されている画面に対し１つ前に表示されていた画面に戻る表示処理（Ｓ６２）を実行し、本処理を終了する。この例は、体温データ表示画面６２ａから、バイタルデータ総合表示画面６１に戻り、ＴＡ表示部３５には、バイタルデータ総合表示画面６１が表示される。もちろん、例えば、後述するように、体温データ表示画面６２ａが血圧脈拍データ表示画面６２ｃにおける「体温」ボタン６２４１の入力操作によってＴＡ表示部３５に表示された場合では、血圧脈拍データ表示画面６２ｃに戻り、ＴＡ表示部３５には、血圧脈拍データ表示画面６２ｃが表示される。この場合では、体温データ表示画面６２ａに対する図９に示す処理が終了され、血圧脈拍データ表示画面６２ｃに対する図９に示す処理が処理Ｓ４１から開始される。
【０１３７】
前記処理Ｓ４４では、携帯端末装置ＴＡは、ＴＡバイタル処理部３２２によって、同種過去条件一致検索ボタン６２１３−１の入力操作を、前記ＴＡ入力部３４で受け付けたか否かを判定する。この判定の結果、同種過去条件一致検索ボタン６２１３−１の入力操作を受け付けていない場合（Ｎｏ）には、ＴＡバイタル処理部３２２は、次に、処理Ｓ４５を実行する。一方、前記判定の結果、同種過去条件一致検索ボタン６２１３−１の入力操作を受け付けている場合（Ｙｅｓ）には、ＴＡバイタル処理部３２２は、同種過去条件一致検索処理（Ｓ６３）を実行し、処理を処理Ｓ４２に戻す。
【０１３８】
この同種過去条件一致検索処理Ｓ６３では、より具体的には、管理サーバ装置ＳＶと共に、次のような各処理が実行される。
【０１３９】
図１６において、同種過去条件一致検索ボタン６２１３−１の入力操作を受け付けると、現在、ＴＡ表示部３５に表示されているバイタルの種類と同種でマーキング条件を満たすバイタルデータを検索するために、まず、携帯端末装置ＴＡは、ＴＡバイタル処理部３２２によって、バイタルの種類が同一であるバイタルのデータの中でマーキング条件を満たすバイタルのデータに対する過去への検索を要求する通信信号（第９Ａ通信信号、同種過去検索要求通信信号）を管理サーバ装置ＳＶ宛に生成する（Ｃ１０１ａ）。より具体的には、ＴＡバイタル処理部３２２は、検索の対象者を指定するために、バイタル表示通知通信信号の受信によってＴＡ表示部３５に現在表示されているバイタルデータ表示画面（この例では体温データ表示画面６２ａ）における被監視者名表示領域６２５に表示されている被監視者名を取得する。この例では、例えば図２１に示す体温データ表示画面６２ａにおける被監視者名表示領域６２５に表示されている被監視者名；「Ａさん」が取得される。次に、ＴＡバイタル処理部３２２は、検索の起点を指定するために、バイタル表示通知通信信号の受信によってＴＡ表示部３５に現在表示されているバイタルデータ表示画面における表示期間表示領域６２３１に表示されている表示期間を表す情報（表示期間情報）を取得する。前記表示期間情報は、例えば表示期間幅およびその起点の日付、あるいは、表示期間幅およびその終点の日付、あるいは、表示期間幅における起点および終点の各日付、あるいは、表示期間幅ならびにこの表示期間幅における起点および終点の各日付である。この図２１に示す例では、例えば前記表示期間幅として「７日間」が取得され、その終点の日付として２０１６年０６月２３日が取得される。次に、ＴＡバイタル処理部３２２は、検索の対象となるバイタルの種類を指定するために、バイタル表示通知通信信号の受信によってＴＡ表示部３５に現在表示されているバイタルデータ表示画面の種類を判定することによって、バイタルの種類（バイタル種情報）を取得する。この例では、図２１に示す体温データ表示画面６２ａがＴＡ表示部３５に表示されているので、バイタル種情報として「体温」が取得される。そして、ＴＡバイタル処理部３２２は、マーキング条件を満たすバイタルのデータに対する同種で過去への検索を要求する指示（コマンド、命令）、被監視者名（この例では「Ａさん」）、バイタル種情報（この例は「体温」）、表示期間情報（この例では表示期間幅として「７日間」、終点の日付として「２０１６年６月２３日」）、および、自機の端末ＩＤを収容する同種過去検索要求通信信号を管理サーバ装置ＳＶ宛に生成する。本実施形態では、上述したように、被監視者名は、これに対応するセンサＩＤに変換され、前記同種過去検索要求通信信号には、前記被監視者名に代え、この変換したセンサＩＤが収容される。
【０１４０】
次に、携帯端末装置ＴＡは、ＴＡバイタル処理部３２２によって、この生成した同種過去検索要求通信信号をＴＡ通信ＩＦ部３１でネットワークＮＷへ送信する（Ｃ１０２ａ）。
【０１４１】
この携帯端末装置ＴＡから送信された同種過去検索要求通信信号は、ネットワークＮＷによって管理サーバ装置ＳＶへ送信される。この同種過去検索要求通信信号が管理サーバ装置ＳＶで受信されると、図７を用いて上述した処理Ｓ１、処理Ｓ２および処理Ｓ９の各処理が実行される。
【０１４２】
この処理Ｓ９では、より詳しくは、図１６において、まず、管理サーバ装置ＳＶは、ＳＶバイタル処理部２２２によって、前記処理Ｓ１で受信された同種過去検索要求通信信号に基づいて所定のマーキング条件を取得する（Ｃ９１ａ）。より具体的には、ＳＶバイタル処理部２２２は、ＳＶ記憶部２３のマーキング条件情報記憶部２３２に記憶されているマーキング条件情報から、前記処理Ｓ１で受信された同種過去検索要求通信信号に収容されていたバイタル種情報（この例では「体温」）に対応するマーキング条件を取り出す。より詳しくは、ＳＶバイタル処理部２２２は、マーキング条件情報記憶部２３２に記憶されているマーキング条件情報テーブルＣＴにおけるバイタル種類名フィールド２３２１に、前記処理Ｓ１で受信された同種過去検索要求通信信号に収容されていたバイタル種情報（この例では「体温」）を登録するレコードを検索し、この検索したレコードのマーキング条件フィールド２３２２に登録されているマーキング条件を取り出す。この例であって図５に示す例では、マーキング条件として「３７℃以上」が取り出される。
【０１４３】
次に、管理サーバ装置ＳＶは、ＳＶバイタル処理部２２２によって、前記処理Ｓ１で受信された同種過去検索要求通信信号に基づいて、同種のバイタルのデータの中でマーキング条件を満たすバイタルのデータを過去へ検索する（Ｃ９２ａ）。より具体的には、ＳＶバイタル処理部２２２は、上述のバイタル表示通知通信信号によって携帯端末装置ＴＡに表示させているバイタルのデータにおけるバイタルの種類で、前記バイタル表示通知通信信号によって前記携帯端末装置ＴＡに表示させている前記バイタルのデータにおける表示期間幅ごとに、前記バイタル表示通知通信信号によって前記携帯端末装置ＴＡに表示させている前記バイタルのデータに対し過去の直近であって、かつ、前記取り出したマーキング条件情報で表されるマーキング条件を満たすバイタルのデータを検索する。すなわち、ＳＶバイタル処理部２２２は、前記処理Ｓ１で受信された同種過去検索要求通信信号に収容された被監視者名（センサＩＤ）およびバイタル種情報それぞれで表される被監視者およびバイタルの種類に対応するバイタルのデータの中から、前記同種過去検索要求通信信号に収容されたに収容された前記表示期間幅の終点の日付から、前記同種過去検索要求通信信号に収容されたに収容された表示期間幅ごとに、前記取り出したマーキング条件情報で表されるマーキング条件を過去で最初に満たすバイタルのデータを検索する。より具体的には、ＳＶバイタル処理部２２２は、ＳＶ記憶部２３のバイタル情報記憶部２３１に記憶されているバイタル情報から、前記処理Ｓ１で受信された同種過去検索要求通信信号に収容されたセンサＩＤに対応するバイタル情報を取り出し、この取り出したバイタル情報から、記処理Ｓ１で受信された同種過去検索要求通信信号に収容されたバイタル種情報で表されるバイタルの種類であって、前記取り出したマーキング条件を満たす過去で直近のバイタルのデータを検索する。より詳しくは、まず、ＳＶバイタル処理部２２２は、バイタル情報記憶部２３１に記憶されているバイタル情報テーブルＶＴから、前記処理Ｓ１で受信された同種過去検索要求通信信号に収容されたセンサＩＤに対応するバイタル情報テーブルを取り出す。次に、ＳＶバイタル処理部２２２は、この取り出したバイタル情報テーブルＶＴにおける取得時フィールド２３１１に登録されている取得時を参照することによって、前記処理Ｓ１で受信された同種過去検索要求通信信号に収容された表示期間幅における終点の日付から、前記同種過去検索要求通信信号に収容された表示期間幅で、バイタル種類名フィールド２３１２に、前記同種過去検索要求通信信号に収容されたバイタル種情報で表されるバイタルの種類名を登録するレコードを検索し、これら検索した各レコードにおける取得時フィールド２３１１、バイタル種類名フィールド２３１２およびバイタルデータフィールド２３１３に登録された取得時、バイタルの種類およびバイタルのデータそれぞれを取り出し、これら取り出したバイタルのデータの中に、マーキング条件を満たすバイタルのデータが有るか否かを判定する。この判定の結果、マーキング条件を満たすバイタルのデータが無い場合には、ＳＶバイタル処理部２２２は、マーキング条件を満たすバイタルのデータが有るまで、過去でマーキング条件を満たすバイタルのデータを検索するために、表示期間幅だけ過去へずらして上述と同様の処理を繰り返し実行する。一方、前記判定の結果、前記取り出したバイタルのデータの中に、マーキング条件を満たすバイタルのデータが有る場合には、ＳＶバイタル処理部２２２は、次の処理Ｃ９３ａを実行する。この例では、バイタル情報記憶部２３１からセンサＩＤ；「ＳＵ−１」（Ａさん）を持つバイタル情報テーブルＶＴ−１が取り出され、このバイタル情報テーブルＶＴ−１から、２０１６年０６月２３日から、過去へ７日ごとに、バイタル種類名フィールド２３１２に「体温」が登録された各レコードが検索され、これら検索した各レコードにおける取得時フィールド２３１１、バイタル種類名フィールド２３１２およびバイタルデータフィールド２３１３に登録された取得時、体温および体温のデータそれぞれが取り出され、この取り出され体温のデータの中に、３７℃以上のマーキング条件を満たす体温のデータが有るか否かが判定され、見つけられる。
【０１４４】
この処理Ｃ９３ａでは、管理サーバ装置ＳＶは、ＳＶバイタル処理部２２２によって、この検索結果に基づいて、所定のマークを付したバイタルデータ表示画面のデータ（電子ファイル）を生成する。より具体的には、ＳＶバイタル処理部２２２は、この検索されたマーキング条件を満たすバイタルのデータに対応する前記表示期間幅での、上述のバイタル表示通知通信信号によって携帯端末装置ＴＡに表示させている前記バイタルのデータにおける前記被監視者および前記バイタル種情報に対応するバイタルのデータを、バイタル情報記憶部２３１から上述のように取り出して前記表示期間幅での前記バイタルのデータを、前記マーキング条件を満たすバイタルのデータにはマークを付してバイタルデータ表示画面の電子ファイルを生成する。より詳しくは、ＳＶバイタル処理部２２２は、前記処理Ｃ９３ａで取り出した取得時、バイタルの種類およびバイタルのデータそれぞれを用いて、前記マーキング条件を満たすバイタルのデータにはマークＭＫ；「○」を付してバイタルデータ表示画面をマークアップ言語で生成し、バイタルデータ表示画面の電子ファイルを生成する。この例では、前記マーキング条件を満たすバイタルのデータにはマークＭＫ；「○」を付した体温データ表示画面６２ａの電子ファイルが生成される。例えば、０６／２１の体温のデータがマーキング条件を満たせば、図２１に破線の○で示すように、０６／２１の体温にマークＭＫ；「○」が付される。もちろん、２０１６年０６月１７日から２０１６年０６月２３日までにおける体温の各データがマーキング条件を満たしていない場合には、２０１６年０６月１６日以前の体温の各データの中から、表示期間幅ごとに、上述のようにマーキング条件を満たす体温のデータが検索（探索）され、マークＭＫ；「○」が付される。
【０１４５】
そして、前記処理Ｃ９３ａの次に、管理サーバ装置ＳＶは、ＳＶバイタル処理部２２２によって、前記処理Ｃ９３ａで生成したバイタルデータ表示画面の電子ファイル（この例では体温データ表示画面６２ａの電子ファイル）を収容したバイタル表示画面通知通信信号（第１０Ａ通信信号、第２通信信号）を、前記処理Ｓ１で受信した同種過去検索要求通信信号の送信元の携帯端末装置ＴＡ宛に生成する（Ｃ９４ａ）。なお、上述の処理Ｃ９１ａないし処理Ｃ９３ａの結果、マーキング条件を満たすバイタルのデータが検索されなかった場合には、ＳＶバイタル処理部２２２は、例えば「該当データなし」等の検索されなかった旨を表示中のバイタルデータ表示画面に重畳して、前記処理Ｓ１で受信した同種過去検索要求通信信号の送信元の携帯端末装置ＴＡに表示させるバイタル表示画面通知通信信号（第１０Ａ通信信号、第２通信信号）を、前記処理Ｓ１で受信した同種過去検索要求通信信号の送信元の携帯端末装置ＴＡ宛に生成する。
【０１４６】
そして、次に、管理サーバ装置ＳＶは、ＳＶバイタル処理部２２２によって、この生成したバイタル表示画面通知通信信号をＳＶ通信ＩＦ部２１でネットワークＮＷへ送信する（Ｃ９５ａ）。ここでは、ＳＶバイタル処理部２２２は、マーク付き体温のバイタル表示画面通知通信信号を送信する。
【０１４７】
前記処理Ｓ９では、管理サーバ装置ＳＶは、上述の各処理Ｃ９１ａ〜Ｃ９５ａを実行し、上述のように動作している。
【０１４８】
携帯端末装置ＴＡは、管理サーバ装置ＳＶからバイタル表示画面通知通信信号の返信を受信すると、ＴＡバイタル処理部３２２によって、この受信したバイタル表示画面通知通信信号に収容されたマーク付きのバイタルデータ表示画面をＴＡ表示部３５に表示する（Ｃ１０３ａ）。これによって、ここでは、携帯端末装置ＴＡのＴＡ表示部３５には、マーク付きの体温データ表示画面６２ａが表示される。
【０１４９】
前記処理Ｓ６３では、携帯端末装置ＴＡは、上述の各処理Ｃ１０１ａ〜Ｃ１０３ａを実行し、上述のように動作している。
【０１５０】
図９に戻って、前記処理Ｓ４５では、携帯端末装置ＴＡは、ＴＡバイタル処理部３２２によって、同種未来条件一致検索ボタン６２１３−２の入力操作を、前記ＴＡ入力部３４で受け付けたか否かを判定する。この判定の結果、同種未来条件一致検索ボタン６２１３−２の入力操作を受け付けていない場合（Ｎｏ）には、ＴＡバイタル処理部３２２は、次に、処理Ｓ４６を実行する。一方、前記判定の結果、同種未来条件一致検索ボタン６２１３−２の入力操作を受け付けている場合（Ｙｅｓ）には、ＴＡバイタル処理部３２２は、同種未来条件一致検索処理（Ｓ６４）を実行し、処理を処理Ｓ４２に戻す。
【０１５１】
この同種未来条件一致検索処理Ｓ６４は、より具体的には、管理サーバ装置ＳＶの各処理と共に、図１７に示されている。この図１７に示す同種未来条件一致検索処理Ｓ６４と、この図１６に示す同種過去条件一致検索処理Ｓ６３とを対比すると分かるように、前記図１６に示す同種過去条件一致検索処理Ｓ６３では検索の時間方向が過去であったが、前記図１７に示す同種未来条件一致検索処理Ｓ６４では検索の時間方向が未来である点を除き、前記図１７に示す同種未来条件一致検索処理Ｓ６４は、前記図１６に示す同種過去条件一致検索処理Ｓ６３と、管理サーバ装置ＳＶの各処理も含めて同様であるので、その説明を省略する。前記図１７に示す同種未来条件一致検索処理Ｓ６４における管理サーバ装置ＳＶによって実行される処理Ｃ９１ｂないし処理Ｃ９５ｂの各処理は、図７に示す処理Ｓ１０に相当し、この処理Ｓ１０のより具体的な処理である。
【０１５２】
なお、上述の図２１に示す体温データ表示画面６２ａの例では、現在から過去７日分の体温データが表示されているので、同種未来条件一致検索ボタン６２１３−２が入力操作されても、上述のように、例えば「該当データなし」等の検索されなかった旨が表示中の体温データ表示画面６２ａに重畳して表示される。同種未来条件一致検索ボタン６２１３−２の入力操作が好適な例については、後述する。
【０１５３】
図９に戻って、前記処理Ｓ４６では、携帯端末装置ＴＡは、ＴＡバイタル処理部３２２によって、全種過去条件一致検索ボタン６２１４−１の入力操作を、前記ＴＡ入力部３４で受け付けたか否かを判定する。この判定の結果、全種過去条件一致検索ボタン６２１４−１の入力操作を受け付けていない場合（Ｎｏ）には、ＴＡバイタル処理部３２２は、次に、処理Ｓ４７を実行する。一方、前記判定の結果、全種過去条件一致検索ボタン６２１４−１の入力操作を受け付けている場合（Ｙｅｓ）には、ＴＡバイタル処理部３２２は、全種過去条件一致検索処理（Ｓ６５）を実行し、処理を処理Ｓ４２に戻す。
【０１５４】
この全種過去条件一致検索処理Ｓ６５では、より具体的には、管理サーバ装置ＳＶと共に、次のような各処理が実行される。
【０１５５】
図１８において、全種過去条件一致検索ボタン６２１４−１の入力操作を受け付けると、全てのバイタルの種類におけるバイタルのデータの中でマーキング条件を満たすバイタルデータを検索するために、まず、携帯端末装置ＴＡは、ＴＡバイタル処理部３２２によって、全てのバイタルの種類におけるバイタルのデータの中でマーキング条件を満たすバイタルのデータに対する過去への検索を要求する通信信号（第１１Ａ通信信号、全種過去検索要求通信信号）を管理サーバ装置ＳＶ宛に生成する（Ｃ１２１ａ）。より具体的には、ＴＡバイタル処理部３２２は、検索の対象者を指定するために、バイタル表示通知通信信号の受信によってＴＡ表示部３５に現在表示されているバイタルデータ表示画面（この例では体温データ表示画面６２ａ）における被監視者名表示領域６２５に表示されている被監視者名を取得する。次に、ＴＡバイタル処理部３２２は、検索の起点を指定するために、バイタル表示通知通信信号の受信によってＴＡ表示部３５に現在表示されているバイタルデータ表示画面における表示期間表示領域６２３１に表示されている表示期間を表す表示期間情報を取得する。この図２１に示す例では、被監視者名；「Ａさん」が取得され、例えば前記表示期間幅として「７日間」が取得され、その終点の日付として２０１６年０６月２３日が取得される。そして、ＴＡバイタル処理部３２２は、全種類のバイタルのデータに対する過去への検索を要求する指示（コマンド、命令）、被監視者名（この例では「Ａさん」）、表示期間情報（この例では表示期間幅として「７日間」、終点の日付として「２０１６年６月２３日」）、および、自機の端末ＩＤを収容する全種過去検索要求通信信号を管理サーバ装置ＳＶ宛に生成する。本実施形態では、上述したように、被監視者名は、これに対応するセンサＩＤに変換され、前記全種過去検索要求通信信号には、前記被監視者名に代え、この変換したセンサＩＤが収容される。
【０１５６】
次に、携帯端末装置ＴＡは、ＴＡバイタル処理部３２２によって、この生成した全種過去検索要求通信信号をＴＡ通信ＩＦ部３１でネットワークＮＷへ送信する（Ｃ１２２ａ）。
【０１５７】
この携帯端末装置ＴＡから送信された全種過去検索要求通信信号は、ネットワークＮＷによって管理サーバ装置ＳＶへ送信される。この全種過去検索要求通信信号が管理サーバ装置ＳＶで受信されると、図７を用いて上述した処理Ｓ１、処理Ｓ２および処理Ｓ１１の各処理が実行される。
【０１５８】
この処理Ｓ１１では、より詳しくは、図１８において、まず、管理サーバ装置ＳＶは、ＳＶバイタル処理部２２２によって、ＳＶ記憶部２３のマーキング条件情報記憶部２３２に記憶されている全種のマーキング条件情報を取得する（Ｃ１１１ａ）。より具体的には、ＳＶバイタル処理部２２２は、マーキング条件情報記憶部２３２に記憶されているマーキング条件情報テーブルＣＴにおけるマーキング条件フィールド２３２２に登録されている全てのマーキング条件情報を取り出す。
【０１５９】
次に、管理サーバ装置ＳＶは、ＳＶバイタル処理部２２２によって、前記処理Ｓ１で受信された同種過去検索要求通信信号に基づいて、全種のバイタルのデータの中でマーキング条件を満たすバイタルのデータを過去へ検索する（Ｃ１１２ａ）。より具体的には、ＳＶバイタル処理部２２２は、上述のバイタル表示通知通信信号によって携帯端末装置ＴＡに表示させているバイタルのデータにおける表示期間幅ごとに、前記バイタル表示通知通信信号によって前記携帯端末装置ＴＡに表示させている前記バイタルのデータに対し過去の直近であって、かつ、全てのバイタルの種類の中のいずれかで前記取り出したマーキング条件情報で表されるマーキング条件を満たすバイタルのデータを検索する。すなわち、ＳＶバイタル処理部２２２は、前記処理Ｓ１で受信された全種過去検索要求通信信号に収容された被監視者名（センサＩＤ）で表される被監視者に対応するバイタルのデータの中から、前記全種過去検索要求通信信号に収容されたに収容された前記表示期間幅の終点の日付から、前記全種過去検索要求通信信号に収容されたに収容された表示期間幅ごとに、前記取り出した全てのマーキング条件情報それぞれで表される全てのマーキング条件の中のいずれかで過去で最初にマーキング条件を満たすバイタルのデータを検索する。より具体的には、ＳＶバイタル処理部２２２は、ＳＶ記憶部２３のバイタル情報記憶部２３１に記憶されているバイタル情報から、前記処理Ｓ１で受信された全種過去検索要求通信信号に収容されたセンサＩＤに対応するバイタル情報を取り出し、この取り出したバイタル情報から、前記取り出した全てのマーキング条件の中のいずれかでマーキング条件を満たす過去で直近のバイタルのデータを検索する。より詳しくは、まず、ＳＶバイタル処理部２２２は、バイタル情報記憶部２３１に記憶されているバイタル情報テーブルＶＴから、前記処理Ｓ１で受信された全種過去検索要求通信信号に収容されたセンサＩＤに対応するバイタル情報テーブルを取り出す。次に、ＳＶバイタル処理部２２２は、この取り出したバイタル情報テーブルＶＴにおける取得時フィールド２３１１に登録されている取得時を参照することによって、前記処理Ｓ１で受信された全種過去検索要求通信信号に収容された表示期間幅における終点の日付から、前記全種過去検索要求通信信号に収容された表示期間幅で、レコードを検索し、これら検索した各レコードにおける取得時フィールド２３１１、バイタル種類名フィールド２３１２およびバイタルデータフィールド２３１３に登録された取得時、バイタルの種類およびバイタルのデータそれぞれを取り出し、これら取り出したバイタルのデータの中に、全てのマーキング条件の中のいずれかでマーキング条件を満たすバイタルのデータが有るか否かを判定する。この判定の結果、マーキング条件を満たすバイタルのデータが無い場合には、ＳＶバイタル処理部２２２は、全てのマーキング条件の中のいずれかでマーキング条件を満たすバイタルのデータが有るまで、過去で全てのマーキング条件の中のいずれかでマーキング条件を満たすバイタルのデータを検索するために、表示期間幅だけ過去へずらして上述と同様の処理を繰り返し実行する。一方、前記判定の結果、前記取り出したバイタルのデータの中に、マーキング条件を満たすバイタルのデータが有る場合には、ＳＶバイタル処理部２２２は、次の処理Ｃ１１３ａを実行する。なお、複数のバイタルの種類でマーキング条件を満たすバイタルのデータが見つけられた場合には、過去で直近でマーキング条件を満たすバイタルのデータが選択される。この例では、バイタル情報記憶部２３１からセンサＩＤ；「ＳＵ−１」（Ａさん）を持つバイタル情報テーブルＶＴ−１が取り出され、このバイタル情報テーブルＶＴ−１から、２０１６年０６月２３日から、過去へ７日ごとに、各レコードが検索され、これら検索した各レコードにおける取得時フィールド２３１１、バイタル種類名フィールド２３１２およびバイタルデータフィールド２３１３に登録された取得時、バイタルの種類名およびバイタルのデータそれぞれが取り出され、この取り出されバイタルのデータの中に、全てのマーキング条件の中のいずれかでマーキング条件を満たすバイタルのデータが有るか否かが判定され、見つけられる。例えば、バイタルの種類名が「血圧」である場合には、その血圧のデータが最高血圧で１４０以上であるか否か、最低血圧で９０以上であるか否かが判定され、また例えば、バイタルの種類名が「睡眠状態」である場合には、その睡眠状態のデータが、一晩当たり累積睡眠時間で４時間未満であるか否かが判定される。
【０１６０】
この処理Ｃ１１３ａでは、管理サーバ装置ＳＶは、ＳＶバイタル処理部２２２によって、この検索結果に基づいて、所定のマークを付したバイタルデータ表示画面のデータ（電子ファイル）を生成する。より具体的には、ＳＶバイタル処理部２２２は、この検索されたマーキング条件を満たすバイタルのデータに対応する前記表示期間幅での、上述のバイタル表示通知通信信号によって携帯端末装置ＴＡに表示させている前記バイタルのデータにおける前記被監視者および前記検索されたマーキング条件を満たすバイタルのデータにおける前記バイタル種情報に対応するバイタルのデータを、バイタル情報記憶部２３１から取り出して前記表示期間幅での前記バイタルのデータを、前記マーキング条件を満たすバイタルのデータにはマークを付してバイタルデータ表示画面の電子ファイルを生成する。より詳しくは、ＳＶバイタル処理部２２２は、前記処理Ｃ１１３ａで取り出した取得時、バイタルの種類およびバイタルのデータの中から、前記検索されたマーキング条件を満たすバイタルのデータにおけるバイタルの種類に対応する取得時およびバイタルのデータを抜き出し、前記検索されたマーキング条件を満たすバイタルのデータにおけるバイタルの種類、ならびに、前記抜き出した取得時およびバイタルのデータそれぞれを用いて、前記マーキング条件を満たすバイタルのデータにはマークＭＫ；「○」を付してバイタルデータ表示画面をマークアップ言語で生成し、バイタルデータ表示画面の電子ファイルを生成する。
【０１６１】
そして、前記処理Ｃ１１３ａの次に、管理サーバ装置ＳＶは、ＳＶバイタル処理部２２２によって、前記処理Ｃ１１３ａで生成したバイタルデータ表示画面の電子ファイルを収容したバイタル表示画面通知通信信号（第１２Ａ通信信号、第２通信信号）を、前記処理Ｓ１で受信した全種過去検索要求通信信号の送信元の携帯端末装置ＴＡ宛に生成する（Ｃ１１４ａ）。なお、上述の処理Ｃ１１１ａないし処理Ｃ１１３ａの結果、いずれのマーキング条件を満たすバイタルのデータが検索されなかった場合には、ＳＶバイタル処理部２２２は、例えば「該当データなし」等の検索されなかった旨を表示中のバイタルデータ表示画面に重畳して、前記処理Ｓ１で受信した全種過去検索要求通信信号の送信元の携帯端末装置ＴＡに表示させるバイタル表示画面通知通信信号（第１２Ａ通信信号、第２通信信号）を、前記処理Ｓ１で受信した全種過去検索要求通信信号の送信元の携帯端末装置ＴＡ宛に生成する。
【０１６２】
そして、次に、管理サーバ装置ＳＶは、ＳＶバイタル処理部２２２によって、この生成したバイタル表示画面通知通信信号をＳＶ通信ＩＦ部２１でネットワークＮＷへ送信する（Ｃ１１５ａ）。ここでは、ＳＶバイタル処理部２２２は、マーク付きのバイタル表示画面通知通信信号を送信する。
【０１６３】
前記処理Ｓ１１では、管理サーバ装置ＳＶは、上述の各処理Ｃ１１１ａ〜Ｃ１１５ａを実行し、上述のように動作している。
【０１６４】
携帯端末装置ＴＡは、管理サーバ装置ＳＶからバイタル表示画面通知通信信号の返信を受信すると、ＴＡバイタル処理部３２２によって、この受信したバイタル表示画面通知通信信号に収容されたマーク付きのバイタルデータ表示画面をＴＡ表示部３５に表示する（Ｃ１２３ａ）。これによって、携帯端末装置ＴＡのＴＡ表示部３５には、マーク付きのバイタルデータ表示画面が表示される。
【０１６５】
前記処理Ｓ６５では、携帯端末装置ＴＡは、上述の各処理Ｃ１２１ａ〜Ｃ１２３ａを実行し、上述のように動作している。
【０１６６】
図９に戻って、前記処理Ｓ４７では、携帯端末装置ＴＡは、ＴＡバイタル処理部３２２によって、全種未来条件一致検索ボタン６２１４−２の入力操作を、前記ＴＡ入力部３４で受け付けたか否かを判定する。この判定の結果、全種未来条件一致検索ボタン６２１４−２の入力操作を受け付けていない場合（Ｎｏ）には、ＴＡバイタル処理部３２２は、次に、処理Ｓ４８を実行する。一方、前記判定の結果、全種未来条件一致検索ボタン６２１４−２の入力操作を受け付けている場合（Ｙｅｓ）には、ＴＡバイタル処理部３２２は、全種未来条件一致検索処理（Ｓ６６）を実行し、処理を処理Ｓ４２に戻す。
【０１６７】
この全種未来条件一致検索処理Ｓ６６は、より具体的には、管理サーバ装置ＳＶの各処理と共に、図１９に示されている。この図１９に示す全種未来条件一致検索処理Ｓ６６と、この図１８に示す全種過去条件一致検索処理Ｓ６５とを対比すると分かるように、前記図１８に示す全種過去条件一致検索処理Ｓ６５では検索の時間方向が過去であったが、前記図１９に示す全種未来条件一致検索処理Ｓ６６では検索の時間方向が未来である点を除き、前記図１９に示す全種未来条件一致検索処理Ｓ６６は、前記図１８に示す全種過去条件一致検索処理Ｓ６５と、管理サーバ装置ＳＶの各処理も含めて同様であるので、その説明を省略する。前記図１９に示す全種未来条件一致検索処理Ｓ６６における管理サーバ装置ＳＶによって実行される処理Ｃ１１１ｂないし処理Ｃ１１５ｂの各処理は、図７に示す処理Ｓ１２に相当し、この処理Ｓ１２のより具体的な処理である。
【０１６８】
図９に戻って、前記処理Ｓ４８では、携帯端末装置ＴＡは、ＴＡバイタル処理部３２２によって、表示期間過去シフトボタン６２３２−１の入力操作を、前記ＴＡ入力部３４で受け付けたか否かを判定する。この判定の結果、表示期間過去シフトボタン６２３２−１の入力操作を受け付けていない場合（Ｎｏ）には、ＴＡバイタル処理部３２２は、次に、処理Ｓ４９を実行する。一方、前記判定の結果、表示期間過去シフトボタン６２３２−１の入力操作を受け付けている場合（Ｙｅｓ）には、ＴＡバイタル処理部３２２は、表示期間幅で１区間だけ過去へずらしてバイタルのデータを表示する期間過去シフト処理（Ｓ６７）を実行し、処理を処理Ｓ４２に戻す。
【０１６９】
この期間過去シフト処理Ｓ６７は、より具体的には、管理サーバ装置ＳＶの各処理と共に、図１４に示されている。
【０１７０】
図１４において、表示期間過去シフトボタン６２３２−１の入力操作を受け付けると、表示期間幅で１区間だけ過去へずらしてバイタルのデータを表示するために、まず、携帯端末装置ＴＡは、ＴＡバイタル処理部３２２によって、取得時情報の変更を要求する通信信号（第７Ａ通信信号、表示期間過去変更要求通信信号）を管理サーバ装置ＳＶ宛に生成する（Ｃ８１ａ）。より具体的には、ＴＡバイタル処理部３２２は、表示の対象者を指定するために、バイタル表示通知通信信号の受信によってＴＡ表示部３５に現在表示されているバイタルデータ表示画面（この例では体温データ表示画面６２ａ）における被監視者名表示領域６２５に表示されている被監視者名を取得する。次に、ＴＡバイタル処理部３２２は、変更対象となる現行の取得時情報を取得するために、バイタル表示通知通信信号の受信によってＴＡ表示部３５に現在表示されているバイタルデータ表示画面における表示期間表示領域６２３１に表示されている表示期間情報を取得する。次に、ＴＡバイタル処理部３２２は、表示の対象となるバイタルの種類を指定するために、バイタル表示通知通信信号の受信によってＴＡ表示部３５に現在表示されているバイタルデータ表示画面の種類を判定することによって、バイタルの種類（バイタル種情報）を取得する。この図２１に示す例では、被監視者名；「Ａさん」が取得され、例えば前記表示期間幅として「７日間」が取得され、その終点の日付として２０１６年０６月２３日が取得され、バイタル種情報として「体温」が取得される。そして、ＴＡバイタル処理部３２２は、取得時情報の過去への変更を要求する指示（コマンド、命令）、被監視者名（この例では「Ａさん」）、バイタル種情報（この例は「体温」）、表示期間情報（この例では表示期間幅として「７日間」、終点の日付として「２０１６年６月２３日」）、および、自機の端末ＩＤを収容する表示期間過去変更要求通信信号を管理サーバ装置ＳＶ宛に生成する。本実施形態では、上述したように、被監視者名は、これに対応するセンサＩＤに変換され、前記表示期間過去変更要求通信信号には、前記被監視者名に代え、この変換したセンサＩＤが収容される。
【０１７１】
次に、携帯端末装置ＴＡは、ＴＡバイタル処理部３２２によって、この生成した表示期間変更要求通信信号をＴＡ通信ＩＦ部３１でネットワークＮＷへ送信する（Ｃ８２ａ）。
【０１７２】
この携帯端末装置ＴＡから送信された表示期間過去要求通信信号は、ネットワークＮＷによって管理サーバ装置ＳＶへ送信される。この表示期間過去変更要求通信信号が管理サーバ装置ＳＶで受信されると、図７を用いて上述した処理Ｓ１、処理Ｓ２および処理Ｓ７の各処理が実行される。
【０１７３】
この処理Ｓ７では、より詳しくは、図１４において、まず、管理サーバ装置ＳＶは、ＳＶバイタル処理部２２２によって、前記処理Ｓ１で受信された表示期間過去変更要求通信信号に基づいて表示中の表示期間幅を過去へ１区間だけシフトして表示期間幅を更新する（Ｃ７１ａ）。より具体的には、ＳＶバイタル処理部２２２は、上述のバイタル表示通知通信信号によって携帯端末装置ＴＡに表示させているバイタルのデータにおける表示期間幅に対応する取得時情報に対し前記表示期間幅だけ過去へずらした取得時情報を生成し、取得時情報を更新する。すなわち、ＳＶバイタル処理部２２２は、前記処理Ｓ１で受信された表示期間過去変更要求通信信号に収容された表示期間幅における終点の日付（更新前の終点の日付）に、前記表示期間過去変更要求通信信号に収容された表示期間幅を減算することによって、新たな表示期間幅における終点の日付（更新後の終点の日付）を生成し、この新たな表示期間幅における終点の日付を起点に過去へ、前記表示期間過去変更要求通信信号に収容された表示期間幅で、新たな表示期間幅を設定することによって、表示期間幅を更新する。この図２１に示す例では、前記処理Ｓ１で受信された表示期間過去変更要求通信信号には、上述したように、表示期間幅として「７日間」が収容され、その終点の日付として２０１６年０６月２３日が収容されている。このため、現行の表示期間幅である２０１６年０６月１７日から２０１６年０６月２３日までの表示期間幅における終点の日付である２０１６年０６月２３日から、現行の表示期間幅である７日間が減算されることによって、新たな表示期間幅における終点の日付として２０１６年０６月１６日が求められ、この２０１６年０６月１６日を起点に過去へ、現行の表示期間幅である７日間で、新たな表示期間幅が設定されることによって、更新された新たな表示期間幅として２０１６年０６月０９日から２０１６年０６月１６日が求められる。
【０１７４】
次に、管理サーバ装置ＳＶは、ＳＶバイタル処理部２２２によって、前記処理Ｃ７１ａで生成した更新の表示期間幅での、上述のバイタル表示通知通信信号によって携帯端末装置ＴＡに表示させているバイタルのデータにおける被監視者およびバイタル種情報に対応するバイタルのデータを、ＳＶ記憶部２３のバイタル情報記憶部２３１から抽出し、取得する（Ｃ７２ａ）。すなわち、ＳＶバイタル処理部２２２は、前記処理Ｃ７１ａで生成した更新の表示期間幅での、前記処理Ｓ１で受信された表示期間過去変更要求通信信号で指定された被監視者Ｏｂ（センサＩＤ）およびバイタル種情報のバイタルのデータをバイタル情報記憶部２３１から抽出し、取得する。より具体的には、ＳＶバイタル処理部２２２は、前記処理Ｓ１で受信した表示期間変更要求通信信号に収容されたセンサＩＤに対応するバイタル情報テーブルＶＴをバイタル情報記憶部２３１から検索する。次に、ＳＶバイタル処理部２２２は、この検索したバイタル情報テーブルＶＴにおける取得時フィールド２３１１およびバイタル種類名フィールド２３１２それぞれの各登録内容を参照し、前記取得時フィールド２３１１に前記処理Ｃ７１ａで生成した更新の表示期間幅に属する取得時情報を登録し、かつ、バイタル種類名フィールド２３１２に「体温」を登録するレコードを検索し、これら検索した各レコードにおけるバイタルデータフィールド２３１３から体温の各データを取得する。上述の例では、２０１６年６月９日から２０１６年６月１６日までの各日に取得された体温のデータが取得される。
【０１７５】
次に、管理サーバ装置ＳＶは、ＳＶバイタル処理部２２２によって、前記処理Ｃ７１ａで生成した更新の表示期間幅での、上述のバイタル表示通知通信信号によって携帯端末装置ＴＡに表示させているバイタルのデータにおける被監視者およびバイタル種情報に対応するバイタルのデータを、前記携帯端末装置ＴＡに表示されるバイタルデータ表示画面のデータ（電子ファイル）を生成する（Ｃ７３ａ）。すなわち、ＳＶバイタル処理部２２２は、前記処理Ｃ７１ａで生成した更新の表示期間幅での、前記処理Ｓ１で受信された表示期間過去変更要求通信信号で指定された被監視者Ｏｂ（センサＩＤ）およびバイタル種情報のバイタルのデータを、前記携帯端末装置ＴＡに表示されるバイタルデータ表示画面のデータ（電子ファイル）を生成する。より具体的には、ＳＶバイタル処理部２２２は、上述の処理Ｃ７２ａで取得した、前記表示期間幅でのバイタルの各データに基づいて、バイタルデータ表示画面を前記マークアップ言語で記述することによって生成し、バイタルデータ表示画面のデータ（電子ファイル）を生成する。この例では、携帯端末装置ＴＡには、体温データ表示画面６２ａが表示されているので、ＳＶバイタル処理部２２２は、上述の処理Ｃ７２ａで取得した、前記表示期間幅（２０１６年０６月９日から２０１６年０６月１６日までの表示期間幅）での体温の各データに基づいて、体温データ表示画面６２ａを新たに生成し、体温データ表示画面６２ａの電子ファイルを新たに生成する。
【０１７６】
次に、管理サーバ装置ＳＶは、ＳＶバイタル処理部２２２によって、前記処理Ｃ７３ａで生成したバイタルデータ表示画面の電子ファイルを収容したバイタル表示画面通知通信信号（第８Ａ通信信号、第２通信信号）を、前記処理Ｓ１で受信した表示期間変更要求通信信号の送信元の携帯端末装置ＴＡ宛に生成する（Ｃ７４ａ）。
【０１７７】
そして、次に、管理サーバ装置ＳＶは、ＳＶバイタル処理部２２２によって、この生成したバイタル表示画面通知通信信号をＳＶ通信ＩＦ部２１でネットワークＮＷへ送信する（Ｃ７５ａ）。
【０１７８】
前記処理Ｓ７では、管理サーバ装置ＳＶは、上述の各処理Ｃ７１ａ〜Ｃ７５ａを実行し、上述のように動作している。
【０１７９】
携帯端末装置ＴＡは、管理サーバ装置ＳＶからバイタル表示画面通知通信信号の返信を受信すると、ＴＡバイタル処理部３２２によって、この受信したバイタル表示画面通知通信信号に収容されたバイタルデータ表示画面をＴＡ表示部３５に表示する（Ｃ８３ａ）。これによって、この例では、携帯端末装置ＴＡのＴＡ表示部３５には、２０１６年０６月１７日から２０１６年０６月２３日までの表示期間幅から、１区間だけ過去へシフトした２０１６年０６月０９日から２０１６年０６月１６日までの表示期間幅を持つ体温データ表示画面６２ａが表示される。
【０１８０】
前記処理Ｓ６７では、携帯端末装置ＴＡは、上述の各処理Ｃ８１ａ〜Ｃ８３ａを実行し、上述のように動作している。
【０１８１】
図９に戻って、前記処理Ｓ４９では、携帯端末装置ＴＡは、ＴＡバイタル処理部３２２によって、表示期間未来シフトボタン６２３２−２の入力操作を、前記ＴＡ入力部３４で受け付けたか否かを判定する。この判定の結果、表示期間未来シフトボタン６２３２−２の入力操作を受け付けていない場合（Ｎｏ）には、ＴＡバイタル処理部３２２は、次に、処理Ｓ５０を実行する。一方、前記判定の結果、表示期間未来シフトボタン６２３２−２の入力操作を受け付けている場合（Ｙｅｓ）には、ＴＡバイタル処理部３２２は、表示期間幅で１区間だけ未来へずらしてバイタルのデータを表示する期間未来シフト処理（Ｓ６８）を実行し、処理を処理Ｓ４２に戻す。
【０１８２】
この期間未来シフト処理Ｓ６８は、より具体的には、管理サーバ装置ＳＶの各処理と共に、図１５に示されている。この図１５に示す期間未来シフト処理Ｓ６８と、この図１４に示す期間過去シフト処理Ｓ６７とを対比すると分かるように、前記図１４に示す期間過去シフト処理Ｓ６７では期間変更の時間方向が過去であったが、前記図１５に示す期間未来シフト処理Ｓ６８では期間変更の時間方向が未来である点を除き、前記図１５に示す期間未来シフト処理Ｓ６８は、前記図１４に示す期間過去シフト処理Ｓ６７と、管理サーバ装置ＳＶの各処理も含めて同様であるので、その説明を省略する。前記図１５に示す期間未来シフト処理Ｓ６８における管理サーバ装置ＳＶによって実行される処理Ｃ７１ｂないし処理Ｃ７５ｂの各処理は、図７に示す処理Ｓ８に相当し、この処理Ｓ８のより具体的な処理である。なお、表示期間幅で１区間だけ未来へずらした結果、バイタルのデータが無い場合、例えば、バイタル期間データ表示領域６２２には、バイタルのデータの無い画像が表示されて良い。
【０１８３】
図９に戻って、前記処理Ｓ５０では、携帯端末装置ＴＡは、ＴＡバイタル処理部３２２によって、表示期間過去延長ボタン６２３３−１の入力操作を、前記ＴＡ入力部３４で受け付けたか否かを判定する。この判定の結果、表示期間過去延長ボタン６２３３−１の入力操作を受け付けていない場合（Ｎｏ）には、ＴＡバイタル処理部３２２は、次に、処理Ｓ５１を実行する。一方、前記判定の結果、表示期間過去延長ボタン６２３３−１の入力操作を受け付けている場合（Ｙｅｓ）には、ＴＡバイタル処理部３２２は、表示期間幅を所定の延長期間幅だけ過去へ延長してバイタルのデータを表示する過去延長処理（Ｓ６９）を実行し、処理を処理Ｓ４２に戻す。
【０１８４】
この過去延長処理Ｓ６９は、より具体的には、管理サーバ装置ＳＶの各処理と共に、図１１に示されている。
【０１８５】
図１１において、表示期間過去延長ボタン６２３３−１の入力操作を受け付けると、表示期間幅を所定の延長期間幅だけ過去へ延長してバイタルのデータを表示するために、まず、携帯端末装置ＴＡは、ＴＡバイタル処理部３２２によって、表示期間幅の過去への延長を要求する通信信号（第３Ａ通信信号、過去延長要求通信信号）を管理サーバ装置ＳＶ宛に生成する（Ｃ４１ａ）。より具体的には、ＴＡバイタル処理部３２２は、表示の対象者を指定するために、バイタル表示通知通信信号の受信によってＴＡ表示部３５に現在表示されているバイタルデータ表示画面（この例では体温データ表示画面６２ａ）における被監視者名表示領域６２５に表示されている被監視者名を取得する。次に、ＴＡバイタル処理部３２２は、延長対象となる現行の取得時情報を取得するために、バイタル表示通知通信信号の受信によってＴＡ表示部３５に現在表示されているバイタルデータ表示画面における表示期間表示領域６２３１に表示されている表示期間情報を取得する。次に、ＴＡバイタル処理部３２２は、表示の対象となるバイタルの種類を指定するために、バイタル表示通知通信信号の受信によってＴＡ表示部３５に現在表示されているバイタルデータ表示画面の種類を判定することによって、バイタルの種類（バイタル種情報）を取得する。この図２１に示す例では、被監視者名；「Ａさん」が取得され、例えば前記表示期間幅として「７日間」が取得され、その終点の日付として２０１６年０６月２３日が取得され、バイタル種情報として「体温」が取得される。そして、ＴＡバイタル処理部３２２は、表示期間幅の過去への延長を要求する指示（コマンド、命令）、被監視者名（この例では「Ａさん」）、バイタル種情報（この例は「体温」）、表示期間情報（この例では表示期間幅として「７日間」、終点の日付として「２０１６年６月２３日」）、および、自機の端末ＩＤを収容する過去延長要求通信信号を管理サーバ装置ＳＶ宛に生成する。本実施形態では、上述したように、被監視者名は、これに対応するセンサＩＤに変換され、前記表示期間過去変更要求通信信号には、前記被監視者名に代え、この変換したセンサＩＤが収容される。
【０１８６】
次に、携帯端末装置ＴＡは、ＴＡバイタル処理部３２２によって、この生成した過去延長要求通信信号をＴＡ通信ＩＦ部３１でネットワークＮＷへ送信する（Ｃ４２ａ）。
【０１８７】
この携帯端末装置ＴＡから送信された過去延長要求通信信号は、ネットワークＮＷによって管理サーバ装置ＳＶへ送信される。この過去延長要求通信信号が管理サーバ装置ＳＶで受信されると、図７を用いて上述した処理Ｓ１、処理Ｓ２および処理Ｓ４の各処理が実行される。
【０１８８】
この処理Ｓ４では、より詳しくは、図１１において、まず、管理サーバ装置ＳＶは、ＳＶバイタル処理部２２２によって、前記処理Ｓ１で受信された過去延長要求通信信号に基づいて表示中の表示期間幅を所定の延長期間幅だけ過去へ延長して表示期間幅を更新する（Ｃ３１ａ）。より具体的には、ＳＶバイタル処理部２２２は、上述のバイタル表示通知通信信号によって携帯端末装置ＴＡに表示させているバイタルのデータにおける表示期間幅を所定の延長期間幅だけ延長した第２期間幅を新たな表示期間幅として生成し、表示期間幅を更新する。すなわち、ＳＶバイタル処理部２２２は、前記処理Ｓ１で受信された過去延長要求通信信号に収容された表示期間幅における終点の日付（更新前の終点の日付）を起点に過去へ、前記過去延長要求通信信号に収容された表示期間幅に前記所定の延長期間幅を加算した加算結果で、新たな表示期間幅を設定することによって、表示期間幅を更新する。図２１に示す例では、前記処理Ｓ１で受信された過去延長要求通信信号には、上述したように、表示期間幅として「７日間」が収容され、その終点の日付として２０１６年０６月２３日が収容されている。このため、前記所定の延長期間幅が１日である場合に、現行の表示期間幅である２０１６年０６月１７日から２０１６年０６月２３日までの表示期間幅における終点の日付である２０１６年０６月２３日を起点に過去へ、現行の表示期間幅である７日間に、前記所定の延長期間幅を加算した加算結果の８日間で、新たな表示期間幅が設定されることによって、更新された新たな表示期間幅として２０１６年０６月１６日から２０１６年０６月２３日が求められる。
【０１８９】
次に、管理サーバ装置ＳＶは、ＳＶバイタル処理部２２２によって、少なくとも、前記処理Ｃ３１ａで延長した延長期間幅での、上述のバイタル表示通知通信信号によって携帯端末装置ＴＡに表示させているバイタルのデータにおける被監視者およびバイタル種情報に対応するバイタルのデータを、ＳＶ記憶部２３のバイタル情報記憶部２３１から抽出し、取得する（Ｃ３２ａ）。すなわち、ＳＶバイタル処理部２２２は、少なくとも、前記処理Ｃ３１ａで延長した延長期間幅での、前記処理Ｓ１で受信された過去延長要求通信信号で指定された被監視者Ｏｂ（センサＩＤ）およびバイタル種情報のバイタルのデータをバイタル情報記憶部２３１から抽出し、取得する。上述の例では、ＳＶバイタル処理部２２２は、少なくとも２０１６年０６月１６日のバイタルのデータが取得される。このように少なくとも、前記処理Ｃ３１ａで延長した延長期間幅でのバイタルのデータが取得される場合では、過去延長要求通信信号の受信に対し直近で携帯端末装置ＴＡへ送信したバイタル表示通知通信信号に収容したバイタルのデータをＳＶ記憶部２３に記憶しておく必要がある。このため、本実施形態では、この記憶処理を不要とするために、延長期間幅で延長された新たな表示期間幅でのバイタルのデータが全て取得される。この場合では、この処理Ｃ３２ａでは、ＳＶバイタル処理部２２２は、前記処理Ｃ３１ａで生成した更新の表示期間幅での、上述のバイタル表示通知通信信号によって携帯端末装置ＴＡに表示させているバイタルのデータにおける被監視者およびバイタル種情報に対応するバイタルのデータを、ＳＶ記憶部２３のバイタル情報記憶部２３１から抽出し、取得する。すなわち、ＳＶバイタル処理部２２２は、前記処理Ｃ３１ａで生成した更新の表示期間幅での、前記処理Ｓ１で受信された表示期間過去変更要求通信信号で指定された被監視者Ｏｂ（センサＩＤ）およびバイタル種情報のバイタルのデータをバイタル情報記憶部２３１から抽出し、取得する。より具体的には、ＳＶバイタル処理部２２２は、前記処理Ｓ１で受信した表示期間変更要求通信信号に収容されたセンサＩＤに対応するバイタル情報テーブルＶＴをバイタル情報記憶部２３１から検索する。次に、ＳＶバイタル処理部２２２は、この検索したバイタル情報テーブルＶＴにおける取得時フィールド２３１１およびバイタル種類名フィールド２３１２それぞれの各登録内容を参照し、前記取得時フィールド２３１１に前記処理Ｃ３１ａで生成した更新の表示期間幅に属する取得時情報を登録し、かつ、バイタル種類名フィールド２３１２に「体温」を登録するレコードを検索し、これら検索した各レコードにおけるバイタルデータフィールド２３１３から体温の各データを取得する。上述の例では、２０１６年０６月１６日から２０１６年０６月２３日までの各日に取得された体温のデータが取得される。
【０１９０】
次に、管理サーバ装置ＳＶは、ＳＶバイタル処理部２２２によって、前記処理Ｃ３１ａで生成した更新の表示期間幅での、上述のバイタル表示通知通信信号によって携帯端末装置ＴＡに表示させているバイタルのデータにおける被監視者およびバイタル種情報に対応するバイタルのデータを、前記携帯端末装置ＴＡに表示されるバイタルデータ表示画面のデータ（電子ファイル）を生成する（Ｃ３３ａ）。すなわち、ＳＶバイタル処理部２２２は、前記処理Ｃ３１ａで生成した更新の表示期間幅での、前記処理Ｓ１で受信された過去延長要求通信信号で指定された被監視者Ｏｂ（センサＩＤ）およびバイタル種情報のバイタルのデータを、前記携帯端末装置ＴＡに表示されるバイタルデータ表示画面のデータ（電子ファイル）を生成する。より具体的には、ＳＶバイタル処理部２２２は、上述の処理Ｃ３２ａで取得した、前記表示期間幅でのバイタルの各データに基づいて、バイタルデータ表示画面を前記マークアップ言語で記述することによって生成し、バイタルデータ表示画面のデータ（電子ファイル）を生成する。この例では、携帯端末装置ＴＡには、体温データ表示画面６２ａが表示されているので、ＳＶバイタル処理部２２２は、上述の処理Ｃ３２ａで取得した、前記表示期間幅（２０１６年０６月１６日から２０１６年０６月２３日までの表示期間幅）での体温の各データに基づいて、体温データ表示画面６２ａを新たに生成し、体温データ表示画面６２ａの電子ファイルを新たに生成する。
【０１９１】
次に、管理サーバ装置ＳＶは、ＳＶバイタル処理部２２２によって、前記処理Ｃ３３ａで生成したバイタルデータ表示画面の電子ファイルを収容したバイタル表示画面通知通信信号（第４Ａ通信信号、第２通信信号）を、前記処理Ｓ１で受信した過去延長要求通信信号の送信元の携帯端末装置ＴＡ宛に生成する（Ｃ３４ａ）。
【０１９２】
そして、次に、管理サーバ装置ＳＶは、ＳＶバイタル処理部２２２によって、この生成したバイタル表示画面通知通信信号をＳＶ通信ＩＦ部２１でネットワークＮＷへ送信する（Ｃ３５ａ）。
【０１９３】
前記処理Ｓ４では、管理サーバ装置ＳＶは、上述の各処理Ｃ３１ａ〜Ｃ３５ａを実行し、上述のように動作している。
【０１９４】
携帯端末装置ＴＡは、管理サーバ装置ＳＶからバイタル表示画面通知通信信号の返信を受信すると、ＴＡバイタル処理部３２２によって、この受信したバイタル表示画面通知通信信号に収容されたバイタルデータ表示画面をＴＡ表示部３５に表示する（Ｃ４３ａ）。これによって、この例では、携帯端末装置ＴＡのＴＡ表示部３５には、２０１６年０６月１７日から２０１６年０６月２３日までの表示期間幅から、１日間だけ過去へ延長した２０１６年０６月１６日から２０１６年０６月２３日までの表示期間幅を持つ体温データ表示画面６２ａが表示される。
【０１９５】
前記処理Ｓ６９では、携帯端末装置ＴＡは、上述の各処理Ｃ４１ａ〜Ｃ４３ａを実行し、上述のように動作している。
【０１９６】
図９に戻って、前記処理Ｓ５１では、携帯端末装置ＴＡは、ＴＡバイタル処理部３２２によって、表示期間未来延長ボタン６２３３−２の入力操作を、前記ＴＡ入力部３４で受け付けたか否かを判定する。この判定の結果、表示期間未来延長ボタン６２３３−２の入力操作を受け付けていない場合（Ｎｏ）には、ＴＡバイタル処理部３２２は、次に、処理Ｓ５２を実行する。一方、前記判定の結果、表示期間未来延長ボタン６２３３−２の入力操作を受け付けている場合（Ｙｅｓ）には、ＴＡバイタル処理部３２２は、表示期間幅を所定の延長期間幅だけ未来へ延長してバイタルのデータを表示する未来延長処理（Ｓ７０）を実行し、処理を処理Ｓ４２に戻す。
【０１９７】
この未来延長処理Ｓ７０は、より具体的には、管理サーバ装置ＳＶの各処理と共に、図１２に示されている。この図１２に示す未来延長処理Ｓ７０と、この図１１に示す過去延長処理Ｓ６９とを対比すると分かるように、前記図１１に示す過去延長処理Ｓ６９では期間延長の時間方向が過去であったが、前記図１２に示す未来延長処理Ｓ７０では期間延長の時間方向が未来である点を除き、前記図１２に示す未来延長処理Ｓ７０は、前記図１１に示す過去延長処理Ｓ６９と、管理サーバ装置ＳＶの各処理も含めて同様であるので、その説明を省略する。前記図１２に示す未来延長処理Ｓ７０における管理サーバ装置ＳＶによって実行される処理Ｃ３１ｂないし処理Ｃ３５ｂの各処理は、図７に示す処理Ｓ５に相当し、この処理Ｓ５のより具体的な処理である。
【０１９８】
図９に戻って、前記処理Ｓ５２では、携帯端末装置ＴＡは、ＴＡバイタル処理部３２２によって、バイタル種選択ボタン６２４の入力操作を、前記ＴＡ入力部３４で受け付けたか否かを判定する。バイタル種選択ボタン６２４は、本実施形態では、上述したように、「体温」ボタン６２４１、「微体動数」ボタン６２４２、「血圧」ボタン６２４３および「睡眠状態」ボタン６２４４であるので、この処理Ｓ５２では、これら「体温」ボタン６２４１、「微体動数」ボタン６２４２、「血圧」ボタン６２４３および「睡眠状態」ボタン６２４４のうちのいずれかの入力操作を、前記ＴＡ入力部３４で受け付けたか否かが判定される。この判定の結果、バイタル種選択ボタン６２４の入力操作を受け付けていない場合（Ｎｏ）には、ＴＡバイタル処理部３２２は、処理を処理Ｓ４２に戻す。一方、前記判定の結果、バイタル種選択ボタン６２４の入力操作を受け付けている場合（Ｙｅｓ）には、ＴＡバイタル処理部３２２は、前記バイタル種選択ボタン６２４の入力操作で受け付けたバイタルの種類に対応するバイタルのデータを表示する種類変更処理（Ｓ５３）を実行し、本処理を終了する。すなわち、前記判定の結果、「微体動数」ボタン６２４２の入力操作を受け付けている場合には、微体動数のデータを表示する種類変更処理Ｓ５３が実行される。前記判定の結果、「血圧」ボタン６２４３の入力操作を受け付けている場合には、血圧および脈拍数の各データを表示する種類変更処理Ｓ５３が実行される。前記判定の結果、「睡眠状態」ボタン６２４４の入力操作を受け付けている場合には、睡眠状態のデータを表示する種類変更処理Ｓ５３が実行される。なお、前記判定の結果、「体温」ボタン６２４１の入力操作を受け付けている場合には、体温のデータを表示する種類変更処理Ｓ５３が実行されて良い。
【０１９９】
この種類変更処理Ｓ５３は、より具体的には、管理サーバ装置ＳＶの各処理と共に、図１３に示されている。
【０２００】
図１３において、バイタル種選択ボタン６２４の入力操作を受け付けると、この受け付けたバイタルの種類に対応するバイタルのデータを表示するために、まず、携帯端末装置ＴＡは、ＴＡバイタル処理部３２２によって、バイタル種情報を指定してバイタルのデータを要求する（第５通信信号、種類変更要求通信信号）を管理サーバ装置ＳＶ宛に生成する（Ｃ６１）。より具体的には、ＴＡバイタル処理部３２２は、表示の対象者を指定するために、バイタル表示通知通信信号の受信によってＴＡ表示部３５に現在表示されているバイタルデータ表示画面（この例では体温データ表示画面６２ａ）における被監視者名表示領域６２５に表示されている被監視者名を取得する。次に、ＴＡバイタル処理部３２２は、表示対象となる現行の取得時情報を取得するために、バイタル表示通知通信信号の受信によってＴＡ表示部３５に現在表示されているバイタルデータ表示画面における表示期間表示領域６２３１に表示されている表示期間情報を取得する。この図２１に示す例では、被監視者名；「Ａさん」が取得され、例えば前記表示期間幅として「７日間」が取得され、その終点の日付として２０１６年０６月２３日が取得される。そして、ＴＡバイタル処理部３２２は、バイタルのデータの表示を要求する指示（コマンド、命令）、被監視者名（この例では「Ａさん」）、前記処理Ｓ５２で受け付けたバイタル種情報、表示期間情報（この例では表示期間幅として「７日間」、終点の日付として「２０１６年６月２３日」）、および、自機の端末ＩＤを収容する種類変更要求通信信号を管理サーバ装置ＳＶ宛に生成する。ここで、前記処理Ｓ５２で「微体動数」ボタン６２４２の入力操作を受け付けている場合には、前記バイタル種情報として「微体動数」が種類変更要求通信信号に収容される。前記処理Ｓ５２で「血圧」ボタン６２４３の入力操作を受け付けている場合には、前記バイタル種情報として「血圧」が種類変更要求通信信号に収容される。前記処理Ｓ５２で「睡眠状態」ボタン６２４４の入力操作を受け付けている場合には、前記バイタル種情報として「睡眠状態」が種類変更要求通信信号に収容される。なお、前記処理Ｓ５２で「体温」ボタン６２４１の入力操作を受け付けている場合には、前記バイタル種情報として「体温」が種類変更要求通信信号に収容されて良い。また、本実施形態では、上述したように、被監視者名は、これに対応するセンサＩＤに変換され、前記表示期間過去変更要求通信信号には、前記被監視者名に代え、この変換したセンサＩＤが収容される。
【０２０１】
次に、携帯端末装置ＴＡは、ＴＡバイタル処理部３２２によって、この生成した種類変更要求通信信号をＴＡ通信ＩＦ部３１でネットワークＮＷへ送信する（Ｃ６２）。
【０２０２】
この携帯端末装置ＴＡから送信された種類変更要求通信信号は、ネットワークＮＷによって管理サーバ装置ＳＶへ送信される。この種類変更要求通信信号が管理サーバ装置ＳＶで受信されると、図７を用いて上述した処理Ｓ１、処理Ｓ２および処理Ｓ６の各処理が実行される。
【０２０３】
この処理Ｓ６では、より詳しくは、図１３において、まず、管理サーバ装置ＳＶは、ＳＶバイタル処理部２２２によって、前記処理Ｓ１で受信された種類変更要求通信信号に基づいて表示中の表示期間幅での指定されたバイタルの種類に対応するバイタルのデータを抽出し、取得する（Ｃ５１）。より具体的には、ＳＶバイタル処理部２２２は、上述のバイタル表示通知通信信号によって携帯端末装置ＴＡに表示させているバイタルのデータにおける表示期間幅での、バイタル表示通知通信信号によって携帯端末装置ＴＡに表示させているバイタルのデータにおける被監視者、および、前記処理Ｓ１で受信された種類変更要求通信信号で指定されたバイタル種情報、に対応するバイタルのデータを、ＳＶ記憶部２３のバイタル情報記憶部２３１から抽出し、取得する。すなわち、ＳＶバイタル処理部２２２は、前記処理Ｓ１で受信された種類変更要求通信信号で指定された表示期間幅での、前記種類変更要求通信信号で指定された被監視者Ｏｂ（センサＩＤ）およびバイタル種情報のバイタルのデータをバイタル情報記憶部２３１から抽出し、取得する。より具体的には、ＳＶバイタル処理部２２２は、前記処理Ｓ１で受信した種類更要求通信信号に収容された取得時情報に応じた表示期間幅を求める。すなわち、ＳＶバイタル処理部２２２は、前記処理Ｓ１で受信した種類更要求通信信号に収容された表示期間幅における終点の日付を起点に過去へ前記表示期間幅を設定する。次に、ＳＶバイタル処理部２２２は、前記処理Ｓ１で受信した種類更要求通信信号に収容されたセンサＩＤに対応するバイタル情報テーブルＶＴをバイタル情報記憶部２３１から検索する。次に、ＳＶバイタル処理部２２２は、この検索したバイタル情報テーブルＶＴにおける取得時フィールド２３１１およびバイタル種類名フィールド２３１２それぞれの各登録内容を参照し、前記求めた表示期間幅に属する取得時情報を登録し、かつ、バイタル種類名フィールド２３１２に、前記種類更要求通信信号に収容されたバイタル種情報で表されるバイタルの種類名を登録するレコードを検索し、これら検索した各レコードにおけるバイタルデータフィールド２３１３からバイタルの各データを取得する。上述の例で、前記処理Ｓ５２で「微体動数」ボタン６２４２の入力操作を受け付けて前記種類変更要求通信信号にバイタル種情報として「微体動数」が収容されている場合には、２０１６年０６月１７日から２０１６年０６月２３日までの各日に取得された微体動数のデータが取得される。上述の例で、前記処理Ｓ５２で「血圧」ボタン６２４３の入力操作を受け付けて前記種類変更要求通信信号にバイタル種情報として「血圧」が収容されている場合には、２０１６年０６月１７日から２０１６年０６月２３日までの各日に取得された血圧および脈拍数の各データが取得される。上述の例で、前記処理Ｓ５２で「睡眠状態」ボタン６２４４の入力操作を受け付けて前記種類変更要求通信信号にバイタル種情報として「睡眠状態」が収容されている場合には、２０１６年０６月１７日から２０１６年０６月２３日までの各日に取得された睡眠状態のデータが取得される。なお、上述の例で、前記処理Ｓ５２で「体温」ボタン６２４１の入力操作を受け付けて前記種類変更要求通信信号にバイタル種情報として「体温」が収容されている場合には、２０１６年０６月１７日から２０１６年０６月２３日までの各日に取得された体温のデータが取得されて良い。
【０２０４】
次に、管理サーバ装置ＳＶは、ＳＶバイタル処理部２２２によって、上述のバイタル表示通知通信信号によって携帯端末装置ＴＡに表示させているバイタルのデータにおける表示期間幅での、バイタル表示通知通信信号によって携帯端末装置ＴＡに表示させているバイタルのデータにおける被監視者、および、前記処理Ｓ１で受信された種類変更要求通信信号で指定されたバイタル種情報、に対応するバイタルのデータを、前記携帯端末装置ＴＡに表示されるバイタルデータ表示画面のデータ（電子ファイル）を生成する（Ｃ５２）。すなわち、ＳＶバイタル処理部２２２は、前記処理Ｓ１で受信された種類変更要求通信信号で指定された表示期間幅での、前記種類変更要求通信信号で指定された被監視者Ｏｂ（センサＩＤ）およびバイタル種情報のバイタルのデータを、前記携帯端末装置ＴＡに表示されるバイタルデータ表示画面のデータ（電子ファイル）を生成する。より具体的には、ＳＶバイタル処理部２２２は、上述の処理Ｃ５１で取得した、前記表示期間幅でのバイタルの各データに基づいて、バイタルデータ表示画面を前記マークアップ言語で記述することによって生成し、バイタルデータ表示画面のデータ（電子ファイル）を生成する。上述の例で、前記処理Ｓ５２で「微体動数」ボタン６２４２の入力操作を受け付けて前記種類変更要求通信信号にバイタル種情報として「微体動数」が収容されている場合には、２０１６年０６月１７日から２０１６年０６月２３日までの表示期間幅での微体動数のデータに基づいて、微体動数データ表示画面を新たに生成し、微体動数データ表示画面の電子ファイルを新たに生成する。上述の例で、前記処理Ｓ５２で「血圧」ボタン６２４３の入力操作を受け付けて前記種類変更要求通信信号にバイタル種情報として「血圧」が収容されている場合には、２０１６年０６月１７日から２０１６年０６月２３日までの表示期間幅での血圧および脈拍数の各データに基づいて、例えば図２２に示す血圧脈拍データ表示画面６２ｃを新たに生成し、血圧脈拍データ表示画面６２ｃの電子ファイルを新たに生成する。上述の例で、前記処理Ｓ５２で「睡眠状態」ボタン６２４４の入力操作を受け付けて前記種類変更要求通信信号にバイタル種情報として「睡眠状態」が収容されている場合には、２０１６年０６月１７日から２０１６年０６月２３日までの表示期間幅での睡眠状態のデータに基づいて、例えば図２３に示す睡眠状態データ表示画面６２ｄを新たに生成し、睡眠状態データ表示画面６２ｄの電子ファイルを新たに生成する。なお、上述の例で、前記処理Ｓ５２で「体温」ボタン６２４１の入力操作を受け付けて前記種類変更要求通信信号にバイタル種情報として「体温」が収容されている場合には、２０１６年０６月１７日から２０１６年０６月２３日までの表示期間幅での体温のデータに基づいて、例えば図２１に示す体温データ表示画面６２ａを新たに生成し、体温データ表示画面６２ａの電子ファイルを新たに生成して良い。
【０２０５】
次に、管理サーバ装置ＳＶは、ＳＶバイタル処理部２２２によって、前記処理Ｃ５２で生成したバイタルデータ表示画面の電子ファイルを収容したバイタル表示画面通知通信信号（第６通信信号、第２通信信号）を、前記処理Ｓ１で受信した種類変更要求通信信号の送信元の携帯端末装置ＴＡ宛に生成する（Ｃ５３）。
【０２０６】
そして、次に、管理サーバ装置ＳＶは、ＳＶバイタル処理部２２２によって、この生成したバイタル表示画面通知通信信号をＳＶ通信ＩＦ部２１でネットワークＮＷへ送信する（Ｃ５４）。
【０２０７】
前記処理Ｓ６では、管理サーバ装置ＳＶは、上述の各処理Ｃ５１〜Ｃ５４を実行し、上述のように動作している。
【０２０８】
携帯端末装置ＴＡは、管理サーバ装置ＳＶからバイタル表示画面通知通信信号の返信を受信すると、ＴＡバイタル処理部３２２によって、この受信したバイタル表示画面通知通信信号に収容されたバイタルデータ表示画面をＴＡ表示部３５に表示する（Ｃ６３）。これによって、上述の例で、前記処理Ｓ５２で「微体動数」ボタン６２４２の入力操作を受け付けた場合には、携帯端末装置ＴＡのＴＡ表示部３５には、変更前の体温データ表示画面６２ａの表示期間幅と同じ２０１６年０６月１７日から２０１６年０６月２３日までの表示期間幅での微体動数データ表示画面が表示される。上述の例で、前記処理Ｓ５２で「血圧」ボタン６２４３の入力操作を受け付けた場合には、携帯端末装置ＴＡのＴＡ表示部３５には、変更前の体温データ表示画面６２ａの表示期間幅と同じ２０１６年０６月１７日から２０１６年０６月２３日までの表示期間幅での血圧脈拍データ表示画面６２ｃが表示される。上述の例で、前記処理Ｓ５２で「睡眠状態」ボタン６２４３の入力操作を受け付けた場合には、携帯端末装置ＴＡのＴＡ表示部３５には、変更前の体温データ表示画面６２ａの表示期間幅と同じ２０１６年０６月１７日から２０１６年０６月２３日までの表示期間幅での睡眠状態データ表示画面６２ｄが表示される。なお、上述の例で、前記処理Ｓ５２で「体温」ボタン６２４１の入力操作を受け付けた場合には、携帯端末装置ＴＡのＴＡ表示部３５には、変更前の体温データ表示画面６２ａの表示期間幅と同じ２０１６年０６月１７日から２０１６年０６月２３日までの表示期間幅での体温データ表示画面６２ａが表示されて良い。すなわち、「体温」ボタン６２４１の入力操作を受け付けた前後で、同じ体温データ表示画面６２ａが表示されて良い。
【０２０９】
前記処理Ｓ５３では、携帯端末装置ＴＡは、上述の各処理Ｃ６１〜Ｃ６３を実行し、上述のように動作している。
【０２１０】
そして、管理サーバ装置ＳＶは、ＳＶバイタル処理部２２２によって、前記バイタル表示要求通信信号、前記過去延長要求通信信号および前記未来延長要求通信信号のうちの少なくともいずれかを所定の時間内（例えば３分以内や５分以内や１０分以内等）に受信しない場合に、前記表示期間幅を前記デフォルト期間幅に戻して新たに前記表示期間幅とする。なお、ＳＶバイタル処理部２２２は、これに代え、あるいは、これに追加して、前記表示期間幅を前記デフォルト期間幅に戻すことを要求する通信信号（表示期間幅復帰要求通信信号）を携帯端末装置ＴＡから受信した場合に、前記表示期間幅を前記デフォルト期間幅に戻して新たに前記表示期間幅として良い。この場合には、バイタルデータ表示画面には、表示期間幅をデフォルト期間幅に戻す指示を受け付ける「表示期間幅復帰」ボタンがさらに設けられ、携帯端末装置ＴＡは、この「表示期間幅復帰」ボタンの入力操作を受け付けると、ＴＡバイタル処理部３２２によって、表示期間幅をデフォルト期間幅に戻す指示（命令、コマンド）、被監視者名（上述の例では「Ａさん」）、バイタル種情報（上述の例では「体温」）、表示期間幅における終点の日付、および、自機の端末ＩＤを収容した表示期間幅復帰要求通信信号を管理サーバ装置ＳＶ宛に生成し、この生成した表示期間幅復帰要求通信信号を管理サーバ装置ＳへＶへ送信する。表示期間幅復帰要求通信信号を受信すると、管理サーバ装置ＳＶは、表示期間幅復帰要求通信信号に収容された前記終点の日付を起点に過去へデフォルト期間幅で表示期間幅を設定し、この表示期間幅での、表示期間幅復帰要求通信信号に収容された情報に基づいてバイタルデータ表示画面を生成し、このバイタルデータ表示画面を収容したバイタル表示通知通信信号を前記携帯端末装置ＴＡ宛に生成し、この生成したバイタル表示通知通信信号を前記携帯端末装置ＴＡへ返信する。
【０２１１】
以上説明したように、本実施形態における被監視者監視支援システムＭＳ、その中央処理装置の一例である管理サーバ装置ＳＶおよびこれに実装された中央処理方法は、過去延長要求通信信号や未来延長要求通信信号を受信すると、前記バイタル表示通知通信信号によって端末装置ＳＰ、ＴＡに表示させた表示期間幅を前記延長期間幅だけ延長した第２期間幅を新たに前記表示期間幅とし、この期間幅を延長した表示期間幅で、新たなバイタル表示通知通信信号によって、前記端末装置ＳＰ、ＴＡにバイタルのデータを表示させる。したがって、上記被監視者監視支援システム、管理サーバ装置ＳＶおよび中央処理方法では、前記端末装置ＳＰ、ＴＡを扱うユーザは、延長前の表示期間幅では、バイタルのより細かい情報、例えば、バイタルにおける異常の起点、ピーク（あるいはボトム）、変化点および終点等の異常状態における各異常状態属性情報を把握できなかった場合でも、表示期間幅を延長して、延長後の表示期間幅で表示されるバイタルのデータを前記端末装置ＳＰ、ＴＡで参照することで、例えば前記異常状態属性情報等のバイタルのより細かい情報をより容易に把握できる。
【０２１２】
一具体例を挙げて説明すると、携帯端末装置ＴＡのＴＡ表示部３５には、図２４Ａに示すバイタル期間データ表示領域６２２を持つ体温データ表示画面６２ａが表示されているとする。図２４Ａに示すバイタル期間データ表示領域６２２には、０２月２１日から０２月２７日までの７日間の表示期間幅で、０２月２１日から０２月２４日まで徐々に上昇し、０２月２４から０２月２７日までの間で上下動を繰り返す体温データの折れ線グラフα１が表示されている。この上昇の起点を見つけるために、ユーザが表示期間過去シフトボタン６２３２−１の入力操作を実行すると、上述の動作によって、７日間の表示期間幅の１区間だけ過去へシフトした、０２月１４日から０２月２０日までの７日間の表示期間幅での、図２４Ｂに示すバイタル期間データ表示領域６２２を持つ体温データ表示画面６２ａが携帯端末装置ＴＡのＴＡ表示部３５に新たに表示される。図２４Ｂに示すバイタル期間データ表示領域６２２には、０２月１４日から０２月２０日までの間で上下動を繰り返す体温データの折れ線グラフα２が表示されている。このため、図２４Ｂでは、前記上昇の起点が分かり難い。しかしながら、図２４Ａに示すバイタル期間データ表示領域６２２を持つ体温データ表示画面６２ａが携帯端末装置ＴＡのＴＡ表示部３５に表示されている際に、ユーザが前記表示期間過去シフトボタン６２３２−１の入力操作に代えて表示期間過去延長ボタン６２３３−１の入力操作を、３回、実行すると、上述の動作によって、７日間の表示期間幅から３日間だけ過去へ延長した、０２月１８日から０２月２７日までの１０日間の表示期間幅での、図２４Ｃに示すバイタル期間データ表示領域６２２を持つ体温データ表示画面６２ａが携帯端末装置ＴＡのＴＡ表示部３５に新たに表示される。この場合では、図２４Ａに示す体温の折れ線グラフα１から、過去へ３日間に延びた図２４Ｃに示す体温の折れ線グラフα３が表示されるので、ユーザは、前記上昇の起点が０２月２１日であると、より明確に認識できる。このように端末装置ＳＰ、ＴＡを扱うユーザは、延長前の表示期間幅では、バイタルのより細かい情報を把握できなかった場合でも、表示期間幅を延長して、延長後の表示期間幅で表示されるバイタルのデータを前記端末装置ＳＰ、ＴＡで参照することで、より細かい情報をより容易に把握できる。
【０２１３】
上記被監視者監視支援システム、管理サーバ装置ＳＶおよび中央処理方法は、表示期間幅の延長後に、種類変更要求通信信号を受信すると、前記バイタル表示通知通信信号によって端末装置ＳＰ、ＴＡにバイタルのデータを表示させている表示時間幅と同じ表示時間幅で、前記種類変更要求通信信号で指定されたバイタル種情報に対応するバイタルのデータを、新たなバイタル表示通知通信信号によって、前記端末装置ＳＰ、ＴＡに表示させる。例えば、図２４Ｃに示すバイタル期間データ表示領域６２２を持つ体温データ表示画面６２ａが携帯端末装置ＴＡのＴＡ表示部３５に表示されている場合に、「血圧」ボタン６２４３の入力操作を受け付けると、上述の動作によって、０２月１８日から０２月２７日までの表示期間幅での血圧および脈拍数の各データを表示したバイタル期間データ表示領域６２２を持つ血圧脈拍データ表示画面６２ｃが携帯端末装置ＴＡのＴＡ表示部３５に表示される。したがって、このような被監視者監視支援システム、管理サーバ装置ＳＶおよび中央処理方法では、前記端末装置ＳＰ、ＴＡを扱うユーザは、第１種類のバイタルにおけるそのデータ（上述の例では体温のデータ）を前記端末装置ＳＰ、ＴＡで参照していた場合に、前記第１種類のバイタルにおける前記測定結果を表示している時間帯と同一の時間帯で、前記第１種類と異なる第２種類のバイタルにおけるそのデータ（上述の例では血圧および脈拍数の各データ）を前記端末装置ＳＰ、ＴＡで参照できる。このため、前記ユーザは、複数のバイタルのデータを前記端末装置ＳＰ、ＴＡで参照することで、被監視者Ｏｂの健康状態をより適切に把握可能となる。特に、表示期間幅を延長した場合のバイタル表示通知通信信号を前記端末装置ＳＰ、ＴＡへ返信した場合では、前記ユーザは、前記第１種類のバイタルについて、バイタルのより細かい情報を把握している場合があり、このような場合に、前記第２種類のバイタルも、前記第１種類のバイタルと同様な傾向を示しているか否かを前記端末装置ＳＰ、ＴＡで参照でき、被監視者Ｏｂの健康状態をより適切に把握可能となる。
【０２１４】
上記被監視者監視支援システム、管理サーバ装置ＳＶおよび中央処理方法は、表示期間過去変更要求通信信号や表示期間未来変更要求通信信号を受信すると、バイタル表示通知通信信号によって端末装置ＳＰ、ＴＡに表示させているバイタルのデータにおける表示期間幅に対し、前記表示期間幅だけずらした期間幅で、前記端末装置ＳＰ、ＴＡにバイタルのデータを表示させる。したがって、このような被監視者監視支援システム、管理サーバ装置ＳＶおよび中央処理方法では、前記端末装置ＳＰ、ＴＡを扱うユーザは、前記表示期間幅ごとにシフトさせながら、前記端末装置ＳＰ、ＴＡで前記バイタルのデータを参照できる。
【０２１５】
上記被監視者監視支援システム、管理サーバ装置ＳＶおよび中央処理方法は、マーキング条件を満たすバイタルのデータにはマークＭＫを付してバイタル表示通知通信信号によって端末装置ＳＰ、ＴＡにバイタルのデータを表示させる。したがって、前記端末装置ＳＰ、ＴＡを扱うユーザは、マークＭＫを見つけることで、マーキング条件を満たすバイタルのデータの存在を把握できる。特に、前記マーキング条件をバイタル（バイタルサイン）が異常値以上であることに規定することによって、前記ユーザは、バイタルの異常を容易に把握できる。
【０２１６】
上記被監視者監視支援システム、管理サーバ装置ＳＶおよび中央処理方法は、同種過去検索要求通信信号や同種未来検索要求通信信号を受信すると、バイタル表示通知通信信号によって端末装置ＳＰ、ＴＡに表示させているバイタルのデータにおけるバイタルの種類と同種のバイタルのデータの中から、前記バイタル表示通知通信信号によって前記端末装置ＳＰ、ＴＡに表示させている前記バイタルのデータに対し直近であって、かつ、前記マーキング条件を満たすバイタルのデータを検索し、この検索された前記マーキング条件を満たすバイタルのデータに対応する前記表示期間幅でのバイタルのデータを、前記端末装置ＳＰ、ＴＡに表示させる。したがって、このような被監視者監視支援システム、管理サーバ装置ＳＶおよび中央処理方法では、前記端末装置ＳＰ、ＴＡを扱うユーザは、前記端末装置ＳＰ、ＴＡに表示されている前記表示期間幅でのバイタルのデータに対し同種であって直近のマーキング条件を満たすバイタルのデータを参照できる。
【０２１７】
例えば、体温データ表示画面６２ａが表示されている場合に、表示期間過去シフトボタン６２３２−１の入力操作が、複数回、実行された後に、同種過去条件一致検索ボタン６２１３−１の入力操作が実行されると、表示期間幅を、複数回、表示期間幅でシフトした時点で、過去で直近の、マーキング条件を満たす体温のデータが検索される。
【０２１８】
また例えば、体温データ表示画面６２ａが表示されている場合に、表示期間過去シフトボタン６２３２−１の入力操作が、複数回、実行され、さらに、「微体動数」ボタン６２４２の入力操作が実行された後に、同種未来条件一致検索ボタン６２１３−２の入力操作が実行されると、表示期間幅を、複数回、表示期間幅でシフトした時点で、未来で直近の、マーキング条件を満たす微体動数のデータが検索される。このように同種未来条件一致検索ボタン６２１３−２は、過去のバイタルのデータが表示されている場合に、好適に、利用できる。そして、上述の場合に続けて、「体温」ボタン６２４１の入力操作が実行されると、マーキング条件を満たす微体動数のデータが検索された表示期間幅での体温データが表示され、マーキング条件を満たす微体動数のデータの場合の、体温データが参照でき、被監視者Ｏｂの健康状態をより適切に把握可能となる。
【０２１９】
上記被監視者監視支援システム、管理サーバ装置ＳＶおよび中央処理方法は、全種過去検索要求通信信号や全種未来検索要求通信信号を受信すると、全てのバイタルの種類におけるバイタルのデータの中から、バイタル表示通知通信信号によって端末装置ＳＰ、ＴＡに表示させているバイタルのデータに対し直近であって、かつ、マーキング条件を満たすバイタルのデータを検索し、この検索された前記マーキング条件を満たすバイタルのデータに対応する前記表示期間幅でのバイタルのデータを、前記端末装置ＳＰ、ＴＡに表示させる。したがって、このような被監視者監視支援システム、管理サーバ装置ＳＶおよび中央処理方法では、前記端末装置ＳＰ、ＴＡを扱うユーザは、前記端末装置ＳＰ、ＴＡに表示されている前記表示期間幅でのバイタルのデータに対しいずれかの種類であって直近のマーキング条件を満たすバイタルのデータを参照できる。
【０２２０】
例えば、体温データ表示画面６２ａが表示されている場合に、表示期間過去シフトボタン６２３２−１の入力操作が、複数回、実行された後に、全種過去条件一致検索ボタン６２１４−１の入力操作が実行されると、表示期間幅を、複数回、表示期間幅でシフトした時点で、過去で直近の、全種のバイタルのデータの中のいずれかで、マーキング条件を満たすバイタルのデータが検索される。
【０２２１】
また例えば、体温データ表示画面６２ａが表示されている場合に、表示期間過去シフトボタン６２３２−１の入力操作が、複数回、実行され、さらに、「微体動数」ボタン６２４２の入力操作が実行された後に、全種未来条件一致検索ボタン６２１４−２の入力操作が実行されると、表示期間幅を、複数回、表示期間幅でシフトした時点で、未来で直近の、全種のバイタルのデータの中のいずれかで、マーキング条件を満たすバイタルのデータが検索される。このように全種未来条件一致検索ボタン６２１４−２は、過去のバイタルのデータが表示されている場合に、好適に、利用できる。そして、上述の場合に続けて、マーキング条件を満たしたバイタルのデータにおけるバイタルの種類と異なるバイタル種選択ボタン６２４の入力操作が実行されると、マーキング条件を満たすバイタルのデータが検索された表示期間幅での他のバイタルの種類のデータが表示され、被監視者Ｏｂの健康状態をより適切に把握可能となる。
【０２２２】
本明細書は、上記のように様々な態様の技術を開示しているが、そのうち主な技術を以下に纏める。
【０２２３】
一態様にかかる中央処理装置は、監視対象である被監視者に対応して設けられ、前記被監視者の健康状態を把握するための指標である所定のバイタルを取得するセンサ装置、前記センサ装置と通信可能に接続され前記センサ装置から受信した前記バイタルのデータを管理する中央処理装置、および、前記中央処理装置と通信可能に接続され前記中央処理装置から受信した前記バイタルのデータを表示する端末装置を備え、前記被監視者の監視を支援するための被監視者監視支援システムの前記中央処理装置であって、前記被監視者、バイタルの種類を表すバイタル種情報、前記被監視者におけるバイタルのデータ、前記バイタルのデータを取得した時を表す取得時情報を互いに対応付けて記憶するバイタル情報記憶部と、前記被監視者、前記バイタル種情報および前記取得時情報を指定して前記バイタルのデータを要求する第１通信信号を前記端末装置から受信した場合に、前記第１通信信号で指定された前記取得時情報を含み、かつ、所定のデフォルト期間幅を持つ第１期間幅を表示期間幅とし、前記表示期間幅での、前記第１通信信号で指定された前記被監視者および前記バイタル種情報に対応するバイタルのデータを、前記バイタル情報記憶部から取り出して前記表示期間幅での前記バイタルのデータを前記端末装置に表示させる第２通信信号を前記端末装置へ返信するバイタル処理部とを備え、前記バイタル処理部は、さらに、前記第２通信信号を返信した前記端末装置から、前記表示期間幅の延長を要求する第３通信信号を受信した場合に、前記表示期間幅を所定の延長期間幅だけ延長した第２期間幅を新たに前記表示期間幅とし、少なくとも前記延長期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを前記端末装置に表示させる第４通信信号を新たに前記第２通信信号として前記端末装置へ返信する。好ましくは、上述の中央処理装置において、前記バイタルは、体温、微体動数（言い換えれば呼吸数）、血圧（最高血圧および最低血圧のうちの少なくとも一方を含む）、脈拍数および睡眠状態（睡眠中および覚醒中のうちの少なくとも一方を含む）のうちの少なくとも１つを含む。好ましくは、上述の中央処理装置において、前記取得時情報は、前記バイタルを取得した時を年月日で表す年月日情報（第１日付情報）である。好ましくは、上述の中央処理装置において、前記取得時情報は、前記バイタルを取得した時を年月日時分で表す年月日時分情報（第２日付情報）である。好ましくは、上述の中央処理装置において、前記バイタルを取得した時は、前記バイタルを測定して前記バイタルのデータを取得した測定時である。好ましくは、上述の中央処理装置において、前記バイタルを取得した時は、前記バイタルのデータを受信して前記バイタルのデータを取得した受信時である。好ましくは、上述の中央処理装置において、前記デフォルト期間幅（初期期間幅、延長期間を含まない最初の期間幅）は、前記取得時情報で表される時を起点に過去へ５日間、７日間（１週間）、１０日間および１４日間（２週間）のうちのいずれか１つである。好ましくは、上述の中央処理装置において、前記デフォルト期間幅は、前記取得時情報で表される時を中央に設定した５日間、７日間（１週間）、９日間および１３日間のうちのいずれか１つである。好ましくは、上述の中央処理装置において、前記デフォルト期間幅は、前記取得時情報で表される時を終点に未来へ５日間、７日間（１週間）、１０日間および１４日間（２週間）のうちのいずれか１つである。好ましくは、上述の中央処理装置において、前記延長期間幅は、１日、２日、３日、前記デフォルト期間幅の半分を越えない直近の整数日数（＝ＩＮＴ（（前記デフォルト期間幅）／２））、前記デフォルト期間幅の３分の１を越えない直近の整数日数（＝ＩＮＴ（（前記デフォルト期間幅）／３））、前記デフォルト期間幅の４分の１を越えない直近の整数日数（＝ＩＮＴ（（前記デフォルト期間幅）／４））のうちのいずれか１つである。なお、ＩＮＴ（ｘ）は、ｘを越えない直近の整数値を出力する演算子である。好ましくは、上述の中央処理装置において、前記バイタル処理部は、前記表示期間幅を所定の延長期間幅だけ過去へ延長した第２期間幅を新たに前記表示期間幅とする。好ましくは、上述の中央処理装置において、前記バイタル処理部は、前記表示期間幅を所定の延長期間幅だけ未来へ延長した第２期間幅を新たに前記表示期間幅とする。好ましくは、上述の中央処理装置において、前記バイタル処理部は、前記第１通信信号および前記第３通信信号のうちの少なくとも一方を所定の時間内に受信しない場合に、前記表示期間幅を前記デフォルト期間幅に戻して新たに前記表示期間幅とする。好ましくは、上述の中央処理装置において、前記バイタル処理部は、前記表示期間幅を前記デフォルト期間幅に戻すことを要求する通信信号を前記端末装置から受信した場合に、前記表示期間幅を前記デフォルト期間幅に戻して新たに前記表示期間幅とする。
【０２２４】
このような中央処理装置は、前記第３通信信号を受信すると、前記第２通信信号によって前記端末装置に表示させた表示期間幅を前記延長期間幅だけ延長した第２期間幅を新たに前記表示期間幅とし、この期間幅を延長した表示期間幅で、前記新たに第２通信信号とされた前記第４通信信号によって、前記端末装置にバイタルのデータを表示させる。したがって、このような中央処理装置では、前記端末装置を扱うユーザは、延長前の表示期間幅では、バイタルのより細かい情報、例えば、バイタルにおける異常の起点、ピーク（あるいはボトム）、変化点および終点等の異常状態における各属性情報（異常状態属性情報）を把握できなかった場合でも、表示期間幅を延長して、延長後の表示期間幅で表示されるバイタルのデータを前記端末装置で参照することで、例えば前記異常状態属性情報等のバイタルのより細かい情報をより容易に把握できる。
【０２２５】
他の一態様では、上述の中央処理装置において、前記バイタルの種類は、互いに異なる複数であり、前記バイタル処理部は、さらに、前記第４通信信号を新たに第２通信信号として前記端末装置へ返信した場合であって、前記端末装置から、前記第２通信信号によって前記端末装置に表示させている前記バイタルのデータにおけるバイタルの種類と異なるバイタルの種類を表すバイタル種情報を指定して前記バイタルのデータを要求する第５通信信号を受信した場合に、前記表示期間幅での、前記第２通信信号によって前記端末装置に表示させている前記バイタルのデータにおける前記被監視者、および、前記第５通信信号で指定された前記バイタル種情報、に対応するバイタルのデータを、前記バイタル情報記憶部から取り出して前記表示期間幅での前記バイタルのデータを前記端末装置に表示させる第６通信信号を新たに第２通信信号として前記端末装置へ返信する。
【０２２６】
このような中央処理装置は、表示期間幅の延長後に、前記第５通信信号を受信すると、前記第２通信信号によって前記端末装置に前記バイタルのデータを表示させている表示時間幅と同じ表示時間幅で、前記第５通信信号で指定された前記バイタル種情報に対応するバイタルのデータを、前記新たに第２通信信号とされた前記第６通信信号によって、前記端末装置に表示させる。したがって、このような中央処理装置では、前記端末装置を扱うユーザは、第１種類のバイタルにおけるそのデータを前記端末装置で参照していた場合に、前記第１種類のバイタルにおける前記測定結果を表示している時間帯と同一の時間帯で、前記第１種類と異なる第２種類のバイタルにおけるそのデータを前記端末装置で参照できる。このため、前記ユーザは、複数のバイタルのデータを前記端末装置で参照することで、被監視者の健康状態をより適切に把握可能となる。特に、前記第４通信信号を新たに第２通信信号として前記端末装置へ返信した場合では、前記ユーザは、前記第１種類のバイタルについて、バイタルのより細かい情報を把握している場合があり、このような場合に、前記第２種類のバイタルも、前記第１種類のバイタルと同様な傾向を示しているか否かを前記端末装置で参照でき、被監視者の健康状態をより適切に把握可能となる。
【０２２７】
他の一態様では、これら上述の中央処理装置において、前記バイタル処理部は、さらに、前記第２通信信号を前記端末装置へ返信した場合であって、前記端末装置から、前記取得時情報の変更を要求する第７通信信号を受信した場合に、前記第２通信信号によって前記端末装置に表示させている前記バイタルのデータにおける前記表示期間幅に対応する取得時情報に対し前記表示期間幅だけずらした取得時情報を含み、かつ、前記表示期間幅と同じ期間幅を持つ第３期間幅を新たに前記表示期間幅とし、前記表示期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを前記端末装置に表示させる第８通信信号を新たに前記第２通信信号として前記端末装置へ返信する。好ましくは、これら上述の中央処理装置において、前記バイタル処理部は、さらに、前記第２通信信号を前記端末装置へ返信した場合であって、前記端末装置から、前記取得時情報を過去への変更を要求する第７Ａ通信信号を受信した場合に、前記第２通信信号によって前記端末装置に表示させている前記バイタルのデータにおける前記表示期間幅に対応する取得時情報に対し前記表示期間幅だけ過去へずらした取得時情報を含み、かつ、前記表示期間幅と同じ期間幅を持つ第３Ａ期間幅を新たに前記表示期間幅とし、前記表示期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを前記端末装置に表示させる第８Ａ通信信号を新たに前記第２通信信号として前記端末装置へ返信する。好ましくは、これら上述の中央処理装置において、前記バイタル処理部は、さらに、前記第２通信信号を前記端末装置へ返信した場合であって、前記端末装置から、前記取得時情報を未来への変更を要求する第７Ｂ通信信号を受信した場合に、前記第２通信信号によって前記端末装置に表示させている前記バイタルのデータにおける前記表示期間幅に対応する取得時情報に対し前記表示期間幅だけ未来へずらした取得時情報を含み、かつ、前記表示期間幅と同じ期間幅を持つ第３Ｂ期間幅を新たに前記表示期間幅とし、前記表示期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを前記端末装置に表示させる第８Ｂ通信信号を新たに前記第２通信信号として前記端末装置へ返信する。
【０２２８】
このような中央処理装置は、前記第７通信信号を受信すると、前記第２通信信号によって前記端末装置に表示させている前記バイタルのデータにおける前記表示期間幅に対し、前記表示期間幅だけずらした期間幅で、前記新たに第２通信信号とされた前記第８通信信号によって、前記端末装置にバイタルのデータを表示させる。したがって、このような中央処理装置では、前記端末装置を扱うユーザは、前記表示期間幅ごとにシフトさせながら、前記端末装置で前記バイタルのデータを参照できる。
【０２２９】
他の一態様では、これら上述の中央処理装置において、前記バイタルのデータに、所定のマークを付与するマーキング条件を表すマーキング条件情報を前記バイタルの種類に対応付けて記憶するマーキング条件情報記憶部をさらに備え、前記バイタル処理部は、さらに、前記第２通信信号を前記端末装置へ返信する場合に、前記マーキング条件情報で表されるマーキング条件を満たすバイタルのデータにはマークを付してから、前記第２通信信号を前記端末装置へ返信する。好ましくは、これら上述の中央処理装置において、前記マーキング条件は、バイタル（バイタルサイン）が異常値以上であることである。
【０２３０】
このような中央処理装置は、マーキング条件を満たすバイタルのデータにはマークを付して前記第２通信信号によって前記端末装置にバイタルのデータを表示させる。したがって、前記端末装置を扱うユーザは、マークを見つけることで、マーキング条件を満たすバイタルのデータの存在を把握できる。特に、前記マーキング条件をバイタル（バイタルサイン）が異常値以上であることに規定することによって、前記ユーザは、バイタルの異常を容易に把握できる。
【０２３１】
他の一態様では、これら上述の中央処理装置において、前記バイタルのデータに、所定のマークを付与するマーキング条件を表すマーキング条件情報を前記バイタルの種類に対応付けて記憶するマーキング条件情報記憶部をさらに備え、前記バイタル処理部は、さらに、前記第２通信信号を前記端末装置へ返信した場合であって、前記端末装置から、バイタルの種類が同一であるバイタルのデータの中でマーキング条件を満たすバイタルのデータの検索を要求する第９通信信号を受信した場合に、前記第２通信信号によって前記端末装置に表示させている前記バイタルのデータにおけるバイタルの種類に対応するマーキング条件情報を前記マーキング条件情報記憶部から取り出し、前記第２通信信号によって前記端末装置に表示させている前記バイタルのデータにおけるバイタルの種類で、前記第２通信信号によって前記端末装置に表示させている前記バイタルのデータにおける前記表示期間幅ごとに、前記第２通信信号によって前記端末装置に表示させている前記バイタルのデータに対し直近であって、かつ、前記取り出したマーキング条件情報で表されるマーキング条件を満たすバイタルのデータを検索し、前記検索された前記マーキング条件を満たすバイタルのデータに対応する前記表示期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを、前記マーキング条件を満たすバイタルのデータにはマークを付して前記端末装置に表示させる第１０通信信号を新たに前記第２通信信号として前記端末装置へ返信する。好ましくは、これら上述の中央処理装置において、前記バイタル処理部は、さらに、前記第２通信信号を前記端末装置へ返信した場合であって、前記端末装置から、バイタルの種類が同一であるバイタルのデータの中でマーキング条件を満たすバイタルのデータに対する過去への検索を要求する第９Ａ通信信号を受信した場合に、前記第２通信信号によって前記端末装置に表示させている前記バイタルのデータにおけるバイタルの種類に対応するマーキング条件情報を前記マーキング条件情報記憶部から取り出し、前記第２通信信号によって前記端末装置に表示させている前記バイタルのデータにおけるバイタルの種類で、前記第２通信信号によって前記端末装置に表示させている前記バイタルのデータにおける前記表示期間幅ごとに、前記第２通信信号によって前記端末装置に表示させている前記バイタルのデータに対し過去の直近であって、かつ、前記取り出したマーキング条件情報で表されるマーキング条件を満たすバイタルのデータを検索し、前記検索された前記マーキング条件を満たすバイタルのデータに対応する前記表示期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを、前記マーキング条件を満たすバイタルのデータにはマークを付して前記端末装置に表示させる第１０Ａ通信信号を新たに前記第２通信信号として前記端末装置へ返信する。好ましくは、これら上述の中央処理装置において、前記バイタル処理部は、さらに、前記第２通信信号を前記端末装置へ返信した場合であって、前記端末装置から、バイタルの種類が同一であるバイタルのデータの中でマーキング条件を満たすバイタルのデータに対する未来への検索を要求する第９Ｂ通信信号を受信した場合に、前記第２通信信号によって前記端末装置に表示させている前記バイタルのデータにおけるバイタルの種類に対応するマーキング条件情報を前記マーキング条件情報記憶部から取り出し、前記第２通信信号によって前記端末装置に表示させている前記バイタルのデータにおけるバイタルの種類で、前記第２通信信号によって前記端末装置に表示させている前記バイタルのデータにおける前記表示期間幅ごとに、前記第２通信信号によって前記端末装置に表示させている前記バイタルのデータに対し未来の直近であって、かつ、前記取り出したマーキング条件情報で表されるマーキング条件を満たすバイタルのデータを検索し、前記検索された前記マーキング条件を満たすバイタルのデータに対応する前記表示期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを、前記マーキング条件を満たすバイタルのデータにはマークを付して前記端末装置に表示させる第１０Ｂ通信信号を新たに前記第２通信信号として前記端末装置へ返信する。
【０２３２】
このような中央処理装置は、前記第９通信信号を受信すると、前記第２通信信号によって前記端末装置に表示させているバイタルのデータにおけるバイタルの種類と同種のバイタルのデータの中から、前記第２通信信号によって前記端末装置に表示させている前記バイタルのデータに対し直近であって、かつ、前記マーキング条件を満たすバイタルのデータを検索し、この検索された前記マーキング条件を満たすバイタルのデータに対応する前記表示期間幅でのバイタルのデータを、前記新たに第２通信信号とされた前記第１０通信信号によって、前記端末装置に表示させる。したがって、このような中央処理装置では、前記端末装置を扱うユーザは、前記端末装置に表示されている前記表示期間幅でのバイタルのデータに対し同種であって直近のマーキング条件を満たすバイタルのデータを参照できる。
【０２３３】
他の一態様では、これら上述の中央処理装置において、前記バイタルのデータに、所定のマークを付与するマーキング条件を表すマーキング条件情報を前記バイタルの種類に対応付けて記憶するマーキング条件情報記憶部をさらに備え、前記バイタルの種類は、互いに異なる複数であり、前記バイタル処理部は、さらに、前記第２通信信号を前記端末装置へ返信した場合であって、前記端末装置から、全てのバイタルの種類におけるバイタルのデータの中でマーキング条件を満たすバイタルのデータの検索を要求する第１１通信信号を受信した場合に、全てのバイタルの種類に対応するマーキング条件情報を前記マーキング条件情報記憶部から取り出し、前記第２通信信号によって前記端末装置に表示させている前記バイタルのデータにおける前記表示期間幅ごとに、前記第２通信信号によって前記端末装置に表示させている前記バイタルのデータに対し直近であって、かつ、全てのバイタルの種類の中のいずれかで前記取り出したマーキング条件情報で表されるマーキング条件を満たすバイタルのデータを検索し、前記検索された前記マーキング条件を満たすバイタルのデータに対応する前記表示期間幅での、前記第２通信信号によって前記端末装置に表示させている前記バイタルのデータにおける前記被監視者および前記検索された前記マーキング条件を満たすバイタルのデータにおける前記バイタル種情報に対応するバイタルのデータを、前記バイタル情報記憶部から取り出して前記表示期間幅での前記バイタルのデータを、前記マーキング条件を満たすバイタルのデータにはマークを付して前記端末装置に表示させる第１２通信信号を新たに前記第２通信信号として前記端末装置へ返信する。好ましくは、これら上述の中央処理装置において、前記バイタル処理部は、さらに、前記第２通信信号を前記端末装置へ返信した場合であって、前記端末装置から、全てのバイタルの種類におけるバイタルのデータの中でマーキング条件を満たすバイタルのデータに対する過去への検索を要求する第１１Ａ通信信号を受信した場合に、全てのバイタルの種類に対応するマーキング条件情報を前記マーキング条件情報記憶部から取り出し、前記第２通信信号によって前記端末装置に表示させている前記バイタルのデータにおける前記表示期間幅ごとに、前記第２通信信号によって前記端末装置に表示させている前記バイタルのデータに対し過去の直近であって、かつ、全てのバイタルの種類の中のいずれかで前記取り出したマーキング条件情報で表されるマーキング条件を満たすバイタルのデータを検索し、前記検索された前記マーキング条件を満たすバイタルのデータに対応する前記表示期間幅での、前記第２通信信号によって前記端末装置に表示させている前記バイタルのデータにおける前記被監視者および前記検索された前記マーキング条件を満たすバイタルのデータにおける前記バイタル種情報に対応するバイタルのデータを、前記バイタル情報記憶部から取り出して前記表示期間幅での前記バイタルのデータを、前記マーキング条件を満たすバイタルのデータにはマークを付して前記端末装置に表示させる第１２Ａ通信信号を新たに前記第２通信信号として前記端末装置へ返信する。好ましくは、これら上述の中央処理装置において、前記バイタル処理部は、さらに、前記第２通信信号を前記端末装置へ返信した場合であって、前記端末装置から、全てのバイタルの種類におけるバイタルのデータの中でマーキング条件を満たすバイタルのデータに対する未来への検索を要求する第１１Ｂ通信信号を受信した場合に、全てのバイタルの種類に対応するマーキング条件情報を前記マーキング条件情報記憶部から取り出し、前記第２通信信号によって前記端末装置に表示させている前記バイタルのデータにおける前記表示期間幅ごとに、前記第２通信信号によって前記端末装置に表示させている前記バイタルのデータに対し未来の直近であって、かつ、全てのバイタルの種類の中のいずれかで前記取り出したマーキング条件情報で表されるマーキング条件を満たすバイタルのデータを検索し、前記検索された前記マーキング条件を満たすバイタルのデータに対応する前記表示期間幅での、前記第２通信信号によって前記端末装置に表示させている前記バイタルのデータにおける前記被監視者および前記検索された前記マーキング条件を満たすバイタルのデータにおける前記バイタル種情報に対応するバイタルのデータを、前記バイタル情報記憶部から取り出して前記表示期間幅での前記バイタルのデータを、前記マーキング条件を満たすバイタルのデータにはマークを付して前記端末装置に表示させる第１２Ｂ通信信号を新たに前記第２通信信号として前記端末装置へ返信する。
【０２３４】
このような中央処理装置は、前記第１１通信信号を受信すると、全てのバイタルの種類におけるバイタルのデータの中から、前記第２通信信号によって前記端末装置に表示させている前記バイタルのデータに対し直近であって、かつ、前記マーキング条件を満たすバイタルのデータを検索し、この検索された前記マーキング条件を満たすバイタルのデータに対応する前記表示期間幅でのバイタルのデータを、前記新たに第２通信信号とされた前記第１２通信信号によって、前記端末装置に表示させる。したがって、このような中央処理装置では、前記端末装置を扱うユーザは、前記端末装置に表示されている前記表示期間幅でのバイタルのデータに対しいずれかの種類であって直近のマーキング条件を満たすバイタルのデータを参照できる。
【０２３５】
他の一態様にかかる中央処理方法は、監視対象である被監視者に対応して設けられ、前記被監視者の健康状態を把握するための指標である所定のバイタルを取得するセンサ装置、前記センサ装置と通信可能に接続され前記センサ装置から受信した前記バイタルのデータを管理する中央処理装置、および、前記中央処理装置と通信可能に接続され前記中央処理装置から受信した前記バイタルのデータを表示する端末装置を備え、前記被監視者の監視を支援するための被監視者監視支援システムの中央処理方法であって、前記被監視者、バイタルの種類を表すバイタル種情報、前記被監視者におけるバイタルのデータ、前記バイタルのデータを取得した時を表す取得時情報を互いに対応付けてバイタル情報記憶部に記憶するバイタル情報記憶工程と、前記被監視者、前記バイタル種情報および前記取得時情報を指定して前記バイタルのデータを要求する第１通信信号を前記端末装置から受信した場合に、前記第１通信信号で指定された前記取得時情報を含み、かつ、所定のデフォルト期間幅を持つ第１期間幅を表示期間幅とし、前記表示期間幅での、前記第１通信信号で指定された前記被監視者および前記バイタル種情報に対応するバイタルのデータを、前記バイタル情報記憶部から取り出して前記表示期間幅での前記バイタルのデータを前記端末装置に表示させる第２通信信号を前記端末装置へ返信するバイタル処理工程とを備え、前記バイタル処理工程は、さらに、前記第２通信信号を返信した前記端末装置から、前記表示期間幅の延長を要求する第３通信信号を受信した場合に、前記表示期間幅を所定の延長期間幅だけ延長した第２期間幅を新たに前記表示期間幅とし、少なくとも前記延長期間幅での、前記第２通信信号によって前記端末装置に表示させている前記バイタルのデータにおける前記被監視者および前記バイタル種情報に対応するバイタルのデータを、前記バイタル情報記憶部から取り出して前記表示期間幅での前記バイタルのデータを前記端末装置に表示させる第４通信信号を新たに前記第２通信信号として前記端末装置へ返信する。
【０２３６】
このような中央処理方法は、前記第３通信信号を受信すると、前記第２通信信号によって前記端末装置に表示させた表示期間幅を前記延長期間幅だけ延長した第２期間幅を新たに前記表示期間幅とし、この期間幅を延長した表示期間幅で、前記新たに第２通信信号とされた前記第４通信信号によって、前記端末装置にバイタルのデータを表示させる。したがって、このような中央処理方法では、前記端末装置を扱うユーザは、延長前の表示期間幅では、バイタルのより細かい情報、例えば前記異常状態属性情報を把握できなかった場合でも、表示期間幅を延長して、延長後の表示期間幅で表示されるバイタルのデータを前記端末装置で参照することで、例えば前記異常状態属性情報等のバイタルのより細かい情報をより容易に把握できる。
【０２３７】
他の一態様にかかる被監視者監視支援システムは、監視対象である被監視者に対応して設けられ、前記被監視者の健康状態を把握するための指標である所定のバイタルを取得するセンサ装置、前記センサ装置と通信可能に接続され前記センサ装置から受信した前記バイタルのデータを管理する中央処理装置、および、前記中央処理装置と通信可能に接続され前記中央処理装置から受信した前記バイタルのデータを表示する端末装置を備え、前記被監視者の監視を支援するための被監視者監視支援システムであって、前記中央処理装置は、これら上述のいずれかの中央処理装置である。
【０２３８】
このような被監視者監視システムは、これら上述のいずれかの中央処理装置を備えるので、例えば前記異常状態属性情報等のバイタルのより細かい情報をより容易に把握できる。
【０２３９】
この出願は、２０１７年６月１５日に出願された日本国特許出願特願２０１７−１１７３７６を基礎とするものであり、その内容は、本願に含まれるものである。
【０２４０】
本発明の実施形態が詳細に図示され、かつ、説明されたが、それは単なる図例及び実例であって限定ではない。本発明の範囲は、添付されたクレームの文言によって解釈されるべきである。
【０２４１】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０２４２】
本発明によれば、監視すべき監視対象である被監視者を監視する際にその監視を支援する被監視者監視支援システムの中央処理装置および中央処理方法、ならびに、前記被監視者監視支援システムが提供できる。
【図１】
2018230052.tif 000003
【図２】
2018230052.tif 000004
【図３】
2018230052.tif 000005
【図４】
2018230052.tif 000006
【図５】
2018230052.tif 000007
【図６】
2018230052.tif 000008
【図７】
2018230052.tif 000009
【図８】
2018230052.tif 000010
【図９】
2018230052.tif 000011
【図１０】
2018230052.tif 000012
【図１１】
2018230052.tif 000013
【図１２】
2018230052.tif 000014
【図１３】
2018230052.tif 000015
【図１４】
2018230052.tif 000016
【図１５】
2018230052.tif 000017
【図１６】
2018230052.tif 000018
【図１７】
2018230052.tif 000019
【図１８】
2018230052.tif 000020
【図１９】
2018230052.tif 000021
【図２０】
2018230052.tif 000022
【図２１】
2018230052.tif 000023
【図２２】
2018230052.tif 000024
【図２３】
2018230052.tif 000025
【図２４】
2018230052.tif 000026
【国際調査報告】
2018230052.tif 000027
2018230052.tif 000028
2018230052.tif 000029
2018230052.tif 000030